(57)【要約】【課題】薬剤に誤って触れることが少なく、携帯しやすく、携帯可能な大きさで防虫効果の持続が可能であり、さらに、防虫効果の調節が容易にできる防虫具の提供。【解決手段】防虫具１は、携帯可能な大きさとされ、内部に薬剤２２を有する容器８に、容器８内部とつながる薬剤放出部２５と開閉可能な密閉部が設けられ、前記薬剤２２には防虫効果を有して常温で揮発する有効成分を有している。また、薬剤塗布部３１が設けられている。【選択図】図２
2010000079.tif 000002
【特許請求の範囲】
【請求項１】
携行可能であって内部に薬剤を内蔵した容器を有し、当該容器には内部の薬剤を外部に露出させる薬剤露出部と、薬剤露出部を遮蔽する密閉手段が設けられ、前記薬剤には防虫効果を有して常温で揮発する有効成分が含有されていることを特徴とする防虫具。
【請求項２】
密閉手段を開放状態にしたとき、薬剤露出部においては薬剤が外気と接触可能であり、薬剤は薬剤露出部から外気に放出されることを特徴とする請求項１に記載の防虫具。
【請求項３】
薬剤露出部には塗布部材が設けられ、塗布部材によって他部に薬剤を塗布可能であることを特徴とする請求項１又は２に記載の防虫具。
【請求項４】
薬剤露出部は、多孔質体又は繊維束又は貫通孔を有する部材によって構成され、その表面に薬剤を露出させるものであることを特徴とする請求項１乃至３のいずれかに記載の防虫具。
【請求項５】
薬剤露出部は回転可能なボール或いはローラによって構成されていることを特徴とする請求項１乃至４のいずれかに記載の防虫具。
【請求項６】
薬剤は、容器内部に直接的に保持されていることを特徴とする請求項１乃至５のいずれかに記載の防虫具。
【請求項７】
容器には薬剤貯留部が設けられ、薬剤は流動性を有し、薬剤貯留部と薬剤露出部の間に薬剤導出部材が設けられ、薬剤導出部材を介して薬剤貯留部の薬剤が薬剤露出部に導かれることを特徴とする請求項１乃至６のいずれかに記載の防虫具。
【請求項８】
容器内部には薬剤保持部材を有し、さらに薬剤は流動可能であって、薬剤保持部材に保持されていることを特徴とする請求項１乃至７のいずれかに記載の防虫具。
【請求項９】
薬剤保持部材は繊維により構成されていることを特徴とする請求項８に記載の防虫具。
【請求項１０】
容器には、貯留タンク部と一時的薬剤溜め部が設けられていることを特徴とする請求項１乃至９のいずれかに記載の防虫具。
【請求項１１】
容器は筒状体であり、薬剤露出部は、筒状体の端部にあることを特徴とする請求項１乃至１０のいずれかに記載の防虫具。
【請求項１２】
容器は、内部に薬剤を内蔵する容器本体を有し、容器本体の内部に薬剤を含浸可能な薬剤保持部材が内蔵され、薬剤は、前記薬剤保持部材に含浸されて保持され、容器本体には薬剤を導出可能な薬剤導出部材が装着されており、当該薬剤導出部材の一部は前記薬剤保持部材と接し、薬剤導出部材の他の一部は容器本体から露出していることを特徴とする請求項１乃至１１のいずれかに記載の防虫具。
【請求項１３】
薬剤露出部は、薬剤の露出面積を調節することが可能であることを特徴とする請求項１乃至１２のいずれかに記載の防虫具。
【請求項１４】
薬剤露出部は、窓部を有し、当該窓部の開口面積が可変であることを特徴とする請求項１乃至１３のいずれかに記載の防虫具。
【請求項１５】
容器は、内部に薬剤を内蔵する容器本体を有し、容器内には液状の薬剤が流動性を有する状態で内蔵され、容器本体には薬剤を導出可能な薬剤導出部材と弁機構が設けられ、所定の動作に応じて弁機構が開き、内部の薬剤が薬剤導出部材を経て漏出し、容器本体から露出することを特徴とする請求項１乃至１４のいずれかに記載の防虫具。
【請求項１６】
容器には、流動性を有する薬剤が液密状態で内蔵される薬剤保持部を有し、当該薬剤保持部にはフォロア部材が設けられ、薬剤の消耗に応じてフォロア部材が移動することを特徴とする請求項１乃至１５のいずれかに記載の防虫具。
【請求項１７】
フォロア部材は、ゲル状であることを特徴とする請求項１６に記載の防虫具。
【請求項１８】
容器は、内部に薬剤を内蔵する容器本体を有し、容器内には液状の薬剤が流動性を有する状態で内蔵され、容器本体には薬剤を導出可能な薬剤導出部材が設けられ、さらに薬剤導出部材には別途用意の薬剤放散部材が装着可能であることを特徴とする請求項１乃至１７のいずれかに記載の防虫具。
【請求項１９】
容器は、内部に薬剤を内蔵する容器本体と、容器本体と分離可能であって少なくとも２通りの装着状態をもって容器本体に装着可能な装着部材を有し、容器内には液状の薬剤が流動性を有する状態で内蔵され、容器本体には薬剤を導出可能な薬剤導出部材が設けられ、前記装着部材には薬剤導出部を遮蔽する遮蔽部と薬剤の放散を助ける薬剤放散部材が設けられ、装着部材を特定の姿勢で容器本体に装着することによって薬剤導出部が遮蔽され、他の特定の姿勢で容器本体に装着した際には薬剤放散部材に薬剤導出部から薬剤が供給されることを特徴とする請求項１乃至１８のいずれかに記載の防虫具。
【請求項２０】
容器は、変形可能な変形部を有し、当該変形部を押圧することによって容器内部の薬剤を導出可能であることを特徴とする請求項１乃至１９のいずれかに記載の防虫具。
【請求項２１】
容器は、加圧手段を有し、当該加圧手段によって容器内部が加圧されて薬剤が導出されることを特徴とする請求項１乃至１９のいずれかに記載の防虫具。
【請求項２２】
内部に柱状の薬剤を有した容器を備え、当該容器には、容器内部と連通する開口と、前記開口を外部と遮断する密閉部が設けられており、密閉部は開閉可能であり、前記薬剤は、前記開口から容器外部に繰り出し可能であり、前記薬剤には防虫効果を有して常温で揮発する有効成分が含有されていることを特徴とする防虫具。
【請求項２３】
容器は、容器本体と、容器本体に対して回転可能な操作部と、容器本体内に位置するネジ部材を有し、操作部の回転に応じてネジ部材が回転し、当該ネジ部材が発生する推力によって薬剤が容器本体から繰り出されることを特徴とする請求項１乃至２２のいずれかに記載の防虫具。
【請求項２４】
防虫効果を有して常温で揮発する有効成分を含有し、固形形状に成形された薬剤を有し、当該薬剤の表面に所定量づつ剥離可能な被覆が設けられてなる防虫具。
【請求項２５】
棒状に成形された薬剤が内蔵された容器を有し、前記薬剤は、防虫効果を有して常温で揮発する有効成分を含有し、前記容器には前記薬剤を押圧する押圧手段と、薬剤の保持及び開放が可能なチャック手段を有し、押圧手段によって薬剤を押圧して薬剤を繰り出し、チャック手段が薬剤を保持して薬剤の後退を阻止することを特徴とする防虫具。
【請求項２６】
薬剤を加熱する加熱手段を備えることを特徴とする請求項１乃至２５のいずれかに記載の防虫具。
【請求項２７】
容器は、内部に薬剤を内蔵する容器本体と、容器本体と分離可能であって、容器本体に装着されて密閉手段を構成するキャップにより構成されることを特徴とする請求項１乃至２６のいずれかに記載の防虫具。
【請求項２８】
容器には、他のものに取り付けるための係止具が設けられていることを特徴とする請求項１乃至２７のいずれかに記載の防虫具。
【請求項２９】
容器は板状の容器であり、薬剤露出部は面状に設けられていることを特徴とする請求項１乃至２８のいずれかに記載の防虫具。
【請求項３０】
薬剤露出部を遮蔽する密閉手段は、変形可能なシート部材により行われるものであり、前記シート部材は引きはがし可能であり、引き剥がすことにより、薬剤露出部の遮蔽を解除することを特徴とする請求項１乃至２９のいずれかに記載の防虫具。
【請求項３１】
容器は、直接的に装着、又は被服の上から装着することが可能であることを特徴とする請求項１乃至３０のいずれかに記載の防虫具。
【請求項３２】
容器には、他の部材に対して着脱可能な着脱部材が設けられていることを特徴とする請求項１乃至３１のいずれかに記載の防虫具。
【請求項３３】
容器の一部又は全部は、生分解性樹脂を素材とするものであることを特徴とする請求項１乃至３２のいずれかに記載の防虫具。
【請求項３４】
携行可能であると共に身体又は被服に装着可能な本体部材を有し、当該本体部材には薬剤を外部に露出させる薬剤露出部が設けられ、前記薬剤には防虫効果を有して常温で揮発する有効成分が含有され、薬剤は薬剤露出部から外気に放出されることを特徴とする防虫具。
【請求項３５】
薬剤露出部を遮蔽する密閉手段を有し、当該密閉手段は、変形可能なシート部材により行われるものであり、前記シート部材は引きはがし可能であり、引き剥がすことにより、薬剤露出部の遮蔽を解除することを特徴とする請求項１乃至３４のいずれかに記載の防虫具。
【請求項３６】
携行可能であり且つ気密性を有する袋体を有し、当該袋体は、気密性を解除して密閉状態を解除することができ、当該袋体には繊維に含浸された薬剤が内蔵され、当該薬剤には、人体に有害な虫に対する防虫効果を有して常温で揮発する有効成分が含有されていることを特徴とする防虫具。
【請求項３７】
携行可能であり且つ通気性を有する袋体を有し、当該袋体には薬剤が内蔵され、当該薬剤には、人体に有害な虫に対する防虫効果を有して常温で揮発する有効成分が含有されていることを特徴とする防虫具。
【請求項３８】
袋体内部には薬剤含浸部材が設けられ、薬剤は、液状であり、薬剤含浸部材に含浸されていることを特徴とする請求項３７に記載の防虫具。
【請求項３９】
袋体には、着脱可能な着脱部材が設けられていることを特徴とする請求項３７又は３８に記載の防虫具。
【請求項４０】
有効成分は、Ｄｏｎｏｖａｎ法による２５℃における蒸気圧が１×１０-5〜５×１０-3mmHgであることを特徴とする請求項１乃至３９のいずれかに記載の防虫具。
【請求項４１】
有効成分は、ピレスロイド系化合物であることを特徴とする請求項１乃至４０のいずれかに記載の防虫具。
【請求項４２】
ピレスロイド系化合物が、Ｄｏｎｏｖａｎ法による２５℃における蒸気圧が１×１０-5〜５×１０-3mmHgであることを特徴とする請求項４１に記載の防虫具。
【請求項４３】
薬剤には昇華性染料が配合されていることを特徴とする請求項１乃至４２のいずれかに記載の防虫具。
【請求項４４】
請求項１乃至４３のいずれかに記載の防虫具を用い、防虫を行う場所で、前記防虫具の密閉部を開けて薬剤放出部から有効成分を有する薬剤を大気中に揮発させることにより有害生物を防除することを特徴とする防虫方法。
【請求項４５】
請求項１乃至４３のいずれかに記載の防虫具を用い、防虫を行う場所に薬剤塗布部を接触させて薬剤を塗布し、有効成分を有する薬剤を大気中に揮発させることにより有害生物を防除することを特徴とする防虫方法。
【発明の詳細な説明】
【技術分野】
【０００１】
本発明は、人などに対して有害な昆虫などの害虫を、殺虫又は昆虫忌避することを目的とする防虫具に関するものである。特に、火や電気等を用いなくても使用できる防虫具に関するものである。さらに、防虫具を用いて行う防虫方法に関するものである。
【背景技術】
【０００２】
従来より、害虫などの有害生物を殺虫または昆虫忌避して防除する目的のため、蚊取り線香や電気蚊取りマットなどの防虫具が用いられている。
【０００３】
また、火や電気を用いることなく使用できる防虫具として、様々な構造の防虫具が提案されている。
【０００４】
この出願の発明に関連する先行技術文献情報としては次のものがある。
【先行技術文献】
【特許文献】
【０００５】
【特許文献１】特開平０９−２８９８５５号公報
【特許文献２】特開平０９−３０８４２１号公報
【特許文献３】特開平１１−２５５６０４号公報
【０００６】
特許文献１に示されている防虫具は、円筒の濾紙等を束ねて、常温揮発性の防虫性化合物が保持されているものである。また同文献には、隙間を有した状態としながら紙等を巻いた形状や紙片を折り曲げた形状によって、常温揮発性の防虫性化合物が保持された構成も開示されている。
【０００７】
また、特許文献２に示されている防虫具は、折り畳み可能な紙製の穴を多数有した紙製の部材に常温揮発性の殺虫性化合物が保持されているものである。
【０００８】
さらに、特許文献３に示されている防虫具は、常温揮発性防虫成分がゴムなどの風船基材に保持されているものである。
【発明の概要】
【発明が解決しようとする課題】
【０００９】
しかし、上記した従来技術の防虫具は、使いにくく、また、製造しにくいものであった。
すなわち、上記の従来技術の防虫具は、常温揮発性防虫成分が紙やゴムなどに保持され、使用の際には紙やゴムを外気に触れる状態として防虫成分を揮発させるものである。従って、使用者が、常温揮発性防虫成分を保持している紙やゴムなどの部分に誤って触れることが多かった。
また、特許文献１に記載の防虫具では、その形状が、円筒の束ねた形状、隙間を有した状態として巻いた形状、紙片を折り曲げた形状等である。そのため、特許文献１に記載の防虫具は、嵩張って、携帯するには不便であった。
また、特許文献２に記載の防虫具についても同様であり、使用する際に折り畳まれている状態を広げて使用するものであるが、相当に嵩張って、携帯するには不便であった。
【００１０】
また上記の従来技術の防虫具は、防虫効果の持続及び調節は困難であった。すなわち、上記の従来技術の防虫具は、常温揮発性防虫成分が紙やゴムなどに保持されているので、同じ大きさでは防虫成分を保持する量に限界がある。そのため、携帯可能な大きさでは防虫効果の持続が難しい。また、揮発部分の調節は揮発部分の面積を変えることが容易でなく、防虫効果の調節は難しい。
【００１１】
そこで本発明は、常温揮発性防虫成分に誤って触れることが少なく、携帯しやすく、携帯可能な大きさで防虫効果の持続が可能である防虫具を提供することを課題とする。
【課題を解決するための手段】
【００１２】
そして上記した目的を達成するための請求項１の発明は、携行可能であって内部に薬剤を内蔵した容器を有し、当該容器には内部の薬剤を外部に露出させる薬剤露出部と、薬剤露出部を遮蔽する密閉手段が設けられ、前記薬剤には防虫効果を有して常温で揮発する有効成分が含有されていることを特徴とする防虫具である。
ここで、薬剤とは、有効成分自体、又は、有効成分を溶剤などで分散させた液体状、ゲル状、固体状のものである。また、防虫効果を有する有効成分とは、揮発することにより有害な昆虫に対して殺虫又は昆虫忌避の効果を有する薬品のことである。
【００１３】
請求項１の発明によれば、内部に薬剤を内蔵した容器を有し、当該容器には内部の薬剤を外部に露出させる薬剤露出部と、薬剤露出部を遮蔽する密閉手段が設けられ、前記薬剤には防虫効果を有して常温で揮発する有効成分が含有されているので、薬剤露出部から防虫効果を有する有効成分を揮発させることにより、有害な昆虫に対して殺虫又は昆虫忌避することができる。
また本発明の防虫具は、携行可能であるので、防虫具を携帯して使用することができる。
また本発明の防虫具では、薬剤は容器の中に内蔵されているので使用者が誤って触れることが少ない。
さらに揮発を調節するための薬剤放出部の大きさを可変できるようにした構成を付加すれば、防虫効果を調節することもできる。
【００１４】
請求項２に記載の発明は、密閉手段を開放状態にしたとき、薬剤露出部においては薬剤が外気と接触可能であり、薬剤は薬剤露出部から外気に放出されることを特徴とする請求項１に記載の防虫具である。
【００１５】
請求項２に記載の発明によれば、密閉手段を開放状態にしたとき、薬剤露出部においては薬剤が外気と接触可能であり、薬剤は薬剤露出部から揮発して外気に放出される。一方、本発明では、薬剤露出部を遮蔽すると有効成分は揮発せず、不使用時に有効成分が無駄に揮発することはない。
【００１６】
請求項３に記載の発明は、薬剤露出部には塗布部材が設けられ、塗布部材によって他部に薬剤を塗布可能であることを特徴とする請求項１又は２に記載の防虫具である。
【００１７】
請求項３に記載の発明によれば、薬剤露出部に塗布部材が設けられ、塗布部材によって他部に薬剤を塗布可能であるので、防虫具の薬剤塗布部から、薬剤を塗布することができ、さらに、塗布された部分から防虫効果を有する有効成分が放出されて、有害な昆虫に対して殺虫又は昆虫忌避をすることができる。
また薬剤を広い面積に塗布すれば、当該広い面積から薬剤が揮発し、周辺部の薬剤濃度を高めることができる。
【００１８】
請求項４に記載の発明は、薬剤露出部は、多孔質体又は繊維束又は貫通孔を有する部材によって構成され、その表面に薬剤を露出させるものであることを特徴とする請求項１乃至３のいずれかに記載の防虫具である。
【００１９】
請求項４に記載の発明によれば、薬剤露出部は、多孔質体又は繊維束又は貫通孔を有する部材によって構成され、その表面に薬剤を露出させるものであるので、液状の有効成分を用いた場合等には、外部に飛散することなく、有効成分の揮発が容易となる。
また薬剤を塗布する構成に本発明を採用することも推奨され、薬剤露出部に露出した薬剤を他の部材に容易に塗布することができる。
【００２０】
請求項５に記載の発明は、薬剤露出部は回転可能なボール或いはローラによって構成されていることを特徴とする請求項１乃至４のいずれかに記載の防虫具である。
【００２１】
請求項５に記載の発明によれば、薬剤露出部は回転可能なボール或いはローラによって構成されているので、薬剤の塗布が容易である。
【００２２】
請求項６に記載の発明は、薬剤は、容器内部に直接的に保持されていることを特徴とする請求項１乃至５のいずれかに記載の防虫具である。
【００２３】
請求項６に記載の発明によれば、薬剤は、薬剤保持部材を有さず、容器内部に直接的に保持されているので、薬剤の容器への充填が容易であり、また、大量の薬剤を充填することができる。
【００２４】
請求項７に記載の発明は、容器には薬剤貯留部が設けられ、薬剤は流動性を有し、薬剤貯留部と薬剤露出部の間に薬剤導出部材が設けられ、薬剤導出部材を介して薬剤貯留部の薬剤が薬剤露出部に導かれることを特徴とする請求項１乃至６のいずれかに記載の防虫具である。
【００２５】
請求項７に記載の発明によれば、容器には薬剤貯留部が設けられ、薬剤は流動性を有し、薬剤貯留部と薬剤露出部の間に薬剤導出部材が設けられ、薬剤導出部材を介して薬剤貯留部の薬剤が薬剤露出部に導かれるので、薬剤貯留部から薬剤露出部への導出が容易に行うことができる。
【００２６】
請求項８に記載の発明は、容器内部には薬剤保持部材を有し、さらに薬剤は流動可能であって、薬剤保持部材に保持されていることを特徴とする請求項１乃至７のいずれかに記載の防虫具である。
【００２７】
請求項８に記載の発明によれば、容器内部には薬剤保持部材を有し、さらに薬剤は流動可能であって、薬剤保持部材に保持されているので、防虫具を携行する際に、容器内で薬剤が移動することがない。また薬剤保持部材を容器とは別部材にすることにより薬剤保持部材をカートリッジ式に交換可能とすることもできる。
【００２８】
請求項９に記載の発明は、薬剤保持部材は繊維により構成されていることを特徴とする請求項８に記載の防虫具である。
【００２９】
請求項９に記載の発明によれば、薬剤保持部材は繊維により構成されているので、薬剤保持部材は多くの薬剤を保持することができる。
【００３０】
請求項１０に記載の発明は、容器には、貯留タンク部と一時的薬剤溜め部が設けられていることを特徴とする請求項１乃至９のいずれかに記載の防虫具である。
【００３１】
請求項１０に記載の発明によれば、容器には、貯留タンク部と一時的薬剤溜め部が設けられているので、容器内の圧力変化に応じ、圧力が高くなると一時的薬剤溜め部に薬剤が貯まって、余分な薬剤の揮発や薬剤の洩れを押さえることができる。
【００３２】
請求項１１に記載の発明は、容器は筒状体であり、薬剤露出部は、筒状体の端部にあることを特徴とする請求項１乃至１０のいずれかに記載の防虫具である。
【００３３】
請求項１１に記載の発明によれば、容器は筒状体であり、薬剤露出部は、筒状体の端部にあるので、容器の製造が容易であり、携行もしやすい。
【００３４】
請求項１２に記載の発明は、容器は、内部に薬剤を内蔵する容器本体を有し、容器本体の内部に薬剤を含浸可能な薬剤保持部材が内蔵され、薬剤は、前記薬剤保持部材に含浸されて保持され、容器本体には薬剤を導出可能な薬剤導出部材が装着されており、当該薬剤導出部材の一部は前記薬剤保持部材と接し、薬剤導出部材の他の一部は容器本体から露出していることを特徴とする請求項１乃至１１のいずれかに記載の防虫具である。
【００３５】
請求項１２に記載の発明によれば、当該薬剤導出部材の一部は前記薬剤保持部材と接し、薬剤導出部材の他の一部は容器本体から露出しているので、薬剤導出部材を介して、薬剤の揮発が可能である。
【００３６】
請求項１３に記載の発明は、薬剤露出部は、薬剤の露出面積を調節することが可能であることを特徴とする請求項１乃至１２のいずれかに記載の防虫具である。
【００３７】
請求項１３に記載の発明によれば、薬剤露出部は、薬剤の露出面積を調節することが可能であるので、薬剤の揮発量の調整が容易にすることができる。
【００３８】
請求項１４に記載の発明は、薬剤露出部は、窓部を有し、当該窓部の開口面積が可変であることを特徴とする請求項１乃至１３のいずれかに記載の防虫具である。
【００３９】
請求項１４に記載の発明によれば、薬剤露出部は、窓部を有し、当該窓部の開口面積が可変であるので、薬剤の蒸散量を容易に可変することができる。
【００４０】
請求項１５に記載の発明は、容器は、内部に薬剤を内蔵する容器本体を有し、容器内には液状の薬剤が流動性を有する状態で内蔵され、容器本体には薬剤を導出可能な薬剤導出部材と弁機構が設けられ、所定の動作に応じて弁機構が開き、内部の薬剤が薬剤導出部材を経て漏出し、容器本体から露出することを特徴とする請求項１乃至１４のいずれかに記載の防虫具である。
【００４１】
請求項１５に記載の発明によれば、弁機構が設けられており、所定の動作に応じて弁機構が開き、内部の薬剤が薬剤導出部材を経て漏出し、容器本体から露出するので、弁機構の動作により、薬剤を供給することができる。また本発明では、弁機構を採用するため、薬剤の過度の漏出が少ない。すなわち本発明によると、必要な時に適切な量の薬剤を漏出させることができる。
【００４２】
請求項１６に記載の発明は、容器には、流動性を有する薬剤が液密状態で内蔵される薬剤保持部を有し、当該薬剤保持部にはフォロア部材が設けられ、薬剤の消耗に応じてフォロア部材が移動することを特徴とする請求項１乃至１５のいずれかに記載の防虫具である。
【００４３】
請求項１７に記載の発明は、フォロア部材は、ゲル状であることを特徴とする請求項１６に記載の防虫具である。
【００４４】
請求項１６及び１７に記載の発明によれば、フォロア部材によって、薬剤保持部から流出しにくく、また、薬剤は空気に触れることがないので、薬剤の劣化が少ない。
【００４５】
請求項１８に記載の発明は、容器は、内部に薬剤を内蔵する容器本体を有し、容器内には液状の薬剤が流動性を有する状態で内蔵され、容器本体には薬剤を導出可能な薬剤導出部材が設けられ、さらに薬剤導出部材には別途用意の薬剤放散部材が装着可能であることを特徴とする請求項１乃至１７のいずれかに記載の防虫具である。
【００４６】
請求項１８に記載の発明によれば、薬剤導出部材に薬剤放散部材が装着可能であるので、より大きな面積から薬剤を揮発させることが可能である。
【００４７】
請求項１９に記載の発明は、容器は、内部に薬剤を内蔵する容器本体と、容器本体と分離可能であって少なくとも２通りの装着状態をもって容器本体に装着可能な装着部材を有し、容器内には液状の薬剤が流動性を有する状態で内蔵され、容器本体には薬剤を導出可能な薬剤導出部材が設けられ、前記装着部材には薬剤導出部を遮蔽する遮蔽部と薬剤の放散を助ける薬剤放散部材が設けられ、装着部材を特定の姿勢で容器本体に装着することによって薬剤導出部が遮蔽され、他の特定の姿勢で容器本体に装着した際には薬剤放散部材に薬剤導出部から薬剤が供給されることを特徴とする請求項１乃至１８のいずれかに記載の防虫具である。
【００４８】
請求項１９に記載の発明によれば、容器本体と分離可能であって少なくとも２通りの装着状態をもって容器本体に装着可能な装着部材を有し、装着部材を特定の姿勢で容器本体に装着すると薬剤導出部が遮蔽され、他の特定の姿勢で容器本体に装着した際には薬剤放散部材に薬剤導出部から薬剤が供給されるので、装着部材の姿勢により、薬剤の蒸散・密閉が可能となる。また本発明によると、薬剤は、薬剤放散部材から揮発することとなり、より大きな揮発面積を確保することができる。
【００４９】
請求項２０に記載の発明は、容器は、変形可能な変形部を有し、当該変形部を押圧することによって容器内部の薬剤を導出可能であることを特徴とする請求項１乃至１９のいずれかに記載の防虫具である。
【００５０】
請求項２０に記載の発明によれば、容器は、変形可能な変形部を有し、当該変形部を押圧することによって容器内部の薬剤を導出可能であるので、簡単な操作で薬液の導出ができる。
【００５１】
請求項２１に記載の発明は、容器は、加圧手段を有し、当該加圧手段によって容器内部が加圧されて薬剤が導出されることを特徴とする請求項１乃至１９のいずれかに記載の防虫具である。
【００５２】
請求項２１に記載の発明によれば、容器は、加圧手段を有し、当該加圧手段によって容器内部が加圧されて薬剤が導出されてより確実に薬剤を導出することができる。
【００５３】
請求項２２に記載の発明は、内部に柱状の薬剤を有した容器を備え、当該容器には、容器内部と連通する開口と、前記開口を外部と遮断する密閉部が設けられており、密閉部は開閉可能であり、前記薬剤は、前記開口から容器外部に繰り出し可能であり、前記薬剤には防虫効果を有して常温で揮発する有効成分が含有されていることを特徴とする防虫具である。
【００５４】
請求項２２に記載の発明によれば、開口から容器外部に繰り出し可能な柱状の薬剤を有しているので、繰り出し操作により薬剤を開口から突出させることができる。そして開口から突出した薬剤を他の部材に塗り付けたり、突出した薬剤から直接的に有効成分を揮発させて防虫することが可能である。突出した薬剤から直接的に有効成分を揮発させて防虫する場合、容器外部に引き出す長さを変えることにより、防虫効果を調節することもできる。
【００５５】
請求項２３に記載の発明は、容器は、容器本体と、容器本体に対して回転可能な操作部と、容器本体内に位置するネジ部材を有し、操作部の回転に応じてネジ部材が回転し、当該ネジ部材が発生する推力によって薬剤が容器本体から繰り出されることを特徴とする請求項１乃至２２のいずれかに記載の防虫具である。
【００５６】
請求項２３に記載の発明によれば、薬剤は、操作部の回転に応じてネジ部材が回転し、当該ネジ部材が発生する推力によって容器本体から繰り出されるので、簡単な構造により繰り出しが可能である。
【００５７】
請求項２４に記載の発明は、防虫効果を有して常温で揮発する有効成分を含有し、固形形状に成形された薬剤を有し、当該薬剤の表面に所定量づつ剥離可能な被覆が設けられてなる防虫具である。
【００５８】
請求項２４に記載の発明によれば、防虫効果を有して常温で揮発する有効成分を含有し、固形形状に成形された薬剤を有し、当該薬剤の表面に所定量づつ剥離可能な被覆が設けられているので、薬剤の消耗により露出部分が少なくなった場合には、被覆を剥離することにより露出部分を増やすことができる。
【００５９】
請求項２５に記載の発明は、棒状に成形された薬剤が内蔵された容器を有し、前記薬剤は、防虫効果を有して常温で揮発する有効成分を含有し、前記容器には前記薬剤を押圧する押圧手段と、薬剤の保持及び開放が可能なチャック手段を有し、押圧手段によって薬剤を押圧して薬剤を繰り出し、チャック手段が薬剤を保持して薬剤の後退を阻止することを特徴とする防虫具である。
【００６０】
請求項２５に記載の発明によれば、チャック手段を有し、押圧手段によって薬剤を押圧して薬剤を繰り出し、チャック手段が薬剤を保持して薬剤の後退を阻止するので、繰り出しが確実となり、また、防虫具の使用時には後退を阻止するので、塗布などの際にも、作業しやすい。
【００６１】
請求項２６に記載の発明は、薬剤を加熱する加熱手段を備えることを特徴とする請求項１乃至２５のいずれかに記載の防虫具である。
【００６２】
請求項２６に記載の発明によれば、薬剤を加熱する加熱手段を備えているので、より多くの薬剤の蒸散が可能である。
【００６３】
請求項２７に記載の発明は、容器は、内部に薬剤を内蔵する容器本体と、容器本体と分離可能であって、容器本体に装着されて密閉手段を構成するキャップにより構成されることを特徴とする請求項１乃至２６のいずれかに記載の防虫具である。
【００６４】
請求項２７に記載の発明によれば、容器本体に装着されて密閉手段を構成するキャップを有しているので、簡単な構造により、密閉手段を設けることができる。
【００６５】
請求項２８に記載の発明は、容器には、他のものに取り付けるための係止具が設けられていることを特徴とする請求項１乃至２７のいずれかに記載の防虫具である。
【００６６】
請求項２８に記載の発明によれば、容器には係止具を有するので、防虫具を携帯して使用する場合には、引っかけて携帯することができる。
【００６７】
請求項２９に記載の発明は、容器は板状の容器であり、薬剤露出部は面状に設けられていることを特徴とする請求項１乃至２８のいずれかに記載の防虫具である。
【００６８】
請求項２９に記載の発明によれば、容器は板状の容器であり、薬剤露出部は面状に設けられているので、防虫具を小さくしつつ、広い面積の薬剤露出部を設けることが可能である。
【００６９】
請求項３０に記載の発明は、薬剤露出部を遮蔽する密閉手段は、変形可能なシート部材により行われるものであり、前記シート部材は引きはがし可能であり、引き剥がすことにより、薬剤露出部の遮蔽を解除することを特徴とする請求項１乃至２９のいずれかに記載の防虫具である。
【００７０】
請求項３０に記載の発明によれば、薬剤露出部を遮蔽する密閉手段を、変形可能なシート部材により行って、前記シート部材は引きはがし可能として、シート部材を引き剥がすことにより、薬剤露出部の遮蔽を解除することができるので、シート部材の引き剥がし程度をかえることにより薬剤の蒸散を調節することができる。
【００７１】
請求項３１に記載の発明は、容器は、直接的に装着、又は被服の上から装着することが可能であることを特徴とする請求項１乃至３０のいずれかに記載の防虫具である。
【００７２】
請求項３１に記載の発明によれば、容器は、直接的に装着、又は被服の上から装着することが可能であるので、防虫具の携帯を容易に行うことができる。
【００７３】
請求項３２に記載の発明は、容器には、他の部材に対して着脱可能な着脱部材が設けられていることを特徴とする請求項１乃至３１のいずれかに記載の防虫具である。
【００７４】
請求項３２に記載の発明によれば、容器に、他の部材に対して着脱可能な着脱部材が設けられているので、防虫具を被服の上からの装着を容易に行うことができる。なお、着脱する対象は被服などでも良く、防虫する場所にあるもの、例えば、野外のテントなどでもよい。
【００７５】
請求項３３に記載の発明は、容器の一部又は全部は、生分解性樹脂を素材とするものであることを特徴とする請求項１乃至３２のいずれかに記載の防虫具である。
【００７６】
請求項３３に記載の発明によれば、容器の一部又は全部は、生分解性樹脂を素材とするものであるので、使用後の防虫具の廃棄の際、生分解によって処理することができる。
【００７７】
請求項３４に記載の発明は、携行可能であると共に身体又は被服に装着可能な本体部材を有し、当該本体部材には薬剤を外部に露出させる薬剤露出部が設けられ、前記薬剤には防虫効果を有して常温で揮発する有効成分が含有され、薬剤は薬剤露出部から外気に放出されることを特徴とする防虫具である。
【００７８】
請求項３４の発明によれば、薬剤露出部が設けられ、携行可能であると共に身体又は被服に装着可能な本体部材を有して、薬剤は薬剤露出部から外気に放出されることができるので、薬剤露出部から防虫効果を有する有効成分を揮発させることにより、有害な昆虫に対して殺虫又は昆虫忌避することができる。また本発明の防虫具は携行可能であるので、防虫具を携帯して使用することができる。
【００７９】
請求項３５に記載の発明は、薬剤露出部を遮蔽する密閉手段を有し、当該密閉手段は、変形可能なシート部材により行われるものであり、前記シート部材は引きはがし可能であり、引き剥がすことにより、薬剤露出部の遮蔽を解除することを特徴とする請求項１乃至３４のいずれかに記載の防虫具である。
【００８０】
請求項３５に記載の発明によれば、薬剤露出部の遮蔽をする密閉手段を、変形可能なシート部材により行って、前記シート部材を引き剥がして薬剤露出部の遮蔽を解除することができるので、薬剤露出部の遮蔽を解除して、簡単に防虫具を使用することができる。
【００８１】
請求項３６に記載の発明は、携行可能であり且つ気密性を有する袋体を有し、当該袋体は、気密性を解除して密閉状態を解除することができ、当該袋体には繊維に含浸された薬剤が内蔵され、当該薬剤には、人体に有害な虫に対する防虫効果を有して常温で揮発する有効成分が含有されていることを特徴とする防虫具である。
【００８２】
請求項３６に記載の発明によれば、気密性を解除して密閉状態を解除することができ、携行可能であり且つ気密性を有する袋体を有しているので、袋体の密閉状態を解除するだけで防虫具の使用ができる。
【００８３】
請求項３７に記載の発明は、携行可能であり且つ通気性を有する袋体を有し、当該袋体には薬剤が内蔵され、当該薬剤には、人体に有害な虫に対する防虫効果を有して常温で揮発する有効成分が含有されていることを特徴とする防虫具である。
【００８４】
請求項３７に記載の発明によれば、携行可能であり且つ通気性を有する袋体を有し、当該袋体には薬剤が内蔵され、当該薬剤には、人体に有害な虫に対する防虫効果を有して常温で揮発する有効成分が含有されているので、袋体を携行することにより防虫が可能となる。
【００８５】
請求項３８に記載の発明は、袋体内部には薬剤含浸部材が設けられ、薬剤は、液状であり、薬剤含浸部材に含浸されていることを特徴とする請求項３７に記載の防虫具である。
【００８６】
請求項３８に記載の発明によれば、袋体内部に薬剤含浸部材を設け、液状の薬剤を薬剤含浸部材に含浸しているので、液体の薬剤であっても、通気性を有する袋体に薬剤を内蔵することができる。
【００８７】
請求項３９に記載の発明は、袋体には、着脱可能な着脱部材が設けられていることを特徴とする請求項３７又は３８に記載の防虫具である。
【００８８】
請求項３９に記載の発明によれば、袋体に着脱部材を設けられ、着脱することができるので、防虫具を被服などに容易に固定することができる。
【００８９】
請求項４０に記載の発明は、有効成分は、Ｄｏｎｏｖａｎ法による２５℃における蒸気圧が１×１０-5〜５×１０-3mmHgであることを特徴とする請求項１乃至３９のいずれかに記載の防虫具である。
【００９０】
請求項４０に記載の発明によれば、有効成分は、Ｄｏｎｏｖａｎ法による２５℃における蒸気圧が１×１０-5〜５×１０-3mmHgであるので、揮発しやすく、また、薬剤放出部を大きくすることなく防虫効果を高めることができる。
【００９１】
請求項４１に記載の発明は、有効成分は、ピレスロイド系化合物であることを特徴とする請求項１乃至４０のいずれかに記載の防虫具である。
【００９２】
請求項４１に記載の発明によれば、有効成分は、ピレスロイド系化合物であるので、防虫具に使用した際には、昆虫等に対しては微量で防虫効果が優れるものであり、人に対しては、安全性が高い。
【００９３】
請求項４２に記載の発明は、ピレスロイド系化合物が、Ｄｏｎｏｖａｎ法による２５℃における蒸気圧が１×１０-5〜５×１０-3mmHgであることを特徴とする請求項４１に記載の防虫具である。
【００９４】
請求項４２に記載の発明によれば、有効成分は、Ｄｏｎｏｖａｎ法による２５℃における蒸気圧が１×１０-5〜５×１０-3mmHgであるので、揮発しやすく、また、薬剤放出部を大きくすることなく防虫効果を高めることができる。
【００９５】
請求項４３に記載の発明は、薬剤には昇華性染料が配合されていることを特徴とする請求項１乃至４２のいずれかに記載の防虫具である。
【００９６】
請求項４３に記載の発明によれば、薬剤の有効成分と共に昇華性染料が昇華するので、薬剤の有効期間を知ることができる。
【００９７】
請求項４４に記載の発明は、請求項１乃至４３のいずれかに記載の防虫具を用い、防虫を行う場所で、前記防虫具の密閉部を開けて薬剤放出部から有効成分を有する薬剤を大気中に揮発させることにより有害生物を防除することを特徴とする防虫方法である。
【００９８】
請求項４５に記載の発明は、請求項１乃至４３のいずれかに記載の防虫具を用い、防虫を行う場所に薬剤塗布部を接触させて薬剤を塗布し、有効成分を有する薬剤を大気中に揮発させることにより有害生物を防除することを特徴とする防虫方法である。
【００９９】
請求項４４及び４５に記載の防虫方法によれば、上記の防虫具を用いて有害生物を防除することができる。
【発明の効果】
【０１００】
本発明は、上述の通り構成されており、常温揮発性防虫成分に誤って触れることが少なく、携帯しやすく、携帯可能な大きさで防虫効果の持続が可能であり、さらに、防虫効果の調節が容易にできる防虫具を提供することができる。
【図面の簡単な説明】
【０１０１】
【図１】（ａ）、（ｂ）は本発明の第１の実施形態における防虫具の平面図及び正面図である。
【図２】（ａ）は、Ａ−Ａ断面における本発明の第１の実施形態における防虫具の断面図であり、（ｂ）は、（ａ）の部分拡大断面図である。
【図３】本発明の他の実施形態の防虫具の斜視図である。
【図４】本発明の他の実施形態の防虫具の断面図である。
【図５】本発明の他の実施形態の防虫具の断面図である。
【図６】本発明の他の実施形態の防虫具の断面図である。
【図７】（ａ）、（ｂ）は本発明の第２の実施形態における防虫具の平面図及び正面図である。
【図８】本発明の第２の実施形態における防虫具のＢーＢ面における断面図である。
【図９】図８に示す防虫具の、薬剤を繰り出した状態での断面図である。
【図１０】本発明の第２の実施形態における防虫具の分解図であり、（ａ）はキャップの断面図であり、（ｂ）は薬剤の断面図であり、（ｃ）は容器の断面図である。
【図１１】本発明の第３の実施形態における防虫具の斜視図である。
【図１２】本発明の第３の実施形態における防虫具の薬剤放散部材と保持部を示している斜視図である。
【図１３】本発明の第４の実施形態における防虫具の斜視図である。
【図１４】本発明の第４の実施形態における防虫具の不使用状態の部分断面図である。
【図１５】本発明の第４の実施形態における防虫具の使用状態における斜視図である。
【図１６】本発明の第４の実施形態における防虫具の使用状態の部分断面図である。
【図１７】本発明の第５の実施形態における防虫具の斜視図である。
【図１８】本発明の第６の実施形態における防虫具の斜視図である。
【図１９】本発明の第７の実施形態における防虫具の斜視図である。
【図２０】本発明の第８の実施形態における防虫具の断面図である。
【図２１】本発明の第９の実施形態における防虫具の断面図である。
【図２２】本発明の第９の実施形態の変形例における防虫具の断面図である。
【図２３】本発明の第１０の実施形態における防虫具の断面図である。
【図２４】本発明の第１１の実施形態における防虫具の斜視図である。
【図２５】本発明の第１２の実施形態における防虫具の斜視図である。
【図２６】本発明の第１３の実施形態における防虫具の斜視図である。
【図２７】本発明の第１３の実施形態における防虫具の部分断面図である。
【図２８】本発明の試験例１及び試験例２に用いるカップの斜視図である。
【図２９】本発明の試験例１の状態を示した防虫具及びカップの斜視図である。
【図３０】本発明の試験例２の状態を示した濾紙及びカップの斜視図である。
【図３１】（ａ）及び（ｂ）は、本発明の第１４の実施形態における防虫具の斜視図である。
【図３２】本発明の第１５の実施形態における防虫具の斜視図である。
【図３３】本発明の第１５の実施形態における防虫具の変形例を示した斜視図である。
【図３４】本発明の第１６の実施形態における防虫具の斜視図である。
【図３５】本発明の第１７の実施形態における防虫具の正面図である。
【図３６】本発明の第１８の実施形態における防虫具の斜視図である。
【図３７】本発明の第１９の実施形態における防虫具の正面図である。
【図３８】本発明の第２０の実施形態における防虫具の側面図である。
【図３９】本発明の第２１の実施形態における防虫具の斜視図である。
【図４０】本発明の第２２の実施形態における防虫具の斜視図である。
【図４１】本発明の第２３の実施形態における防虫具の斜視図である。
【図４２】本発明の第２４の実施形態における防虫具の正面図である。
【図４３】本発明の第２５の実施形態における防虫具の正面図である。
【図４４】本発明の第２６の実施形態における防虫具の斜視図である。
【図４５】本発明の第２６の実施形態における防虫具の袋体を示した斜視図である。
【図４６】図４５の内部を示した斜視図である。
【図４７】本発明の第２７の実施形態における防虫具の断面斜視図である。
【図４８】本発明の第２８の実施形態における防虫具の正面図である。
【図４９】本発明の第２８の実施形態における防虫具の使用状態を示した斜視図である。
【発明を実施するための形態】
【０１０２】
以下さらに本発明の具体的実施例について説明する。
以下に説明する防虫具は、いずれも携行可能である。防虫具の大きさは、ポケットに入る程度のものが推奨される。より具体的には、全長が１５０ｍｍ以下程度であって重量が５０グラム以下が望ましく、より推奨される大きさは、全長が１２０ｍｍ以下程度であって重量が２０グラム以下が望ましい。
【０１０３】
図１（ａ）、（ｂ）は本発明の第１の実施形態における防虫具の平面図及び正面図である。図２（ａ）は、Ａ−Ａ断面における本発明の第１の実施形態における防虫具の断面図であり、（ｂ）は、（ａ）の部分拡大断面図である。図３は、本発明の他の実施形態の防虫具の斜視図である。図４は、本発明の他の実施形態の防虫具の断面図である。図５は、本発明の他の実施形態の防虫具の断面図である。図６は、本発明の他の実施形態の防虫具の断面図である。
【０１０４】
本発明の第１の実施形態である防虫具１は、図１に示される構造である。防虫具１は、ラインマーカに似た構造をしている。
そして、防虫具１は容器８を有している。また、容器８は、円筒状の容器である容器本体１１と、容器本体１１の先端側に取り付けられるキャップ１０から成る。容器８の長さは約１５０ｍｍ程度である。そして、容器本体１１は、クリップ１２を備えている。
【０１０５】
クリップ１２は、他のものに取り付けるための係止具であり、容器本体１１の胴部に位置している。そして、クリップ１２と容器本体１１の胴部との間に被服のポケットなどの布地を挟むことが可能である。そして防虫具１を被服に固定することができるので、被服を着用した者が携帯する際に、落としにくい。
【０１０６】
なお、容器８及びキャップ１０の材質は、後述する薬剤２２が接触しても、影響のない材質が望ましい。例えば、ポリエチレン樹脂、ポリプロピレン樹脂、ポリアミド系樹脂、ポリスチレン樹脂、ポリアセタール樹脂、ポリエチレンテレフタレート樹脂などの樹脂や、アルミニウム、ステンレス等の金属が使用でき、特にポリアミド系樹脂が望ましい。
【０１０７】
さらに、容器８及びキャップ１０の材質を生分解性プラスチックを用いることにより、容器８及びキャップ１０がバクテリアなどにより分解するので環境に優しい。生分解プラスチックスとしては、でんぷんが添加されているでんぷん系、微生物が生成するポリエステルなどを成分とする微生物系、化学合成により製造される化学合成系などがある。なお、本発明の他の実施形態においても、同様な材質を用いることができる。
【０１０８】
防虫具１の内部の構造について、図２を用いて詳しく説明する。
容器本体１１は、先端側（図２において上側）に開口部１５を有する円筒状の筒型の容器であり、さらに、先端側の胴部は縮径部１６を有して、縮径部１６は後端側より外径が小さい。そして、縮径部１６には、本体側突起１７を有している。本体側突起１７は周状に設けられ、キャップ１０を容器本体１１に取り付けた際にはキャップ１０の内側に密着する。
【０１０９】
そして、図２のように、容器本体１１には内側に内部空間１９を有しており、内部空間１９には、中芯部材１８を有している。中芯部材１８は、円柱状をしており、中芯覆い部２０と繊維部２１からなる。中芯覆い部２０は樹脂製のフィルムであり円筒状しており、繊維部２１を覆っている。中芯部材１８は、薬液貯留部となる。
また、繊維部２１はポリエステル繊維、ポリアクリル繊維、綿などの繊維を円柱状にしたものであり、後述する有効成分を分散させた薬剤２２をしみこませている。すなわち繊維部２１には薬剤が含浸され、繊維部２１は薬剤保持部材として機能する。
【０１１０】
薬剤２２は液体状である。薬剤２２には防虫効果を有して常温で揮発する有効成分が含まれている。そして、防虫効果を有して常温で揮発する有効成分の具体例として、エンペントリン、２，３，５，６−テトラフルオロ−４−メトキシメチルベンジル  ３−（１−プロペニル）−２，２−ジメチルシクロプロパンカルボキシラート（以下、化合物（Ａ）と記すこともある。）、２，３，５，６−テトラフルオロ−４−メトキシメチルベンジル  ３−（２−メチル−１−プロペニル）−２，２−ジメチルシクロプロパンカルボキシラート、１−エチニル−２−メチル−２−ペンテニル  ３−（２−クロロ−２−フルオロビニル）−２，２−ジメチルシクリプロパン−１−カルボキシラート、２，３，５，６−テトラフルオロ−４−メチルベンジル  ３−（２−メチル−１−プロペニル）−２，２−ジメチルシクロプロパンカルボキシラート、２，３，５，６−テトラフルオロ−４−メチルベンジル  ３−（２−クロロ−２−フルオロビニル）−２，２−ジメチルシクロプロパンカルボキシラート、２，３，５，６−テトラフルオロ−４−メチルベンジル  ３−（１−プロペニル）−２，２−ジメチルシクロプロパンカルボキシラート、１−エチニル−２−フルオロ−２−ペンテニル  ３−（２，２−ジクロロビニル）−２，２−ジメチルシクロプロパンカルボキシラート、１−エチニル−２−メチル−２−ペンテニル  ３−（２，２−ジクロロビニル）−２，２−ジメチルシクロプロパンカルボキシラート、トランスフルスリン、テラレトリン、フラメトリン、テフルスリン、プラレトリン、アレスリン等のピレスロイド系化合物、フェニトロチオン、ジクロロボス等の有機リン系化合物、ＢＰＭＣ，メトキサジアゾン等のカーバメート系化合物、メソプレン、ハイドロプレン等の幼若ホルモン様化合物、３，４−カランジオール、Ｎ，Ｎ−ジエチル−ｍ−トルアミド、ｐ−メンタン−３，８−ジオール、ヒソップ油の植物精油等がある。
これらの有効成分の多くは常温で液体であり、そのまま薬剤としても使用可能である。
また、本発明に使用する有効成分は、Ｄｏｎｏｖａｎ法による２５℃における蒸気圧が１×１０-5〜５×１０-3mmHgであることが望ましい。
ここで、Ｄｏｎｏｖａｎ法とは、New method for estimating vapor pressure by the use of gas chromatography : Journal of Chromatography A. 749 (1996) 123-129 にてStephen F.Donovan 氏によって報告された方法である。
【０１１１】
通常、常温で液体の有効成分はそのまま後述のような有効成分を保持するための容器に充填して用いることができるが、当該有効成分をエタノール、イソプロピルアルコールなどのアルコール類、ポリエチレングリコール、１，３−ブチレングリコール、エチレングリコールモノブチルエーテル、プロピレングリコールモノメチルエーテル、ジプロピレングリコールモノメチルエーテルなどの多価アルコール類、イソペンタン、軽質イソパラフィンや軽質流動イソパラフィン（出光石油化学：ＩＰソルベント１６２０、２０２８、２８３５  エクソンモービル：アイソパーＥ、Ｇ、Ｈ、Ｌ、Ｍ）、ＪＩＳ１号灯油や２号灯油、アルキルベンゼンなどの炭化水素系溶剤、酢酸エチル、ミリスチン酸イソプロピル、アジピン酸ジイソプロピル、クエン酸トリブチルアセテートなどのエステル類、のうちから選択したいずれか、又は、それらの混合物で適宜希釈して得られる薬液を前記容器８に充填して用いることもできる。
【０１１２】
また、薬剤２２に、染料などの着色剤を添加しても良い。かかる場合には、透明な容器を用いて、使用時に薬剤２２の残量が容易に判断することができる。特に、薬剤２２を塗布して用いる防虫具の着色剤として昇華性染料を用いた場合には都合がよい。すなわち、薬剤２２の使用と共に着色剤が昇華するため、塗布した部分の色を確認することにより防虫効果の指標とすることができ、また、使用後に着色剤が残ることはなく、塗布した場所を汚すことはない。
【０１１３】
さらに、容器本体１１の開口部１５付近には、繊維束２３を有している。
繊維束２３は略柱状であり、先端側の端部は斜状となっており、軸方向に垂直な面に対して角度を有している。繊維束２３の外径は、開口部１５の内径に略等しい。そして、繊維束２３は、開口部１５に密着した状態で貫通している。さらに、繊維束２３は、容器本体１１の内部側では、中芯部材１８の繊維部２１と中芯接触部２３ａで接触し、容器本体１１の外部側では、開口部１５より外に露出し、露出部２３ｂを有している。
本実施形態では、繊維束２３と中芯部材１８が別部材であるが、一体であっても良い。
【０１１４】
また、キャップ１０は、容器本体１１と着脱することができ、キャップ１０を付けると露出部２３ｂは密閉されて、キャップ１０は密閉手段となって露出部２３ｂを遮蔽する。また、キャップ１０を外すと露出部２３ｂは開放される。
キャップ１０は、容器本体１１の先端側に取り付けられるものであり、外径は容器本体１１の外径と略同一である。そして、内部は、内径が２段になっており、後端側の後端側内部２７の内径は、容器本体１１の縮径部１６の外径と略同一である。さらに、図２（ｂ）のように、後端側内部２７には、キャップ１０をかぶせた状態で、容器本体１１の本体側突起１７に対応する位置よりも後端側の位置にキャップ側突起２９を有し、また、本体側突起１７に対応する位置よりも先端側には、シール突起３０を有している。そして、キャップ１０が容器本体１１にかぶせられると、本体側突起１７がキャップ側突起２９を乗り越えて固定され、さらに、容器本体１１の縮径部１６とシール突起３０が密着する。
【０１１５】
次に、防虫具１を使用する方法について説明する。
防虫具１を使用する際には、防虫を行う場所でキャップ１０を外す。すると、露出部２３ｂが密閉状態から開放される。
一方、繊維束２３は中芯接触部２３ａで中芯部材１８に繊維部２１と接触しているので、毛細管現象により薬剤２２が吸い上げられ、さらに、露出部２３ｂまで吸い上げられ、薬剤は露出部２３ｂの表面に露出する。すなわち本実施形態では、繊維束２３は露出部２３ｂに薬剤を導出する薬剤導出部材としての機能と、薬剤を表面に露出させる薬剤露出部としての機能を兼ね備える。
したがって、キャップ１０を外すと、薬剤２２は外気と接触可能となり、薬剤２２は揮発し始めることとなる。そして、防虫効果を有する有効成分であるエンペントリンが揮発して防虫効果を発揮する。このとき、前記した様に露出部２３ｂは、薬剤放出部２５として機能する。
【０１１６】
また、露出部２３ｂから薬剤２２が放出されると、さらに毛細管現象によって露出部に薬剤２２が移動する。薬剤２２が減少しても容器本体１１の内部の薬剤２２が無くなるまでは、中芯部材１８及び繊維束２３の毛細管現象により、露出部２３から薬剤２２が揮発するので、最後まで使用可能である。
【０１１７】
そして、防虫具１は、容器８の大きさが約１５０ｍｍであり、クリップ１２を有しているので、洋服のポケットなどに容易に引っかけることができるので、携帯に便利である。
【０１１８】
防虫具１は、上記したように、キャップ１０を外して、薬剤２２を放出させて、エンペントリンにより防虫具として使用するほかに、薬剤２２を作業着などに塗布することによっても使用することができる。すなわち、繊維束２３の先端部２３ｃは薬剤塗布部３１としても機能するものである。薬剤塗布部３１により作業着など薬剤２２を塗布する。そして、薬剤２２を塗布された部分から有効成分であるエンペントリンが揮発し、防虫効果を発揮する。
作業着等の被服に限らず、布や紙等に薬剤２２を塗布し、防虫を行う場所に置くことも有効である。さらに例えば紙や布等に円や囲みを描き、その中に防虫すべきものを置けば、囲み内は、防虫雰囲気となり、囲み内に害虫が進入しない。
【０１１９】
第１の実施形態における防虫具１は、容器本体１１の内部空間１９に、中芯部材１８を介して薬剤２２を入れた構成であったが、容器本体１１の内部空間１９に、中芯部材１８の中芯覆い部２０を略して繊維と薬剤だけの構成とすることもでき、また、薬剤のみの構成とすることもできる。さらに、中芯覆い部２０の一部に貫通孔を有する構成として揮発させることもできる。そして、中芯部材１８を樹脂等で固めることもできる。
また、これらの防虫具を使用して、薬剤２２が無くなった後に、薬剤２２を再び充填して再び使用することも可能である。かかる場合には、容器本体１１を何回でも使用することができ経済的である。また中芯部材１８をカートリッジ式に取り替える構成も推奨される。
【０１２０】
上記の実施形態では、薬剤放出部２５である露出部２３ｂや、薬剤塗布部３１である先端部２３ｃは繊維であったが、薬剤が通過可能な部材であれば良く、露出部２３ｂや先端部２３ｃの材質として、多孔質体や中空の貫通穴を有する樹脂成形品を用いることもできる。
【０１２１】
また、図３に示されるような構造を有する容器９を用いることができる。すなわち、容器９は、容器本体７０とキャップ７１からなる。そして、容器本体７０の縮径部１６には、軸方向にやや長く、内部と外部を貫通している側面孔７２が設けられている。また、キャップ７１には、軸方向にやや長く、内部と外部を貫通している側面孔７３が設けられ、また、キャップ７１の内径は、容器本体７０の縮径部１６の外径にほぼ等しい。そして、容器本体７０とキャップ７１はネジ部７５によって回転しながら着脱するような構造になっている。また、容器本体７０の先端には、容器本体７０の内部の薬剤２２がしみこんでいる繊維束２３が露出している。
【０１２２】
図３に示される容器９を用いた防虫具を使用する場合には、薬剤２２の揮発量の調節が容易となる。すなわち、容器本体７０とキャップ７１の角度を変えると、容器本体７０の側面孔７２とキャップ７１の側面孔７３の相対的な位置関係が変わる。
そして、側面孔７２と側面孔７３との位置が一致すると容器９の内部と外部を貫通する孔の面積が大きくなるので揮発性が高まり、また、逆に一致しないと面積が小さくなり揮発性が減少する。そして、この調節は無段階にできる。
すなわち本実施形態では、容器９の先端部分に側面孔７２と側面孔７３によって構成される窓があり、当該窓の開口面積が変化させることができる。
なお、本発明の第１の実施形態の防虫具１と同様に、キャップ７１を外しても使用でき、また、薬剤２２を塗布することによっても使用することができる。
【０１２３】
さらに、本発明においては、図４〜図６に示されるような、薬剤保持部材を有さない容器本体を用いることができる。
【０１２４】
すなわち、図４に示される容器本体１１ａは、薬剤保持部材を有さずに、薬剤２２が容器本体１１ａの内部空間１９に直接的に充填されている。なお薬剤２２は、液状である。そして、容器本体１１ａの先端側の開口部１５には、第１の実施形態の防虫具１の容器本体１１と同様に、繊維束２３を有している。さらに繊維束２３の後端側と、薬剤２２の間には弁機構５０が設けられ、通常は弁機構５０は閉じており、繊維束２３を後端側に押すと弁機構５０が開いて、内部空間１９の薬剤２２は繊維束２３を通じて揮発可能となる。
【０１２５】
すなわち弁機構５０は、弁室５０ａの中に弁体５０ｂが移動可能に配されたものであり、弁体５０ｂは、バネ５０ｃによって弁座５０ｄ側に押圧されている。そして繊維束２３を後端側に押すと、これに当接する弁体５０ｂがバネ５０ｃに抗して後方に移動し、弁座５０ｄから離れて弁が開く。
【０１２６】
本実施形態の防虫具では、使用の際には繊維束２３を押して、弁機構５０を開き、容器本体１１ａの内部空間１９に充填された薬剤２２を排出させる。そうすると、弁機構５０が開き内部空間１９の薬剤２２が繊維束２３を通じて、繊維束２３の先端側に移動して外部に揮発する。
容器本体１１ａを用いた防虫具では薬剤保持部材が不要のため、多くの薬剤２２を保持することができ、長期間使用できる。また弁機構５０を押し開くことにより必要量の薬剤２２を薬剤露出部たる繊維束２３の先端側に導くことができ、所望量の薬剤を揮発させることができる。
【０１２７】
さらに容器本体の変形例を説明する。
図５に示される容器本体１１ｂは、前記した容器本体１１ａと同様に薬剤保持部材を有さずに、薬剤２２が容器本体１１ｂの内部空間１９に直接保持されている。容器本体１１ｂは、ホルダー５３と円筒容器５４からなる。
ホルダー５３は略円筒状であり、先端側に開口部１５があり、内部には開口部１５につながって軸方向に向いている貫通孔５６を有して、内部に中継芯５６ａが設けられている。なお中継芯５６ａは、薬剤導出部材として機能する。
そしてさらに、ホルダー５３の外側は断面櫛歯状の段部５５を有している。段部５５には、外部に通じる外部圧力調整部５７ａと、円筒容器５４の内部に通じる内部圧力調整部５７ｂを有している。そして、ホルダー５３は円筒容器５４の先端側に挿入されて固定部材５３ａにより固定されている。
【０１２８】
内部圧力調整部５７ｂは、一時的薬剤溜め部として機能するものであり、容器内の圧力変化に応じ、圧力が高くなると一時的薬剤溜め部に薬剤が貯まって、余分な薬剤の揮発を押さえることができる。
【０１２９】
また、開口部１５には、多孔質体である樹脂成形部材５１を有している。樹脂成形部材５１の空隙により、容器の内部と外部を貫通して、薬剤２２は樹脂成形部材５１を通過することができる。
【０１３０】
そして、使用の際には先端側を下向きにするなどして、樹脂成形部材５１に薬剤２２をしみこませると、樹脂成形部材５１の多孔質構造によって薬剤２２が吸い出され、樹脂成形部材５１の先端部分に薬剤２２が露出する。そして当該部分の薬剤２２が空気に触れて揮発される。容器本体１１ｂを用いた防虫具では薬剤保持部材が不要のため、多くの薬剤２２を保持することができ、長期間使用できる。また、段部５５を有しているので、内部空間１９の温度が変化して、内部空間１９内部の薬剤２２や空気が膨張しても、段部５５に薬剤２２が移動して、溜めることができ、また、徐々に外部圧力調整部５７ａ及び内部圧力調整部５７ｂから空気が抜けて内部の圧力が低下するので、開口部１５から多量に漏れ出すことがない。
【０１３１】
さらに容器本体の他の変形例を説明する。
図６に示される容器本体１１ｃは、容器本体１１ａと同様に薬剤保持部材を有さずに、薬剤２２が容器本体１１ｃの内部空間１９に直接保持されている。そして、容器本体１１ｃの先端側の開口部１５には、第１の実施形態の防虫具１の容器本体１１と同様に、繊維束２３を有している。繊維束２３の後端側と、薬剤２２の間にはボール６０及び付勢部材６１からなる弁機構５０が設けられている。ボール６０は付勢部材６１によって先端側に付勢されており、弁機構５０の先端側に有する開口６４を閉鎖し、通常は弁機構５０は閉じた状態となっている。そして、弁機構５０は閉じた状態では、容器本体１１内部の薬剤２２が外部に漏れることはない。
繊維束２３を後端側に押すと弁機構５０が開いて、内部空間１９の薬剤２２は繊維束２３を通じて揮発可能となる。具体的には、付勢部材６１の付勢力より大きい力を繊維束２３に加えると、ボール６０を後端側に移動させることにより、弁機構５０を開放することができる。また、容器本体１１ｃの後端側には尾栓６２を有し、さらに、尾栓６２と薬剤２２との間にはフォロア６３を有している。フォロア６３は樹脂を素材とするものであり、薬剤２２の後端側に位置している。
そして、使用の際には繊維束２３を押して、薬剤２２を揮発させる。容器本体１１ｃを用いた防虫具では薬剤保持部材が不要のため、多くの薬剤２２を保持することができ、長期間使用できる。また、容器本体１１ｃでは薬剤２２が減るとそれに伴ってフォロア６３が先端側に移動するので、薬剤２２は空気に触れることがなく、薬剤２２の劣化が少ない。
【０１３２】
つぎに、本発明の第２の実施形態について説明する。
図７は（ａ）、（ｂ）は本発明の第２の実施形態における防虫具の平面図及び正面図である。図８は、本発明の第２の実施形態における防虫具のＢ−Ｂ面における断面図である。図９は、図８に示す防虫具の、薬剤を繰り出した状態での断面図である。図１０は、本発明の第２の実施形態における防虫具の分解図であり、（ａ）はキャップの断面図であり、（ｂ）は薬剤の断面図であり、（ｃ）は容器の断面図である。
【０１３３】
本発明の第２の実施形態における防虫具４は、固体状の薬剤４１を有するものであり、図７に示されるものである。そして、防虫具４は、容器３４を有しており、容器３４は容器本体３６とキャップ３５から成る。
【０１３４】
防虫具４の内部の構造について、図７〜１０を用いて詳しく説明する。
容器本体３６は、図１０のように、先端側に開口部１５を有する円筒状の筒型の容器であり、さらに、先端側の胴部は縮径部１６を有して、縮径部１６は後端側より外径が小さい。また、容器本体３６の内部には図１０（ｃ）に示されるように軸方向にリブ４４を有している。
そして、後端側には、繰り出し部３７を有している。繰り出し部３７は、円盤の中央にネジ付きの棒を有する形状であり、回転可能な状態で容器本体３６の後端側に接続している。
【０１３５】
繰り出し部３７は、操作部３８とネジ棒部３９から成る。操作部３８は、外部に露出しており、容器本体３６と相対的に回転運動が可能である。また、ネジ棒部３９は、スパイラル状に突起を有するものであり、ネジ棒部３９の長さは、容器本体３６よりやや短い。
【０１３６】
容器本体３６の内部には、薬剤４１を有している。図１０（ｂ）に示されるように、薬剤４１は円柱状であり、内部には空洞を有している。薬剤４１は、第１の実施形態における防虫具１に使用される有効成分と同様のものが用いられる。さらに、薬剤４１は半固形〜固形状の一定の形状を有するものであり、液体の有効成分を用いる場合には、ゲル化剤や固体添加剤などを用いて、一定の形状とする。
そして、薬剤４１の後端側には、移動部材４２を有している。移動部材４２は、中央部にはネジ棒部３９に合う貫通するネジ穴４７を有し、外側には、前記したリブ４４と合う凹部４６が軸方向に有している。
【０１３７】
そして、容器本体３６に薬剤４１が挿入されると、繰り出し部３７を回転することによって、薬剤４１を繰り出しすることができる。すなわち、移動部材４２のネジ穴４７にネジ棒部３９が入り、凹部４６がリブ４４が嵌った状態となっている。したがって、繰り出し部３７の操作部３８を回転させると、ネジ棒部３９が回転する。そうすると、リブ４４と凹部４６によって、容器本体３６と移動部材４２は回転できず、ネジ棒部３９のピッチの分だけ移動部材４２が軸方向に移動する。すなわち本実施形態では、ネジ棒部３９の発生する推力によって薬剤４１が容器本体３６から繰り出される。
【０１３８】
キャップ３５は、図１０（ａ）に示されるように、容器本体３６の先端側に取り付けられるものであり、外径は容器本体３６の外径と略同一である。そして、内部は、内径が２段になっており、後端側の後端側内部４８の内径は、容器本体３６の縮径部１６の外径と略同一である。
また、キャップ３５は、容器本体３６と着脱することができ、キャップ３５を付けた状態では容器本体３６の縮径部１６より先端側は密閉される。したがって、キャップ３５を付けると開口部１５は密閉され、外すと開口部１５が開放され、薬剤４１が露出する。すなわち薬剤４１が空気と触れる状態となる。
【０１３９】
そして、防虫具４を使用する場合には、次のように行う。
まず、防虫を行う場所でキャップ３５を外し、容器本体３６の開口部１５を、密閉状態から開放する。そして、繰り出し部３７を回転させて、薬剤４１の繰り出しを行う。そうすると、図９のように、薬剤４１の先端側の面と側面が露出して、有効成分が揮発する。本実施例では、薬剤４１の先端側の面と側面が薬剤放出部２５となる。有効成分は防虫効果を有して常温で揮発する有効成分であるので、有効成分が揮発し、その結果防虫効果を発揮する。また、薬剤４１の繰り出しの長さを変えることで、薬剤放出部の面積を変えることができ、防虫効果の強弱を容易に変えることができる。また、防虫具４の薬剤４１の先端側の面と側面を薬剤塗布部３１とすることもできる。
【０１４０】
本発明の繰り出し機構は、第２の実施形態における防虫具４に用いられている繰り出し機構以外の公知の繰り出し機構もでき、また回転式でなくても良い。
【０１４１】
つぎに、本発明の第３の実施形態について説明する。
図１１は、本発明の第３の実施形態における防虫具の斜視図である。図１２は、本発明の第３の実施形態における防虫具の薬剤放散部材と保持部を示している斜視図である。
【０１４２】
本発明の第３の実施形態における防虫具５は、図１１，１２に示されるものである。そして、防虫具５には、薬剤放散部材８５が設けられ、また繊維束２３の先端には、薬剤放散部材８５を保持することが可能な保持部８６が設けられている。なお、防虫具５は、繊維束２３の先端の保持部８６と薬剤放散部材８５以外の構造については、図２に示される防虫具１と同様の構造を採用しており、以下の説明において、防虫具１で用いた同一の番号を用いて説明し、詳細な説明を省略する。
【０１４３】
薬剤放散部材８５は板状であり、別途用意されるものである。薬剤放散部材８５の材質は毛細管現象などにより液体を吸い上げることが容易であり、紙のように細い繊維により形成されたものや多数の小さな孔が設けられたもの等により構成されたものが望ましい。そして、薬剤放散部材８５の広さや厚みは適宜選択することができ、厚みについては後述する保持部８６に挟まれて保持することができる程度である。また、薬剤放散部材８５には柔軟性があり、不使用時には巻き取りや折り畳むなどしてコンパクトな大きさとすることができ携帯しやすくできる。
保持部８６は、具体的には切れ目であり、繊維束２３の先端に位置している。そして切れ目の面は防虫具５の軸と平行である。
【０１４４】
そして、防虫具５を使用する際には、図１２に示されるように、薬剤放散部材８５を繊維束２３の保持部８６に取り付ける。そうすると、繊維束２３の先端側に吸い上げられた薬剤２２が、さらに、薬剤放散部材８５にも浸透していく。そして、薬剤２２は薬剤放散部材８５からも蒸散していく。
【０１４５】
防虫具５は、上記のように構成されているので、薬剤放散部材８５を広い面積にすることにより、より広い面から薬剤２２を蒸散させることができる。なお、不使用時には、図１１に示されるようにキャップ１０を容器本体１１に取付けて、薬剤２２の蒸散を防止し、また、薬剤放散部材８５は携帯できる大きさにすることができる。
【０１４６】
さらに、本発明の第４の実施形態について説明する。
図１３は、本発明の第４の実施形態における防虫具の斜視図である。図１４は、本発明の第４の実施形態における防虫具の不使用状態の部分断面図である。図１５は、本発明の第４の実施形態における防虫具の使用状態における斜視図である。図１６は、本発明の第４の実施形態における防虫具の使用状態の部分断面図である。
【０１４７】
本発明の第４の実施形態における防虫具６は、図１３、１４、１５、１６に示されるものである。そして、防虫具６には、容器本体１１と着脱可能な装着部材８７が設けられている。本実施形態では、装着部材８７は、キャップ兼薬剤放出部として機能する。なお、装着部材８７と、容器本体１１の装着部材８７との接続部分以外の防虫具６の構造については、図２に示される防虫具１と同様の構造を採用しており、以下の説明において、防虫具１で用いた同一の番号を用いて説明し、詳細な説明を省略する。
【０１４８】
キャップ兼薬剤放出部たる装着部材８７は、筒状であって胴部に開口部８８が設けられている。装着部材８７の筒の両側の端部９０ａ、９０ｂは、いずれも開口状であり、容器本体１１と脱着可能となっている。また、装着部材８７には、仕切部８９が設けられ、端部９０ａと端部９０ｂとの間を遮断するように設けられている。
【０１４９】
そして、装着部材８７の内部であって、仕切部８９と、開口部８８側の胴部と、端部９０ａとにより囲まれる空間には薬剤放散部材９１が設けられている。薬剤放散部材９１の材質は毛細管現象などにより液体を吸い上げることが容易なものであり、繊維により形成されたものや多数の小さな孔が設けられたものなど、毛細管現象が起こりやすいものが望ましい。また、薬剤放散部材９１は弾力性を有している。装着部材８７を端部９０ａ側で容器本体１１に取り付けると薬剤放散部材９１が繊維束２３の先端に押されて凹み、繊維束２３の先端と薬剤放散部材９１が接触するように構成されている。
薬剤放散部材９１は、開口部８８によって装着部材８７の外部とつながり、吸い上げられて薬剤放散部材９１にある薬剤２２が外部に拡散できるようになっている。
【０１５０】
防虫具６を使用する際には、図１５、図１６に示されるように、装着部材８７を端部９０ａ側を容器本体１１に取り付ける。このとき、繊維束２３の先端と薬剤放散部材９１とが接触するので、繊維束２３の先端側に吸い上げられた薬剤２２が、さらに、薬剤放散部材９１にも浸透していく。そして、薬剤２２は薬剤放散部材９１に浸透した薬剤２２は開口部８８から蒸散する。
【０１５１】
また、防虫具６を使用しない場合には、図１３、図１４に示されるように、装着部材８７の端部９０ｂ側を容器本体１１に取り付ける。そうすると、繊維束２３の先端は、装着部材８７の胴部と仕切部８９によって密閉されるので、薬剤２２の蒸散を防ぐ。
防虫具６では、使用時及び不使用時において、装着部材８７を容器本体１１に取り付けた状態であるので携帯がしやすい。
【０１５２】
次に本発明の第５、第６の実施形態について説明する。
以下に示す本発明の第５及び第６の実施形態の防虫具７及び防虫具７ａは、ボール９２やロール９３などの回転体により薬剤を塗布することができるものである。
【０１５３】
図１７は、本発明の第５の実施形態における防虫具の斜視図である。図１８は本発明の第６の実施形態における防虫具の斜視図である。
【０１５４】
本発明の第５の実施形態における防虫具７は、図１７に示されるものである。そして、防虫具７は容器本体１１に回転可能に保持されたボール９２を有しており、また、容器本体１１に設けられている薬剤２２がボール９２に付着するように構成されている。本実施形態では、ボール９２が薬剤塗布部３１となるものである。
そして、防虫具７を使用する際には、キャップ１０を取り外し、防虫を行う場所にボール９２を接触させながら移動させ、薬剤２２を塗布する。具体的には、薬剤２２がボール９２に付着して回転するので、ボール９２に接触した部分で薬剤２２の塗布が行われる。その後、薬剤２２が蒸散して防虫が行われる。
【０１５５】
本発明の第６の実施形態における防虫具７ａは、図１８に示されるものである。そして、防虫具７ａは容器本体１１に回転可能に保持されたロール９３を有しており、また、容器本体１１に設けられている薬剤２２がロール９３に付着するように構成されている。本実施形態では、ロール９３が薬剤塗布部３１となるものである。
そして、防虫具７ａを使用する際には、キャップ１０をとり、防虫を行う場所にロール９３を接触させながら移動させ、薬剤２２を塗布する。具体的には、薬剤２２がロール９３に付着して回転するので、ロール９３に接触した部分で薬剤２２の塗布が行われる。その後、薬剤２２が蒸散して防虫が行われる。
【０１５６】
また、本発明の第７の実施形態における防虫具７ｂのように、薬剤放出部２５付近を加熱して、使用時に、より蒸散しやすくすることもできる。
【０１５７】
図１９は、本発明の第７の実施形態における防虫具の斜視図である。
【０１５８】
防虫具７ｂは、図１９に示され、電気加熱器９５、電池９６、導線９７及びスイッチ９８が設けられている。電池９６の両極が導線９７を介して電気加熱器９５と接続されている。なお、スイッチ９８が導線９７の中途部分に位置しているので、スイッチ９８がＯＮの時だけ、電気加熱器９５の加熱が行われる。電気加熱器９５は、繊維束２３の先端付近に位置している。そして、防虫具７ｂの使用時にスイッチ９８をＯＮにすると、電気加熱器９５により、繊維束２３の先端付近が加熱されて、繊維束２３からの薬剤２２の蒸散が促進される。なお、薬剤放出部２５を有する防虫具であれば、薬剤放出部２５付近を加熱して揮発性の高い防虫具とすることができる。
【０１５９】
また、容器本体１１の内部の薬剤２２が保持されている部分を加圧することができるようにして、薬剤２２の塗布や放出を容易とする構成とすることも可能である。すなわち、薬剤２２が保持されている部分が加圧されており、大気圧との間に圧力差ができるので、薬剤２２が出やすくなる。具体的な方法として、容器本体１１を変形可能な容器として、握力等により薬剤２２が保持されている部分の容積が小さくできるようにして加圧する方法や、或いは、薬剤２２を保持する容器本体１１自体や容器本体１１の内部に設けられている薬剤２２を保持しているカートリッジの圧力を充填の際に高圧にして、容器本体１１の内部を加圧する方法などである。
【０１６０】
薬剤２２が保持されている部分を加圧することが可能な防虫具として、防虫具１００、１０１、１０６を用いることができる。
【０１６１】
図２０は、本発明の第８の実施形態における防虫具の断面図である。図２１は、本発明の第９の実施形態における防虫具の断面図である。図２２は、本発明の第９の実施形態の変形例における防虫具の断面図である。
【０１６２】
第８の実施形態における防虫具１００は、図２０に示されており、容器本体１１１に直接薬剤２２が保持されている。容器本体１１１は軟質の樹脂によって成形され、変形可能であり、外部から圧縮することにより変形させることができる。そして、容器本体１１１の内部には、薬剤誘導管１１２が設けられている。薬剤誘導管１１２の先端側には弁機構１１３が設けられ、後端側は開放されており、容器本体１１１の薬剤２２が流れ込むことが可能となっている。通常、弁機構１１３は閉じた状態であるが、薬剤誘導管１１２側の圧力が上がると、それに応じて開く構造となっている。弁機構１１３は閉じた状態では、容器本体１１１は気密性を有している。
また、繊維束２３は弁機構１１３の先端側に位置している。そして、弁機構１１３が開くと、薬剤２２は容器本体１１１の内部から薬剤誘導管１１２を経て繊維束２３に移動し、薬剤２２を繊維束２３に供給することが可能である。
【０１６３】
防虫具１００を使用する際には、防虫具１００の繊維束２３の先端側は、防虫具１と同様に、薬剤放出部２５及び薬剤塗布部３１として機能する。そして、防虫具１００の使用者が、薬剤２２を繊維束２３に供給する場合には、防虫具１００の先端側を上にした状態で、容器本体１１１を外部から圧縮して変形させる。そうすると、容器本体１１１の容積が減少して内部の圧力が高くなり、さらに、弁機構１１３の薬剤誘導管１１２側の圧力が上がって、弁機構１１３が開く。そして、容器本体１１１の薬剤２２が繊維束２３に供給されて、より多くの薬剤２２が揮発可能となり、より多くの薬剤２２を塗布することができる。
【０１６４】
また、第８の実施形態の防虫具１００の変形例である、図２１に示される防虫具１０１は、前記した防虫具１００と比べて、薬剤誘導管１１２以外は同様であり、薬剤誘導管１１２の構造のみが異なる。具体的には、防虫具１０１の薬剤誘導管１１５の構造は図２１に示されるように内管１１６と外管１１７とが設けられた２重管となっている。そして、外管１１７の先端側の端部には、薬剤導入孔１１８が設けられており、容器本体１１１の内部の薬剤２２は薬剤誘導管１１５の外管１１７と内管１１６との間に流入することができる。
また、薬剤誘導管１１５の後端側には密栓１２０が設けられており、外管１１７の後端側を密閉している。なお、密栓１２０と内管１１６の間には隙間１２１を有しており、外管１１７と内管１１６との間から、内管１１６との間へ薬剤２２が流れることができる。
【０１６５】
防虫具１０１では、防虫具１０１の使用者が、薬剤２２を繊維束２３に供給する場合には、防虫具１０１の先端側を下にした状態で、容器本体１１１を外部から圧縮して変形させる。そうすると、容器本体１１１の容積が減少して内部の圧力が高くなり、さらに、弁機構１１３の薬剤誘導管１１５側の圧力が上がって、弁機構１１３が開く。そして、容器本体１１１の薬剤２２が繊維束２３に供給されて、より多くの薬剤２２が揮発可能となり、より多くの薬剤２２を塗布することができる。防虫具１０１では、防虫具１０１の先端側を下にしながら、薬剤２２を繊維束２３に供給することができるので、防虫具１０１の先端側を下に向けて薬剤２２を塗布する場合には、薬剤２２の量を調整しながら行うことができるので薬剤２２を適量とすることが容易である。
【０１６６】
第９の実施形態における防虫具１０６は、図２２に示されており、加圧手段１５０が設けられており、また、容器本体１１ａに直接薬剤２２が保持されている。なお、防虫具１０６の容器本体１０６ａは、前記した、図４に示されている容器本体１１ａと同じ構造であり、同一の番号を付して説明を省略する。
【０１６７】
加圧手段１５０は、加圧室１５１、弁部材１５２及び付勢手段１５３を有している。加圧室１５１は、外部に通じる貫通孔１５５が設けられており、貫通孔１５５の位置は、防虫具１０６の後端側の先に位置している。また、弁部材１５２は、加圧室１５１と容器本体１１ａの内部との間に位置している。弁部材１５２は、通常、付勢手段１５３によって加圧室１５１側に付勢され、容器本体１１ａの内部と加圧室１５１との間は気密状態を維持している。加圧室１５１側の圧力が容器本体１１ａの内部の圧力より高くなり、この気圧差による力が付勢部材１５３の付勢力より大きくなると、弁部材１５２は気密状態が解かれて、加圧室１５１から容器本体１１ａの内部へ加圧室１５１の気体が流入する。
加圧室１５１は弾性を有する材質であり、変形可能である。
【０１６８】
そして、防虫具１０６を使用する場合には、繊維束２３を押して、薬剤２２を揮発させるが、この量を多くしたい場合には、加圧手段によってより多くの薬剤２２を供給することができる。
具体的には、貫通孔１５５を塞ぎながら、加圧室１５１を押す。加圧室１５１は弾性を有しているので、加圧室１５１が変形して加圧室１５１の容積が小さくなる。そして、加圧室１５１の圧力が上昇する。
加圧室１５１の圧力が上昇し、容器内部１１ａの圧力よりも大きくなって、弁部材１５２の気密状態が解かれて、加圧室１５１から容器本体１１ａの内部へ加圧室１５１の気体が流入する。そして、加圧室１５１を押すのを止めると、弁部材１５２は付勢部材１５３により戻り、再び気密状態を回復し、容器本体１１ａの内部の圧力が高くなる。
さらに容器内部１１ａの圧力が高くなった状態で、繊維束２３を後端側に押すと弁機構５０が開いて、内部空間１９の薬剤２２は繊維束２３に移動するが、容器内部１１ａの圧力が高いので、より多くの薬剤２２を繊維束２３に供給することが可能である。なお、必要に応じて、加圧室１５１を押す操作を繰り返し、容器内部１１ａの圧力をより高くすることができる。
【０１６９】
また、図２３に示される、本発明の第１０の実施形態における防虫具１０２を用いることができる。
図２３は、本発明の第１０の実施形態における防虫具の断面図である。
第１の実施形態における防虫具１の中芯部材１８とは異なり、防虫具１０２の中芯部材１２８は、薬剤２２を管部材１２９によって直接保持している。そして、薬剤２２の後端側には薬剤２２の消耗に追随しながら移動可能なフォロア１３０が設けられており、後端側から漏れることを防止し、薬剤２２が最後まで使用できるようにしている。なお、フォロア１３０は粘度の大きいゲル状である。
【０１７０】
以下、本発明の第１１〜１３の実施形態を説明する。これらの実施形態における防虫具１０３、１０４、１０５は、上記第２の実施形態における防虫具４と同様に、固形状の薬剤４１を用いるものである。なお、防虫具１０３、１０４、１０５には、キャップ１０が設けられているが、キャップを設けない構成とすることもできる。
【０１７１】
図２４は、本発明の第１１の実施形態における防虫具の斜視図である。図２５は、本発明の第１２の実施形態における防虫具の斜視図である。図２６は、本発明の第１３の実施形態における防虫具の斜視図である。図２７（ａ），（ｂ）は、本発明の第１３の実施形態における防虫具の部分断面図である。
【０１７２】
本発明の第１１の実施形態における防虫具１０３は、図２４に示されており、薬剤４１、キャップ１０、巻紙１３１及び解除糸１３２が設けられている。そして、薬剤４１は柱状であって、巻紙１３１により巻き付けられている。解除糸１３２は、巻き付けられた巻紙１３１の間に位置しており、解除糸１３２を引っ張ると巻紙１３１が徐々に外れる。
【０１７３】
そして、使用する際には、薬剤４１の先端部を薬剤放出部２５として用い、薬剤４１の先端部から有効成分が蒸発させて防虫する。あるいは、薬剤４１の先端部を薬剤塗布部３１として用い、薬剤４１の先端部を防虫する場所に接触させて薬剤４１を塗布して、有効成分を揮発させて防虫する。
使用に伴って、薬剤４１が減少し、露出する部分が小さくなると、有効成分の揮発量が小さくなり、また、薬剤４１の塗布が行いにくくなる。防虫具１０３では解除糸１３２を引っ張ることにより、巻紙１３１を徐々に外し、露出する大きさを変えることができるので、薬剤４１を必要とする露出量にすることができる。
【０１７４】
本発明の第１２の実施形態における防虫具１０４は、図２５に示されており、薬剤４１、繰り出し部１３３、容器本体１１及びキャップ１０が設けられている。繰り出し部１３３は、ネジ棒部１３６と操作部１３５を有している。
操作部１３５は筒状であり、操作部１３５の内側でネジ棒部１３６と係合している。ネジ棒部１３６は棒状であり、スパイラル状に突起１３６ａを有している。操作部１３５は容器本体１１と相対的に回転でき、操作部１３５を回転させることにより、ネジ棒部１３６を突出・退入させることが可能である。
また、薬剤４１はネジ棒部１３６の先端側に設けられており、ネジ棒部１３６を突出・退入の動きに応じて薬剤４１が移動して、薬剤４１の繰り出しが可能となっている。
【０１７５】
そして、防虫具１０４を使用する際には、第１１の実施形態における防虫具１０３と同様に、薬剤４１の先端部を薬剤放出部２５や薬剤塗布部３１として用い、有効成分を揮発させて防虫する。
使用に伴って、薬剤４１が減少し、露出する部分が小さくなると、有効成分の揮発量が小さくなり、また、薬剤４１の塗布が行いにくくなる。防虫具１０４では操作部１３５を回転させることにより、薬剤４１の繰り出して、必要な薬剤４１の露出する大きさとすることができる。
【０１７６】
本発明の第１３の実施形態における防虫具１０５は、図２６〜図２７に示されており、薬剤４１、繰り出し部１３９、付勢部材１４０、ノック部材１４３、容器本体１１及びキャップ１０が設けられている。
【０１７７】
繰り出し部１３９は、薬剤保持筒１４２とチャック手段１４４が設けられている。薬剤保持筒１４２は筒状であり、先端側の外周は、先端に向かって径大となるようにテーパー部１４２ａが設けられている。そして、テーパー部１４２ａの外周でチャック手段１４４と係合し、薬剤保持筒１４２を内側に押圧している。薬剤４１は、薬剤保持筒１４２の内側に位置しており、容器本体１１の開口１４５から露出している。
【０１７８】
付勢部材１４０によって、薬剤保持筒１４２は後端側に付勢されている。この状態は図２７（ａ）に示されており、薬剤保持筒１４２のテーパー部１４２ａでチャック手段１４４が係合されて押圧されている。薬剤４１は薬剤保持筒１４２により保持されている。
ノック部材１４３を付勢部材１４０よりも大きい力で押すと、薬剤保持筒１４２は先端側に前進し、薬剤４１も前進する。
【０１７９】
そして、ノック部材１４３をさらに前進させると、チャック手段１４４が容器本体１１の内側突起１４１と接触して、薬剤保持筒１４２のみが前進し、テーパー部１４２ａのチャック手段１４４との係合が解け、図２７に示される状態となる。さらに、ノック部材１４３に加えていた力を抜くと、付勢部材１４０の力により後退するが、チャック手段１４４との係合が解けているので、薬剤４１は後退しない。
なお、薬剤４１を後退させて、容器本体１１側に収納させる場合には、ノック部材１４３を押しながら、薬剤４１を後端側に押す。テーパー部１４２ａのチャック手段１４４との係合が解けて開放された状態になり、容易に収納できる。
防虫具１４３ではこのように構成されているので、薬剤４１の繰り出し及び収納が可能である。
【０１８０】
そして、防虫具１０５を使用する際には、第１１の実施形態における防虫具１０３と同様に、薬剤４１の先端部を薬剤放出部２５や薬剤塗布部３１として用い、有効成分を揮発させて防虫する。
使用に伴って、薬剤４１が減少し、露出する部分が小さくなると、有効成分の揮発量が小さくなり、また、薬剤４１の塗布が行いにくくなる。防虫具１０５ではノック部材１４３を押すことにより、薬剤４１を繰り出して、薬剤４１が露出する大きさを適宜変更することができる。また、ノック部材１４３を押さない場合には、チャック手段１４４により、薬剤４１の後退を阻止することが出来る。
【０１８１】
また、以下に示す防虫具のように、容器を直接的に装着、又は被服の上から装着することが可能となるように構成としても良い。容器に着脱部材を設けて、着脱部材によって防虫具を被服や、野外のテントなどに着脱可能する構成としてもよい。また、容器といえる概念の部材を持たず、単に薬剤露出部のみを有する構成であってもよい。
【０１８２】
図３１（ａ）及び（ｂ）は、本発明の第１４の実施形態における防虫具の斜視図である。図３２は、本発明の第１５の実施形態における防虫具の斜視図である。図３３は、本発明の第１５の実施形態における防虫具の変形例を示した斜視図である。
【０１８３】
本発明の第１４の実施形態における防虫具２００は、図３１に示されている。そして、防虫具２００には、円盤状の容器本体２０１と、薬剤２２を含んだ薬剤保持部材２０１を有している。容器本体２０１は、蓋部２０３と裏板２０４が設けられている。蓋部２０３と裏板２０４とはほぼ同じ大きさである。蓋部２０３と裏板２０４とを合わせることによって内側に密閉された空間が形成され、当該空間に薬剤保持部材２０１が位置する。
【０１８４】
そして、防虫具２００では、薬剤保持部材２０１を薬剤露出部として機能させて使用する。具体的には、薬剤保持部材２０１を薬剤放出部２５や薬剤塗布部３１として用いることにより、薬剤２２中の有効成分を揮発させて防虫する。また、表板２０３が薬剤露出部を遮蔽する遮蔽手段として機能する。
【０１８５】
また、防虫具２００の本体容器２０２の裏側には、図３１（ｂ）に示されるように、着脱部材２０８が設けられている。着脱部材２０８は、防虫具２００の使用者の被服等に防虫具２００を着脱を可能とするものである。したがって、使用者は防虫具２００を被服に着脱でき、容易に防虫具２００を携帯することができる。なお、着脱部材２０８は、粘着剤、面ファスナー、安全ピン等、被服に着脱できるもので有れば良く、公知なものを用いることができる。なお、前記した着脱部材を他の実施形態の防虫具に用いることもできる。
【０１８６】
本発明の第１５の実施形態における防虫具２１０は、図３２に示されている。そして、防虫具２１０には、板面が円状である板状の形状をした容器本体２１１と、薬剤２２含んだ薬剤保持部材２１１を有している。容器本体２１２は、容器本体２１２の板面側に位置する開口部２１５を有し、さらに開口部２１５を覆うように蓋部２１４が設けられている。そして、蓋部２１４は、変形可能なシート部材であり、粘着剤などをもちいることにより、開口部２１５を封鎖して、容器の内部を密閉している。
【０１８７】
そして、防虫具２１０を使用する際には、開口部２１５を封鎖を解いて、蓋部２１４を図３２に示されるように引き剥がすようにめくり、開口部２１５を封鎖を解く。そして、容器本体２１２の内部に設けられている薬剤保持部材２１１に保持されている薬剤２２を開口部２１５から蒸散させる。
【０１８８】
なお、蓋部２１３の大きさは容器本体２１２の大きさに比べて小さく、容器本体２１２の板面の一部のようであったが、図３３に示される防虫具２１０'のように、蓋部２１３を容器本体２１２の板面の全てを覆うようにしてもよい。
【０１８９】
図３３に示される防虫具２１０'は、全体形状が薄いワッペン状であって容器と言える部材を持たない。図３３に示される防虫具２１０'では、本体部材１９０を持ち、その表面に薬剤が含浸されて薬剤が保持されると共に当該薬剤が露出している。そして本体部材の表面は薄いシート部材１９１で覆われており、当該シート部材１９１によって薬剤の露出面が覆われている。即ち本実施形態では、変形可能なシート部材１９１を密閉手段として使用し、粘着剤などをもちいることにより、シート部材１９１で薬剤露出部を封鎖している。そして、防虫具２１０'を使用する際には、シート部材１９１を引き剥がすようにめくり、薬剤露出部を露出させて、薬剤を外気に蒸散させる。
【０１９０】
また、防虫具２１０'には図示しない着脱部材を有しており、使用者の被服や野外のテントなどに装着することが可能である。
【０１９１】
さらに、図３４〜図４３に示されるような防虫具を用いることもできる。かかる防虫具によれば、防虫具の使用者が直接的に装着、又は、被服の上から装着することが容易となり、防虫具の使用者が防虫具を容易に携帯することが可能となる。さらに、図３４〜図４３に示される防虫具は、外観上は、装身具等の身につけるものであるので、防虫具を使用していても違和感無く使用することができる。また、装着する位置は、体の部分であればいずれの場所でも良く、頭、腕、指、胴体、足に装着することができる。
【０１９２】
なお、図３４〜図４３に示される防虫具には、内部に薬剤２２を内蔵した容器が設けられており、薬剤露出部が密閉手段によって遮蔽され、防虫具を使用する際に、薬剤２２中の有効成分を揮発させて防虫することができるものである。
【０１９３】
図３４は、本発明の第１６の実施形態における防虫具の斜視図である。図３５は、本発明の第１７の実施形態における防虫具の正面図である。図３６は、本発明の第１８の実施形態における防虫具の斜視図である。図３７は、本発明の第１９の実施形態における防虫具の正面図である。図３８は、本発明の第２０の実施形態における防虫具の側面図である。図３９は、本発明の第２１の実施形態における防虫具の斜視図である。図４０は、本発明の第２２の実施形態における防虫具の斜視図である。図４１は、本発明の第２３の実施形態における防虫具の斜視図である。図４２は、本発明の第２４の実施形態における防虫具の正面図である。図４３は、本発明の第２５の実施形態における防虫具の正面図である。
【０１９４】
具体的には、図３４に示される第１６の防虫具２２０は、全体形状が指輪状であり、容器２２０ａが設けられ、蓋部２２０ｂによって容器２２０ａ内部を遮蔽するものある。
【０１９５】
図３５に示される防虫具２２１は、全体形状が腕輪状であり、腕輪として使用可能であり、筒状の容器２２１ａが設けられ、蓋部２２１ｂによって容器２２１ａ内部を遮蔽するものである。
【０１９６】
図３６に示される防虫具２２２は、全体形状がヘアバンド状であり、ヘアバンドとして使用可能であり、容器２２２ａが設けられ、蓋部２２２ｂによって容器２２２ａ内部を遮蔽するものである。
【０１９７】
図３７に示される防虫具２２３は、全体形状がネクタイピン状であり、ネクタイなどに取り付けることが可能であり、容器２２３ａが設けられ、蓋部２２３ｂによって容器２２３ａ内部を遮蔽するものである。
【０１９８】
図３８に示される防虫具２２４は、全体形状がイヤリング状であり、イヤリングとして使用可能であり、容器２２４ａが設けられ、蓋部２２４ｂによって容器２２４ａ内部を遮蔽するものである。
【０１９９】
図３９に示される防虫具２２５は、鎖部２２５ｃが設けられて、容器２２５ａが鎖部２２５ｃと連結して、ロケットペンダント状のものである。そして、防虫具２２５はロケットペンダントとして使用可能であり、蓋部２２５ｂによって容器２２５ａ内部を遮蔽するものである。
【０２００】
図４０に示される防虫具２２６は、全体形状がピアス状であり、ピアスとして使用可能であり、容器２２６ａが設けられ、蓋部２２６ｂによって容器２２６ａ内部を遮蔽するものである。
【０２０１】
図４１に示される防虫具２２７は、全体形状がベルト状であり、ベルトとして使用可能であり、容器２２７ａが設けられ、蓋部２２７ｂによって容器２２７ａ内部を遮蔽するものである。
【０２０２】
図４２に示される防虫具２２８は、全体形状がブローチ状であり、ブローチとして使用可能であり、容器２２８ａが設けられ、蓋部２２８ｂによって容器２２８ａ内部を遮蔽するものである。
【０２０３】
図４３に示される防虫具２２９は、全体形状がブレスレット状であり、ブレスレットやアンクレットとして使用可能であり、容器２２９ａが設けられ、蓋部２２９ｂによって容器２２９ａ内部を遮蔽するものである。
【０２０４】
さらに、図４４〜図４８に示されるような第２６、第２７、第２８の実施形態における防虫具２４０、２５０、２６０を用いることもできる。防虫具２４０、２５０、２６０は、携行可能であって、人体に有害な虫に対する防虫効果を有して常温で揮発する有効成分が含有されている薬剤２２が内蔵されている。
【０２０５】
図４４は、本発明の第２６の実施形態における防虫具の斜視図である。図４５は、本発明の第２６の実施形態における防虫具の袋体を示した斜視図である。図４６は、図４５の内部を示した斜視図である。図４７は、本発明の第２７の実施形態における防虫具の断面斜視図である。図４８は、本発明の第２８の実施形態における防虫具の正面図である。図４９は、本発明の第２８の実施形態における防虫具の使用状態を示した斜視図である。
【０２０６】
第２６の実施形態における防虫具２４０は、図４４に示されており、全体形状は、やや厚みのあるシート状である。そして、防虫具２４０は密閉袋２４１と、密閉袋２４１の内側に位置している通気性袋２４２によって構成されている。通気性袋２４２は、図４５に示されている。
【０２０７】
密閉袋２４１は、薬剤２２の外部への蒸散を防止することができる材質が用いられており、具体的には樹脂製の多層フィルムを用いて袋状としたものである。そして、通気性袋２４２を密閉袋２４１により覆って、気密性を保持している。
【０２０８】
通気性袋２４２は、通気性を有する材質であり、例えば不織布が用いられている。さらに、通気性袋２４２の内部に薬剤２２が内蔵され、薬剤２２は通気性袋２４２によって覆われている。したがって、薬剤２２は、通気性袋２４２の外部に移動できる。具体的には、図４６に示されるように、通気性袋２４２の内部に、液状の薬剤２２を含浸することができる薬剤含浸部材２４３が設けられており、薬剤含浸部材２４３に薬剤２２を含浸した状態で、通気性袋２４２の中に入っている。薬剤含浸部材２４３は、繊維材料や多孔質部材など、液体を含浸することができればどのようなものでも良い。薬剤２２には、人体に有害な虫に対する防虫効果を有して常温で揮発する有効成分が含有されている。
【０２０９】
防虫具２４０は、このように構成されているので、薬剤含浸部材２４３に含浸されている薬剤２２は、通気性袋２４２の外へは通過できる。ただし、通気性袋２４２が密閉袋２４１に入っている状態では、薬剤２２の蒸気は密閉袋２４１で遮断され、外部に蒸散することはない。
【０２１０】
そして、防虫具２４０を使用する場合には、密閉袋２４１の一部を切断などして、内部の通気性袋２４２を取り出す。そうすると、通気性袋２４２の内部の薬剤２２が外部に蒸散し、有効成分によって防虫を行う。ただし、薬剤２２は、通気性袋２４２内に納められているので、液状の薬剤２２が外部に飛散することはない。そのため、液状の薬剤２２が身体等に直接触れることはない。
【０２１１】
第２７の実施形態における防虫具２５０は、図４７に示されている。そして、第２６の実施形態における防虫具２４０に比べて、通気性袋２５２が異なるものである。
すなわち、通気性袋２５２の一部に粘着部材２５３が設けられている。
【０２１２】
さらに具体的には、シート状の通気性袋２５２の一方の面の全体に粘着部材２５３を有し、防虫具２５０は粘着部材２５３によって人体又は被服に固定可能であり、容易に携行することができ、野外のテントなどに固定して防虫することができる。
【０２１３】
第２８の実施形態における防虫具２６０は、図４８、図４９に示されている。防虫具２６０の全体形状は棒状であって携帯可能な大きさである。そして、防虫具２６０は密閉袋２６１と、薬剤含浸部材２４３を有している。薬剤含浸部材２４３は、液状の薬剤２２を含浸することができる繊維性のシート状の部材である。そして、薬剤含浸部材２４３に薬剤２２を含浸して、シート状態から丸めることにより棒状にする。そして、棒状の状態の薬剤含浸部材２４３を密閉袋２６１の中に入れて密閉する。なお、薬剤２２は、人体に有害な虫に対する防虫効果を有して常温で揮発する有効成分が含有されている。
【０２１４】
そして、防虫具２６０を使用する場合には、密閉袋２６１の一部を切断して、薬剤含浸部材２４３の密閉状態を解除して防虫を行う。例えば、密閉袋２６１の一部を切除した状態で、防虫具２６０を胸ポケット等に挿す。そうすると、通気性袋２４２の内部の薬剤２２が外部に蒸散し、有効成分によって防虫を行うことが可能となる。ただし、防虫具２６０の胸ポケットに挿入された部位は、密閉袋２６１の一部で覆われているので、薬剤２２が直接被服に触れることはない。
【０２１５】
本発明の薬剤２２、４１は、有効成分単独でも良いが、適当な溶剤や添加剤を用いても良い。また、有効成分をマイクロカプセルなどに封入して、薬剤を塗布する際に押しつぶして、使用時に揮発させることもできる。この場合には、キャップ１０，３５を用いなくても、有効成分の揮発を防止することができる。
【０２１６】
本発明の防虫具を用いて防除可能である有害生物としては、例えば、下記のものがあげられる。
半翅目害虫：ヒメトビウンカ、トビイロウンカ、セジロウンカ等のウンカ類、ツマグロヨコバイ、タイワンツマグロヨコバイ等のヨコバイ類、アブラムシ類、カメムシ類、コナジラミ類、カイガラムシ類、グンバイムシ類、キジラミ類等
鱗翅目害虫：ニカメイガ、コブノメイガ、ノシメコクガ等のメイガ類、ハスモンヨトウ、アワヨトウ、ヨトウガ等のヨトウ類、モンシロチョウ等のシロチョウ類、コカクモンハマキ等のハマキガ類、シンクイガ類、ハモグリガ類、ドクガ類、ウワバ類、カブラヤガ、タマナヤガ等のアグロティス属害虫（Ａｇｒｏｔｉｓ  ｓｐｐ．）、ヘリコベルパ属害虫（Ｈｅｌｉｃｏｖｅｒｐａ  ｓｐｐ．）ヘリオティス属害虫（Ｈｅｌｉｏｔｈｉｓ  ｓｐｐ．）、コナガ、イチモンジセセリ、イガ、コイガ等
双翅目害虫：アカイエカ、コガタアカイエカ等のイエカ類、ネッタイシマカ、ヒトスジシマカ等のヤブカ類、シナハマダラカ等のハマダラカ類、ユスリカ類、イエバエ、オオイエバエ等のイエバエ類、クロバエ類、ニクバエ類、タネバエ、ヒメイエバエ、タマネギバエ等のハナバエ類、ミバエ類、ショウジョウバエ類、チョウバエ類、アブ類、ブユ類、サシバエ類等
鞘翅目害虫：ウエスタンコーンルートワーム、サザンコーンルートワーム等のコーンルートワーム類、ドウガネブイブイ、ヒメコガネ等のコガネムシ類、コクゾウムシ、イネミズゾウムシ、ワタミゾウムシ、アズキゾウムシ等のゾウムシ類、チャイロコメノゴミムシダマシ、コクヌストモドキ等のゴミムシダマシ類、イネドロオイムシ、キスジノミハムシ、ウリハムシ等のハムシ類、シバンムシ類、ニジュウヤホシテントウ等のエピラクナ属（Ｅｐｉｌａｃｈｎａ  ｓｐｐ．）、ヒラタキクイムシ類、ナガシンクイムシ類、カミキリムシ類、アオバアリガタハネカクシ等
網翅目害虫：チャバネゴキブリ、クロゴキブリ、ワモンゴキブリ、トビイロゴキブリ、コバネゴキブリ等
総翅目害虫：ミナミキイロアザミウマ、ミカンキイロアザミウマ、ハナアザミウマ等
膜翅目害虫：アリ類、スズメバチ類、アリガタバチ類、カブラハバチ等のハバチ類等
直翅目害虫：ケラ、バッタ等
隠翅目害虫：ヒトノミ、ネコノミ等
シラミ目害虫：ヒトジラミ、ケジラミ等
等翅目害虫：ヤマトシロアリ、イエシロアリ等
屋内塵性ダニ類：コナヒョウヒダニ、ヤケヒョウヒダニ等のヒョウヒダニ類、ケナガコナダニ、ムギコナダニ等のコナダニ類、チリニクダニ、イエニクダニ、サナアシニクダニ等のニクダニ類、クワガクツメダニ、フトツメダニ等のツメダニ類、ホコリダニ類、マルニクダニ類、イエササラダニ類、ハダニ類、フタトゲチマダニ等のマダニ類、ナミハダニ、カンザワハダニ、ミカンハダニ、リンゴハダニ等
尚、上記の有害生物以外の有害性物であっても、防除が可能である。また、本発明の防虫具１の有効成分が有害生物に対して防虫効果を有していれば、抵抗性を有する有害生物であっても、有効に防除可能であることは言うまでもない。
【０２１７】
以下、試験例をあげて、本発明の防虫具１による防虫効果をさらに詳しく説明する。なお、本発明はこれらの例に限定されるものではない。
【０２１８】
図２８は、本発明の試験例１及び試験例２に用いるカップの斜視図である。図２９は、本発明の試験例１の状態を示した防虫具及びカップの斜視図である。図３０は、本発明の試験例２の状態を示した濾紙及びカップの斜視図である。
【０２１９】
試験例１（薬剤放出部２５からの薬剤２２の揮発による防虫効果）
図２に示した防虫具１に、有効成分として化合物（Ａ）（２，３，５，６−テトラフルオロ−４−メトキシメチルベンジル  ３−（１−プロペニル）−２，２−ジメチルシクロプロパンカルボキシラートであり、Ｄｏｎｏｖａｎ法による２５℃における蒸気圧：１．４×１０-5mmHg）を用いた薬剤２２を用いて試験防虫具ａ及び試験防虫具ｂを作製した。
具体的には、試験防虫具ａの薬剤２２は化合物（Ａ）２．０ｇに、色材のスミプラストブルーＯＡ約１０ｍｇを混合溶解して液状としたものであり、これを中芯部材１８に滴下により充填した。また、試験防虫具ｂの薬剤２２は、化合物（Ａ）をエタノールで重量比１：１で混合溶解し、色材のスミプラストブルーＯＡ約５ｍｇを混合溶解して液１．１ｇにしたものであり、これを中芯部材１８に滴下により充填した。
【０２２０】
一方、供試虫として用いるアカイエカ雌成虫を炭酸ガスにより麻酔させ、一群１０頭を図２８に示されるようなＰＥＴ製カップ８０（底面φ８ｃｍ、蓋面φ９．５ｃｍ、高さ４．５ｃｍ）に入れた。ＰＥＴ製カップ８０は中央部にφ３ｃｍの穴８１と、他に通気孔としての１２個の小孔８２を設けた蓋８３が設けられている。そして、蓋８３をカップに取り付け、１％蔗糖液を染みこませたカット綿でφ３ｃｍの穴８１を塞き、そのまま２時間静置して麻酔させた蚊を回復させた。
試験防虫具ａおよび試験防具ｂは、薬剤放出部２５である繊維束先端に色材が到達し充填液が先端部に到達したことを確認した。φ９ｃｍの濾紙８４の中央部にあけたφ６ｍｍの穴にキャップをはずして突き刺し、繊維束２３の先端が蓋面からカップ内に３ｃｍ進入した位置になるようカット綿と置換して設置した。この状態を示したのが図２９である。設置後、直ちに蚊の落下仰天数（ノックダウン数）を一定時間毎に観察した。また、同じ試験を繰り返して２回行った。
なお、比較防虫具として、エタノールのみ約１ｇを滴下により中芯部材１８に充填したものを準備し、上記と同様な方法により蚊の落下仰天数（ノックダウン数）を一定時間毎に観察した。その結果を表１に示す。
試験防虫具ａ、ｂともに、あきらかな即効性を示した。
【０２２１】
【表１】
2010000079.tif 000003
【０２２２】
試験例２（防虫具１の薬剤塗布部３１を使用して塗布された薬剤２２の揮発による防虫効果）
試験例１にて調製した試験防虫具ａ及び試験防虫具ｂを用い、試験濾紙ａ'、試験濾紙ｂ'を作製した。具体的には、φ９ｃｍの濾紙８４の中央部に鉛筆でφ３ｃｍの円を描き、試験防虫具ａ及び試験防虫具ｂの薬剤塗布部３１をφ３ｃｍの円内に接触させて塗布した。なお、薬剤２２には青色の色材を有しているので、上記円内を均一に塗りつぶすように行った。
【０２２３】
試験例１と同様に、供試虫として用いるアカイエカ雌成虫を炭酸ガスにより麻酔させ、一群１０頭を図２８に示されるようなＰＥＴ製カップ８０（底面φ８ｃｍ、蓋面φ９．５ｃｍ、高さ４．５ｃｍ）に入れた。ＰＥＴ製カップ８０は中央部にφ３ｃｍの穴８１と、他に通気孔としての１２個の小孔８２を設けた蓋８３が設けられている。そして蓋８３をカップに取り付け、１％蔗糖液を染みこませたカット綿でφ３ｃｍの穴８１を塞き、そのまま２時間静置して麻酔させた蚊を回復させた。
【０２２４】
カット綿を外して、蓋８３のφ３ｃｍの穴８１と試験濾紙ａ'、試験濾紙ｂ'の塗布部分が重なるようにしながら、試験濾紙ａ'、試験濾紙ｂ'を蓋８３の上にのせる。この状態を示したのが図３０である。試験濾紙ａ'、ｂ'を設置後、直ちに蚊の落下仰天数（ノックダウン数）を一定時間毎に観察した。また、同じ試験を繰り返して２回行った。
なお、比較濾紙として、エタノールのみを塗布した濾紙を準備し、上記と同様な方法により蚊の落下仰天数（ノックダウン数）を一定時間毎に観察した。その結果を表２に示す。
試験濾紙ａ'、ｂ'ともに、あきらかな即効性を示した。
【０２２５】
【表２】
2010000079.tif 000004
【符号の説明】
【０２２６】
１，４，５，６，７，７ａ，７ｂ，１００，１０１、１０２  防虫具
１０３、１０４，１０５、２００、２１０、２２０、２２１  防虫具
２２２、２２３、２２４、２２５、２２６、２２７、２２８  防虫具
２２９、２４０、２５０、２６０  防虫具
８，９，３４  容器
１０，３５，７１  キャップ
１１，３６，７０  容器本体
１２  クリップ
１５  開口部
１８  中芯部材
２１  繊維部
２２  薬剤
２３  繊維束
２５  薬剤放出部
３１  薬剤塗布部
３７  繰り出し部
４１  薬剤
８５  薬剤放散部材
８７  装着部材
【図１】
2010000079.tif 000005
【図２】
2010000079.tif 000006
【図３】
2010000079.tif 000007
【図４】
2010000079.tif 000008
【図５】
2010000079.tif 000009
【図６】
2010000079.tif 000010
【図７】
2010000079.tif 000011
【図８】
2010000079.tif 000012
【図９】
2010000079.tif 000013
【図１０】
2010000079.tif 000014
【図１１】
2010000079.tif 000015
【図１２】
2010000079.tif 000016
【図１３】
2010000079.tif 000017
【図１４】
2010000079.tif 000018
【図１５】
2010000079.tif 000019
【図１６】
2010000079.tif 000020
【図１７】
2010000079.tif 000021
【図１８】
2010000079.tif 000022
【図１９】
2010000079.tif 000023
【図２０】
2010000079.tif 000024
【図２１】
2010000079.tif 000025
【図２２】
2010000079.tif 000026
【図２３】
2010000079.tif 000027
【図２４】
2010000079.tif 000028
【図２５】
2010000079.tif 000029
【図２６】
2010000079.tif 000030
【図２７】
2010000079.tif 000031
【図２８】
2010000079.tif 000032
【図２９】
2010000079.tif 000033
【図３０】
2010000079.tif 000034
【図３１】
2010000079.tif 000035
【図３２】
2010000079.tif 000036
【図３３】
2010000079.tif 000037
【図３４】
2010000079.tif 000038
【図３５】
2010000079.tif 000039
【図３６】
2010000079.tif 000040
【図３７】
2010000079.tif 000041
【図３８】
2010000079.tif 000042
【図３９】
2010000079.tif 000043
【図４０】
2010000079.tif 000044
【図４１】
2010000079.tif 000045
【図４２】
2010000079.tif 000046
【図４３】
2010000079.tif 000047
【図４４】
2010000079.tif 000048
【図４５】
2010000079.tif 000049
【図４６】
2010000079.tif 000050
【図４７】
2010000079.tif 000051
【図４８】
2010000079.tif 000052
【図４９】
2010000079.tif 000053
【手続補正書】
【提出日】平成21年8月10日(2009.8.10)
【手続補正１】
【補正対象書類名】明細書
【補正対象項目名】全文
【補正方法】変更
【補正の内容】
【発明の詳細な説明】
【技術分野】
【０００１】
本発明は、人などに対して有害な昆虫などの害虫を、殺虫又は昆虫忌避することを目的とする防虫具に関するものである。特に、火や電気等を用いなくても使用できる防虫具に関するものである。さらに、防虫具を用いて行う防虫方法に関するものである。
【背景技術】
【０００２】
従来より、害虫などの有害生物を殺虫または昆虫忌避して防除する目的のため、蚊取り線香や電気蚊取りマットなどの防虫具が用いられている。
【０００３】
また、火や電気を用いることなく使用できる防虫具として、様々な構造の防虫具が提案されている。
【０００４】
この出願の発明に関連する先行技術文献情報としては次のものがある。
【先行技術文献】
【特許文献】
【０００５】
【特許文献１】特開平０９−２８９８５５号公報
【特許文献２】特開平０９−３０８４２１号公報
【特許文献３】特開平１１−２５５６０４号公報
【０００６】
特許文献１に示されている防虫具は、円筒の濾紙等を束ねて、常温揮発性の防虫性化合物が保持されているものである。また同文献には、隙間を有した状態としながら紙等を巻いた形状や紙片を折り曲げた形状によって、常温揮発性の防虫性化合物が保持された構成も開示されている。
【０００７】
また、特許文献２に示されている防虫具は、折り畳み可能な紙製の穴を多数有した紙製の部材に常温揮発性の殺虫性化合物が保持されているものである。
【０００８】
さらに、特許文献３に示されている防虫具は、常温揮発性防虫成分がゴムなどの風船基材に保持されているものである。
【発明の概要】
【発明が解決しようとする課題】
【０００９】
しかし、上記した従来技術の防虫具は、使いにくく、また、製造しにくいものであった。
すなわち、上記の従来技術の防虫具は、常温揮発性防虫成分が紙やゴムなどに保持され、使用の際には紙やゴムを外気に触れる状態として防虫成分を揮発させるものである。従って、使用者が、常温揮発性防虫成分を保持している紙やゴムなどの部分に誤って触れることが多かった。
また、特許文献１に記載の防虫具では、その形状が、円筒の束ねた形状、隙間を有した状態として巻いた形状、紙片を折り曲げた形状等である。そのため、特許文献１に記載の防虫具は、嵩張って、携帯するには不便であった。
また、特許文献２に記載の防虫具についても同様であり、使用する際に折り畳まれている状態を広げて使用するものであるが、相当に嵩張って、携帯するには不便であった。
【００１０】
また上記の従来技術の防虫具は、防虫効果の持続及び調節は困難であった。すなわち、上記の従来技術の防虫具は、常温揮発性防虫成分が紙やゴムなどに保持されているので、同じ大きさでは防虫成分を保持する量に限界がある。そのため、携帯可能な大きさでは防虫効果の持続が難しい。また、揮発部分の調節は揮発部分の面積を変えることが容易でなく、防虫効果の調節は難しい。
【００１１】
そこで本発明は、常温揮発性防虫成分に誤って触れることが少なく、携帯しやすく、携帯可能な大きさで防虫効果の持続が可能である防虫具を提供することを課題とする。
【課題を解決するための手段】
【００１２】
そして上記した目的を達成するための発明は、その基本構成として携行可能であって内部に薬剤を内蔵した容器を有し、当該容器には内部の薬剤を外部に露出させる薬剤露出部と、薬剤露出部を遮蔽する密閉手段が設けられ、前記薬剤には防虫効果を有して常温で揮発する有効成分が含有されている防虫具である。
ここで、薬剤とは、有効成分自体、又は、有効成分を溶剤などで分散させた液体状、ゲル状、固体状のものである。また、防虫効果を有する有効成分とは、揮発することにより有害な昆虫に対して殺虫又は昆虫忌避の効果を有する薬品のことである。
【００１３】
上記した基本構成によれば、内部に薬剤を内蔵した容器を有し、当該容器には内部の薬剤を外部に露出させる薬剤露出部と、薬剤露出部を遮蔽する密閉手段が設けられ、前記薬剤には防虫効果を有して常温で揮発する有効成分が含有されているので、薬剤露出部から防虫効果を有する有効成分を揮発させることにより、有害な昆虫に対して殺虫又は昆虫忌避することができる。
また本発明の防虫具は、携行可能であるので、防虫具を携帯して使用することができる。
また本発明の防虫具では、薬剤は容器の中に内蔵されているので使用者が誤って触れることが少ない。
さらに揮発を調節するための薬剤放出部の大きさを可変できるようにした構成を付加すれば、防虫効果を調節することもできる。
【００１４】
密閉手段を開放状態にしたとき、薬剤露出部においては薬剤が外気と接触可能であり、薬剤は薬剤露出部から外気に放出されるものでもよい。
【００１５】
上記した構成によれば、密閉手段を開放状態にしたとき、薬剤露出部においては薬剤が外気と接触可能であり、薬剤は薬剤露出部から揮発して外気に放出される。一方、本発明では、薬剤露出部を遮蔽すると有効成分は揮発せず、不使用時に有効成分が無駄に揮発することはない。
【００１６】
薬剤露出部には塗布部材が設けられ、塗布部材によって他部に薬剤を塗布可能であってもよい。
【００１７】
上記した構成によれば、薬剤露出部に塗布部材が設けられ、塗布部材によって他部に薬剤を塗布可能であるので、防虫具の薬剤塗布部から、薬剤を塗布することができ、さらに、塗布された部分から防虫効果を有する有効成分が放出されて、有害な昆虫に対して殺虫又は昆虫忌避をすることができる。
また薬剤を広い面積に塗布すれば、当該広い面積から薬剤が揮発し、周辺部の薬剤濃度を高めることができる。
【００１８】
薬剤露出部は、多孔質体又は繊維束又は貫通孔を有する部材によって構成され、その表面に薬剤を露出させるものであってもよい。
【００１９】
上記した構成によれば、薬剤露出部は、多孔質体又は繊維束又は貫通孔を有する部材によって構成され、その表面に薬剤を露出させるものであるので、液状の有効成分を用いた場合等には、外部に飛散することなく、有効成分の揮発が容易となる。
また薬剤を塗布する構成に本発明を採用することも推奨され、薬剤露出部に露出した薬剤を他の部材に容易に塗布することができる。
【００２０】
薬剤露出部は回転可能なボール或いはローラによって構成されているものであってもよい。
【００２１】
上記した構成によれば、薬剤露出部は回転可能なボール或いはローラによって構成されているので、薬剤の塗布が容易である。
【００２２】
薬剤は、容器内部に直接的に保持されているものであってもよい。
【００２３】
上記した構成によれば、薬剤は、薬剤保持部材を有さず、容器内部に直接的に保持されているので、薬剤の容器への充填が容易であり、また、大量の薬剤を充填することができる。
【００２４】
容器には薬剤貯留部が設けられ、薬剤は流動性を有し、薬剤貯留部と薬剤露出部の間に薬剤導出部材が設けられ、薬剤導出部材を介して薬剤貯留部の薬剤が薬剤露出部に導かれるものであってもよい。
【００２５】
上記した構成によれば、容器には薬剤貯留部が設けられ、薬剤は流動性を有し、薬剤貯留部と薬剤露出部の間に薬剤導出部材が設けられ、薬剤導出部材を介して薬剤貯留部の薬剤が薬剤露出部に導かれるので、薬剤貯留部から薬剤露出部への導出が容易に行うことができる。
【００２６】
容器内部には薬剤保持部材を有し、さらに薬剤は流動可能であって、薬剤保持部材に保持されていてもよい。
【００２７】
上記した構成によれば、容器内部には薬剤保持部材を有し、さらに薬剤は流動可能であって、薬剤保持部材に保持されているので、防虫具を携行する際に、容器内で薬剤が移動することがない。また薬剤保持部材を容器とは別部材にすることにより薬剤保持部材をカートリッジ式に交換可能とすることもできる。
【００２８】
薬剤保持部材は繊維により構成されたものであってもよい。
【００２９】
上記した構成によれば、薬剤保持部材は繊維により構成されているので、薬剤保持部材は多くの薬剤を保持することができる。
【００３０】
容器には、貯留タンク部と一時的薬剤溜め部が設けられていもよい。
【００３１】
上記した構成によれば、容器には、貯留タンク部と一時的薬剤溜め部が設けられているので、容器内の圧力変化に応じ、圧力が高くなると一時的薬剤溜め部に薬剤が貯まって、余分な薬剤の揮発や薬剤の洩れを押さえることができる。
【００３２】
容器は筒状体であり、薬剤露出部は、筒状体の端部にあるものであってもよい。
【００３３】
上記した構成によれば、容器は筒状体であり、薬剤露出部は、筒状体の端部にあるので、容器の製造が容易であり、携行もしやすい。
【００３４】
容器は、内部に薬剤を内蔵する容器本体を有し、容器本体の内部に薬剤を含浸可能な薬剤保持部材が内蔵され、薬剤は、前記薬剤保持部材に含浸されて保持され、容器本体には薬剤を導出可能な薬剤導出部材が装着されており、当該薬剤導出部材の一部は前記薬剤保持部材と接し、薬剤導出部材の他の一部は容器本体から露出しているものであってもよい。
【００３５】
上記した構成によれば、当該薬剤導出部材の一部は前記薬剤保持部材と接し、薬剤導出部材の他の一部は容器本体から露出しているので、薬剤導出部材を介して、薬剤の揮発が可能である。
【００３６】
薬剤露出部は、薬剤の露出面積を調節することが可能であるものであってもよい。
【００３７】
上記した構成によれば、薬剤露出部は、薬剤の露出面積を調節することが可能であるので、薬剤の揮発量の調整が容易にすることができる。
【００３８】
薬剤露出部は、窓部を有し、当該窓部の開口面積が可変であるものであってもよい。
【００３９】
上記した構成によれば、薬剤露出部は、窓部を有し、当該窓部の開口面積が可変であるので、薬剤の蒸散量を容易に可変することができる。
【００４０】
容器は、内部に薬剤を内蔵する容器本体を有し、容器内には液状の薬剤が流動性を有する状態で内蔵され、容器本体には薬剤を導出可能な薬剤導出部材と弁機構が設けられ、所定の動作に応じて弁機構が開き、内部の薬剤が薬剤導出部材を経て漏出し、容器本体から露出するものであってもよい。
【００４１】
上記した構成によれば、弁機構が設けられており、所定の動作に応じて弁機構が開き、内部の薬剤が薬剤導出部材を経て漏出し、容器本体から露出するので、弁機構の動作により、薬剤を供給することができる。また本発明では、弁機構を採用するため、薬剤の過度の漏出が少ない。すなわち本発明によると、必要な時に適切な量の薬剤を漏出させることができる。
【００４２】
容器には、流動性を有する薬剤が液密状態で内蔵される薬剤保持部を有し、当該薬剤保持部にはフォロア部材が設けられ、薬剤の消耗に応じてフォロア部材が移動するものであってもよい。
【００４３】
フォロア部材は、ゲル状であってもよい。
【００４４】
上記した構成によれば、フォロア部材によって、薬剤保持部から流出しにくく、また、薬剤は空気に触れることがないので、薬剤の劣化が少ない。
【００４５】
容器は、内部に薬剤を内蔵する容器本体を有し、容器内には液状の薬剤が流動性を有する状態で内蔵され、容器本体には薬剤を導出可能な薬剤導出部材が設けられ、さらに薬剤導出部材には別途用意の薬剤放散部材が装着可能であってもよい。
【００４６】
上記した構成によれば、薬剤導出部材に薬剤放散部材が装着可能であるので、より大きな面積から薬剤を揮発させることが可能である。
【００４７】
携行可能であって内部に薬剤を内蔵した容器を有し、当該容器には内部の薬剤を外部に露出させる薬剤露出部と、薬剤露出部を遮蔽する密閉手段が設けられ、前記薬剤には防虫効果を有して常温で揮発する有効成分が含有されていることを特徴とする防虫具であって、容器は、内部に薬剤を内蔵する容器本体と、容器本体と分離可能であって少なくとも２通りの装着状態をもって容器本体に装着可能な密閉手段たるキャップ兼薬剤放出部を有し、容器本体内には液状の薬剤が流動性を有する状態で内蔵され、容器本体には薬剤を導出可能な薬剤導出部材が設けられ、前記キャップ兼薬剤放出部は筒状であって両側の端部が開口し、且つキャップ兼薬剤放出部内には仕切部がありさらに他の開口部があり、キャップ兼薬剤放出部の仕切部と前記他の開口部と胴部と一端の開口とに囲まれた空間に薬剤の放散を助ける薬剤放散部材が設けられ、キャップ兼薬剤放出部を特定の姿勢で容器本体に装着することによって薬剤導出部が遮蔽され、他の特定の姿勢で容器本体に装着した際には薬剤放散部材が薬剤導出部に接触して薬剤導出部から薬剤放散部材に薬剤が供給され、前記他に開口部から薬剤が外部に拡散されるものであってもよい。
【００４８】
上記した構成によれば、容器本体と分離可能であって少なくとも２通りの装着状態をもって容器本体に装着可能な装着部材を有し、装着部材を特定の姿勢で容器本体に装着すると薬剤導出部が遮蔽され、他の特定の姿勢で容器本体に装着した際には薬剤放散部材に薬剤導出部から薬剤が供給されるので、装着部材の姿勢により、薬剤の蒸散・密閉が可能となる。また本発明によると、薬剤は、薬剤放散部材から揮発することとなり、より大きな揮発面積を確保することができる。
【００４９】
容器は、変形可能な変形部を有し、当該変形部を押圧することによって容器内部の薬剤を導出可能であってもよい。
【００５０】
上記した構成によれば、容器は、変形可能な変形部を有し、当該変形部を押圧することによって容器内部の薬剤を導出可能であるので、簡単な操作で薬液の導出ができる。
【００５１】
容器は、加圧手段を有し、当該加圧手段によって容器内部が加圧されて薬剤が導出されるものであってもよい。
【００５２】
上記した構成によれば、容器は、加圧手段を有し、当該加圧手段によって容器内部が加圧されて薬剤が導出されてより確実に薬剤を導出することができる。
【００５３】
本発明に関連する発明としては、内部に柱状の薬剤を有した容器を備え、当該容器には、容器内部と連通する開口と、前記開口を外部と遮断する密閉部が設けられており、密閉部は開閉可能であり、前記薬剤は、前記開口から容器外部に繰り出し可能であり、前記薬剤には防虫効果を有して常温で揮発する有効成分が含有されていることを特徴とする防虫具がある。
【００５４】
上記した構成によれば、開口から容器外部に繰り出し可能な柱状の薬剤を有しているので、繰り出し操作により薬剤を開口から突出させることができる。そして開口から突出した薬剤を他の部材に塗り付けたり、突出した薬剤から直接的に有効成分を揮発させて防虫することが可能である。突出した薬剤から直接的に有効成分を揮発させて防虫する場合、容器外部に引き出す長さを変えることにより、防虫効果を調節することもできる。
【００５５】
容器は、容器本体と、容器本体に対して回転可能な操作部と、容器本体内に位置するネジ部材を有し、操作部の回転に応じてネジ部材が回転し、当該ネジ部材が発生する推力によって薬剤が容器本体から繰り出されるものであってもよい。
【００５６】
上記した構成によれば、薬剤は、操作部の回転に応じてネジ部材が回転し、当該ネジ部材が発生する推力によって容器本体から繰り出されるので、簡単な構造により繰り出しが可能である。
【００５７】
防虫効果を有して常温で揮発する有効成分を含有し、固形形状に成形された薬剤を有し、当該薬剤の表面に所定量づつ剥離可能な被覆が設けられてなる防虫具であって、巻紙及び解除糸を有し、薬剤は柱状であって、巻紙により巻き付けられており、解除糸は、巻き付けられた巻紙の間に位置しており、解除糸を引っ張ると巻紙が徐々に外れるものであってもよい。
【００５８】
上記した構成によれば、防虫効果を有して常温で揮発する有効成分を含有し、固形形状に成形された薬剤を有し、当該薬剤の表面に所定量づつ剥離可能な被覆が設けられているので、薬剤の消耗により露出部分が少なくなった場合には、被覆を剥離することにより露出部分を増やすことができる。
【００５９】
また請求項１に記載の発明は、棒状に成形された薬剤が内蔵された容器を有し、前記薬剤は、防虫効果を有して常温で揮発する有効成分を含有し、前記容器には前記薬剤を押圧する押圧手段と、薬剤の保持及び開放が可能なチャック手段を有し、押圧手段によって薬剤を押圧して薬剤を繰り出し、チャック手段が薬剤を保持して薬剤の後退を阻止することを特徴とする防虫具である。
【００６０】
請求項１に記載の発明によれば、チャック手段を有し、押圧手段によって薬剤を押圧して薬剤を繰り出し、チャック手段が薬剤を保持して薬剤の後退を阻止するので、繰り出しが確実となり、また、防虫具の使用時には後退を阻止するので、塗布などの際にも、作業しやすい。
【００６１】
請求項２に記載の発明は、薬剤を加熱する加熱手段を備えることを特徴とする請求項１に記載の防虫具である。
【００６２】
請求項２に記載の発明によれば、薬剤を加熱する加熱手段を備えているので、より多くの薬剤の蒸散が可能である。
【００６３】
請求項３に記載の発明は、容器は、内部に薬剤を内蔵する容器本体と、容器本体と分離可能であって、容器本体に装着されて密閉手段を構成するキャップにより構成されることを特徴とする請求項１又は２に記載の防虫具である。
【００６４】
請求項３に記載の発明によれば、容器本体に装着されて密閉手段を構成するキャップを有しているので、簡単な構造により、密閉手段を設けることができる。
【００６５】
請求項４に記載の発明は、容器には、他のものに取り付けるための係止具が設けられていることを特徴とする請求項１乃至３のいずれかに記載の防虫具である。
【００６６】
請求項４に記載の発明によれば、容器には係止具を有するので、防虫具を携帯して使用する場合には、引っかけて携帯することができる。
【００６７】
請求項５に記載の発明は、容器は板状の容器であり、薬剤露出部は面状に設けられていることを特徴とする請求項１乃至４のいずれかに記載の防虫具である。
【００６８】
請求項５に記載の発明によれば、容器は板状の容器であり、薬剤露出部は面状に設けられているので、防虫具を小さくしつつ、広い面積の薬剤露出部を設けることが可能である。
【００６９】
請求項６に記載の発明は、薬剤露出部を遮蔽する密閉手段は、変形可能なシート部材により行われるものであり、前記シート部材は引きはがし可能であり、引き剥がすことにより、薬剤露出部の遮蔽を解除することを特徴とする請求項１乃至５のいずれかに記載の防虫具である。
【００７０】
請求項６に記載の発明によれば、薬剤露出部を遮蔽する密閉手段を、変形可能なシート部材により行って、前記シート部材は引きはがし可能として、シート部材を引き剥がすことにより、薬剤露出部の遮蔽を解除することができるので、シート部材の引き剥がし程度をかえることにより薬剤の蒸散を調節することができる。
【００７１】
請求項７に記載の発明は、容器は、直接的に装着、又は被服の上から装着することが可能であることを特徴とする請求項１乃至６のいずれかに記載の防虫具である。
【００７２】
請求項７に記載の発明によれば、容器は、直接的に装着、又は被服の上から装着することが可能であるので、防虫具の携帯を容易に行うことができる。
【００７３】
請求項８に記載の発明は、容器には、他の部材に対して着脱可能な着脱部材が設けられていることを特徴とする請求項１乃至７のいずれかに記載の防虫具である。
【００７４】
請求項８に記載の発明によれば、容器に、他の部材に対して着脱可能な着脱部材が設けられているので、防虫具を被服の上からの装着を容易に行うことができる。なお、着脱する対象は被服などでも良く、防虫する場所にあるもの、例えば、野外のテントなどでもよい。
【００７５】
請求項９に記載の発明は、容器の一部又は全部は、生分解性樹脂を素材とするものであることを特徴とする請求項１乃至８のいずれかに記載の防虫具である。
【００７６】
請求項９に記載の発明によれば、容器の一部又は全部は、生分解性樹脂を素材とするものであるので、使用後の防虫具の廃棄の際、生分解によって処理することができる。
【００７７】
本発明に関連する発明としては、携行可能であると共に身体又は被服に装着可能な本体部材を有し、当該本体部材には薬剤を外部に露出させる薬剤露出部が設けられ、前記薬剤には防虫効果を有して常温で揮発する有効成分が含有され、薬剤は薬剤露出部から外気に放出されることを特徴とする防虫具がある。
【００７８】
上記した構成によれば、薬剤露出部が設けられ、携行可能であると共に身体又は被服に装着可能な本体部材を有して、薬剤は薬剤露出部から外気に放出されることができるので、薬剤露出部から防虫効果を有する有効成分を揮発させることにより、有害な昆虫に対して殺虫又は昆虫忌避することができる。また本発明の防虫具は携行可能であるので、防虫具を携帯して使用することができる。
【００７９】
請求項１０に記載の発明は、薬剤露出部を遮蔽する密閉手段を有し、当該密閉手段は、変形可能なシート部材により行われるものであり、前記シート部材は引きはがし可能であり、引き剥がすことにより、薬剤露出部の遮蔽を解除することを特徴とする請求項１乃至９のいずれかに記載の防虫具である。
【００８０】
請求項１０に記載の発明によれば、薬剤露出部の遮蔽をする密閉手段を、変形可能なシート部材により行って、前記シート部材を引き剥がして薬剤露出部の遮蔽を解除することができるので、薬剤露出部の遮蔽を解除して、簡単に防虫具を使用することができる。
【００８１】
本発明に関連する発明としては、携行可能であり且つ気密性を有する袋体を有し、当該袋体は、気密性を解除して密閉状態を解除することができ、当該袋体には繊維に含浸された薬剤が内蔵され、当該薬剤には、人体に有害な虫に対する防虫効果を有して常温で揮発する有効成分が含有されていることを特徴とする防虫具がある。
【００８２】
上記した構成によれば、気密性を解除して密閉状態を解除することができ、携行可能であり且つ気密性を有する袋体を有しているので、袋体の密閉状態を解除するだけで防虫具の使用ができる。
【００８３】
本発明に関連する発明としては、携行可能であり且つ通気性を有する袋体を有し、当該袋体には薬剤が内蔵され、当該薬剤には、人体に有害な虫に対する防虫効果を有して常温で揮発する有効成分が含有されていることを特徴とする防虫具がある。
【００８４】
上記した構成によれば、携行可能であり且つ通気性を有する袋体を有し、当該袋体には薬剤が内蔵され、当該薬剤には、人体に有害な虫に対する防虫効果を有して常温で揮発する有効成分が含有されているので、袋体を携行することにより防虫が可能となる。
【００８５】
袋体内部には薬剤含浸部材が設けられ、薬剤は、液状であり、薬剤含浸部材に含浸されていてもよい。
【００８６】
上記した構成によれば、袋体内部に薬剤含浸部材を設け、液状の薬剤を薬剤含浸部材に含浸しているので、液体の薬剤であっても、通気性を有する袋体に薬剤を内蔵することができる。
【００８７】
袋体には、着脱可能な着脱部材が設けられていてもよい。
【００８８】
上記した構成によれば、袋体に着脱部材を設けられ、着脱することができるので、防虫具を被服などに容易に固定することができる。
【００８９】
請求項１１に記載の発明は、有効成分は、Ｄｏｎｏｖａｎ法による２５℃における蒸気圧が１×１０-5〜５×１０-3mmHgであることを特徴とする請求項１乃至１０のいずれかに記載の防虫具である。
【００９０】
請求項１１に記載の発明によれば、有効成分は、Ｄｏｎｏｖａｎ法による２５℃における蒸気圧が１×１０-5〜５×１０-3mmHgであるので、揮発しやすく、また、薬剤放出部を大きくすることなく防虫効果を高めることができる。
【００９１】
請求項１２に記載の発明は、有効成分は、ピレスロイド系化合物であることを特徴とする請求項１乃至１１のいずれかに記載の防虫具である。
【００９２】
請求項１２に記載の発明によれば、有効成分は、ピレスロイド系化合物であるので、防虫具に使用した際には、昆虫等に対しては微量で防虫効果が優れるものであり、人に対しては、安全性が高い。
【００９３】
請求項１３に記載の発明は、ピレスロイド系化合物が、Ｄｏｎｏｖａｎ法による２５℃における蒸気圧が１×１０-5〜５×１０-3mmHgであることを特徴とする請求項１２に記載の防虫具である。
【００９４】
請求項１３に記載の発明によれば、有効成分は、Ｄｏｎｏｖａｎ法による２５℃における蒸気圧が１×１０-5〜５×１０-3mmHgであるので、揮発しやすく、また、薬剤放出部を大きくすることなく防虫効果を高めることができる。
【００９５】
請求項１４に記載の発明は、薬剤には昇華性染料が配合されていることを特徴とする請求項１乃至１３のいずれかに記載の防虫具である。
【００９６】
請求項１４に記載の発明によれば、薬剤の有効成分と共に昇華性染料が昇華するので、薬剤の有効期間を知ることができる。
【００９７】
請求項１５に記載の発明は、請求項１乃至１４のいずれかに記載の防虫具を用い、防虫を行う場所で、前記防虫具の密閉部を開けて薬剤放出部から有効成分を有する薬剤を大気中に揮発させることにより有害生物を防除することを特徴とする防虫方法である。
【００９８】
請求項１６に記載の発明は、請求項１乃至１４のいずれかに記載の防虫具を用い、防虫を行う場所に薬剤塗布部を接触させて薬剤を塗布し、有効成分を有する薬剤を大気中に揮発させることにより有害生物を防除することを特徴とする防虫方法である。
【００９９】
請求項１５及び１６に記載の防虫方法によれば、上記の防虫具を用いて有害生物を防除することができる。
【発明の効果】
【０１００】
本発明は、上述の通り構成されており、常温揮発性防虫成分に誤って触れることが少なく、携帯しやすく、携帯可能な大きさで防虫効果の持続が可能であり、さらに、防虫効果の調節が容易にできる防虫具を提供することができる。
【図面の簡単な説明】
【０１０１】
【図１】（ａ）、（ｂ）は本発明の第１の実施形態（関連発明）における防虫具の平面図及び正面図である。
【図２】（ａ）は、Ａ−Ａ断面における本発明の第１の実施形態（関連発明）における防虫具の断面図であり、（ｂ）は、（ａ）の部分拡大断面図である。
【図３】本発明の他の実施形態（関連発明）の防虫具の斜視図である。
【図４】本発明の他の実施形態（関連発明）の防虫具の断面図である。
【図５】本発明の他の実施形態（関連発明）の防虫具の断面図である。
【図６】本発明の他の実施形態（関連発明）の防虫具の断面図である。
【図７】（ａ）、（ｂ）は本発明の第２の実施形態（関連発明）における防虫具の平面図及び正面図である。
【図８】本発明の第２の実施形態（関連発明）における防虫具のＢーＢ面における断面図である。
【図９】図８に示す防虫具の、薬剤を繰り出した状態での断面図である。
【図１０】本発明の第２の実施形態（関連発明）における防虫具の分解図であり、（ａ）はキャップの断面図であり、（ｂ）は薬剤の断面図であり、（ｃ）は容器の断面図である。
【図１１】本発明の第３の実施形態（関連発明）における防虫具の斜視図である。
【図１２】本発明の第３の実施形態（関連発明）における防虫具の薬剤放散部材と保持部を示している斜視図である。
【図１３】本発明の第４の実施形態（関連発明）における防虫具の斜視図である。
【図１４】本発明の第４の実施形態（関連発明）における防虫具の不使用状態の部分断面図である。
【図１５】本発明の第４の実施形態（関連発明）における防虫具の使用状態における斜視図である。
【図１６】本発明の第４の実施形態（関連発明）における防虫具の使用状態の部分断面図である。
【図１７】本発明の第５の実施形態（関連発明）における防虫具の斜視図である。
【図１８】本発明の第６の実施形態（関連発明）における防虫具の斜視図である。
【図１９】本発明の第７の実施形態（関連発明）における防虫具の斜視図である。
【図２０】本発明の第８の実施形態（関連発明）における防虫具の断面図である。
【図２１】本発明の第９の実施形態（関連発明）における防虫具の断面図である。
【図２２】本発明の第９の実施形態（関連発明）の変形例における防虫具の断面図である。
【図２３】本発明の第１０の実施形態（関連発明）における防虫具の断面図である。
【図２４】本発明の第１１の実施形態（関連発明）における防虫具の斜視図である。
【図２５】本発明の第１２の実施形態（関連発明）における防虫具の斜視図である。
【図２６】本発明の第１３の実施形態（請求項１に記載の発明）における防虫具の斜視図である。
【図２７】本発明の第１３の実施形態（請求項１に記載の発明）における防虫具の部分断面図である。
【図２８】本発明の試験例１及び試験例２に用いるカップの斜視図である。
【図２９】本発明の試験例１の状態を示した防虫具及びカップの斜視図である。
【図３０】本発明の試験例２の状態を示した濾紙及びカップの斜視図である。
【図３１】（ａ）及び（ｂ）は、本発明の第１４の実施形態における防虫具の斜視図である。
【図３２】本発明の第１５の実施形態（関連発明）における防虫具の斜視図である。
【図３３】本発明の第１５の実施形態（関連発明）における防虫具の変形例を示した斜視図である。
【図３４】本発明の第１６の実施形態（関連発明）における防虫具の斜視図である。
【図３５】本発明の第１７の実施形態（関連発明）における防虫具の正面図である。
【図３６】本発明の第１８の実施形態（関連発明）における防虫具の斜視図である。
【図３７】本発明の第１９の実施形態（関連発明）における防虫具の正面図である。
【図３８】本発明の第２０の実施形態（関連発明）における防虫具の側面図である。
【図３９】本発明の第２１の実施形態（関連発明）における防虫具の斜視図である。
【図４０】本発明の第２２の実施形態（関連発明）における防虫具の斜視図である。
【図４１】本発明の第２３の実施形態（関連発明）における防虫具の斜視図である。
【図４２】本発明の第２４の実施形態（関連発明）における防虫具の正面図である。
【図４３】本発明の第２５の実施形態（関連発明）における防虫具の正面図である。
【図４４】本発明の第２６の実施形態（関連発明）における防虫具の斜視図である。
【図４５】本発明の第２６の実施形態（関連発明）における防虫具の袋体を示した斜視図である。
【図４６】図４５の内部を示した斜視図である。
【図４７】本発明の第２７の実施形態（関連発明）における防虫具の断面斜視図である。
【図４８】本発明の第２８の実施形態（関連発明）における防虫具の正面図である。
【図４９】本発明の第２８の実施形態（関連発明）における防虫具の使用状態を示した斜視図である。
【発明を実施するための形態】
【０１０２】
以下さらに本発明の具体的実施例及び関連発明の実施例について説明する。
以下に説明する防虫具は、いずれも携行可能である。防虫具の大きさは、ポケットに入る程度のものが推奨される。より具体的には、全長が１５０ｍｍ以下程度であって重量が５０グラム以下が望ましく、より推奨される大きさは、全長が１２０ｍｍ以下程度であって重量が２０グラム以下が望ましい。
【０１０３】
図１（ａ）、（ｂ）は本発明の第１の実施形態（関連発明）における防虫具の平面図及び正面図である。図２（ａ）は、Ａ−Ａ断面における本発明の第１の実施形態における防虫具の断面図であり、（ｂ）は、（ａ）の部分拡大断面図である。図３は、本発明の他の実施形態の防虫具の斜視図である。図４は、本発明の他の実施形態（関連発明）の防虫具の断面図である。図５は、本発明の他の実施形態（関連発明）の防虫具の断面図である。図６は、本発明の他の実施形態（関連発明）の防虫具の断面図である。
【０１０４】
本発明の第１の実施形態（関連発明）である防虫具１は、図１に示される構造である。防虫具１は、ラインマーカに似た構造をしている。
そして、防虫具１は容器８を有している。また、容器８は、円筒状の容器である容器本体１１と、容器本体１１の先端側に取り付けられるキャップ１０から成る。容器８の長さは約１５０ｍｍ程度である。そして、容器本体１１は、クリップ１２を備えている。
【０１０５】
クリップ１２は、他のものに取り付けるための係止具であり、容器本体１１の胴部に位置している。そして、クリップ１２と容器本体１１の胴部との間に被服のポケットなどの布地を挟むことが可能である。そして防虫具１を被服に固定することができるので、被服を着用した者が携帯する際に、落としにくい。
【０１０６】
なお、容器８及びキャップ１０の材質は、後述する薬剤２２が接触しても、影響のない材質が望ましい。例えば、ポリエチレン樹脂、ポリプロピレン樹脂、ポリアミド系樹脂、ポリスチレン樹脂、ポリアセタール樹脂、ポリエチレンテレフタレート樹脂などの樹脂や、アルミニウム、ステンレス等の金属が使用でき、特にポリアミド系樹脂が望ましい。
【０１０７】
さらに、容器８及びキャップ１０の材質を生分解性プラスチックを用いることにより、容器８及びキャップ１０がバクテリアなどにより分解するので環境に優しい。生分解プラスチックスとしては、でんぷんが添加されているでんぷん系、微生物が生成するポリエステルなどを成分とする微生物系、化学合成により製造される化学合成系などがある。なお、本発明の他の実施形態においても、同様な材質を用いることができる。
【０１０８】
防虫具１の内部の構造について、図２を用いて詳しく説明する。
容器本体１１は、先端側（図２において上側）に開口部１５を有する円筒状の筒型の容器であり、さらに、先端側の胴部は縮径部１６を有して、縮径部１６は後端側より外径が小さい。そして、縮径部１６には、本体側突起１７を有している。本体側突起１７は周状に設けられ、キャップ１０を容器本体１１に取り付けた際にはキャップ１０の内側に密着する。
【０１０９】
そして、図２のように、容器本体１１には内側に内部空間１９を有しており、内部空間１９には、中芯部材１８を有している。中芯部材１８は、円柱状をしており、中芯覆い部２０と繊維部２１からなる。中芯覆い部２０は樹脂製のフィルムであり円筒状しており、繊維部２１を覆っている。中芯部材１８は、薬液貯留部となる。
また、繊維部２１はポリエステル繊維、ポリアクリル繊維、綿などの繊維を円柱状にしたものであり、後述する有効成分を分散させた薬剤２２をしみこませている。すなわち繊維部２１には薬剤が含浸され、繊維部２１は薬剤保持部材として機能する。
【０１１０】
薬剤２２は液体状である。薬剤２２には防虫効果を有して常温で揮発する有効成分が含まれている。そして、防虫効果を有して常温で揮発する有効成分の具体例として、エンペントリン、２，３，５，６−テトラフルオロ−４−メトキシメチルベンジル  ３−（１−プロペニル）−２，２−ジメチルシクロプロパンカルボキシラート（以下、化合物（Ａ）と記すこともある。）、２，３，５，６−テトラフルオロ−４−メトキシメチルベンジル  ３−（２−メチル−１−プロペニル）−２，２−ジメチルシクロプロパンカルボキシラート、１−エチニル−２−メチル−２−ペンテニル  ３−（２−クロロ−２−フルオロビニル）−２，２−ジメチルシクリプロパン−１−カルボキシラート、２，３，５，６−テトラフルオロ−４−メチルベンジル  ３−（２−メチル−１−プロペニル）−２，２−ジメチルシクロプロパンカルボキシラート、２，３，５，６−テトラフルオロ−４−メチルベンジル  ３−（２−クロロ−２−フルオロビニル）−２，２−ジメチルシクロプロパンカルボキシラート、２，３，５，６−テトラフルオロ−４−メチルベンジル  ３−（１−プロペニル）−２，２−ジメチルシクロプロパンカルボキシラート、１−エチニル−２−フルオロ−２−ペンテニル  ３−（２，２−ジクロロビニル）−２，２−ジメチルシクロプロパンカルボキシラート、１−エチニル−２−メチル−２−ペンテニル  ３−（２，２−ジクロロビニル）−２，２−ジメチルシクロプロパンカルボキシラート、トランスフルスリン、テラレトリン、フラメトリン、テフルスリン、プラレトリン、アレスリン等のピレスロイド系化合物、フェニトロチオン、ジクロロボス等の有機リン系化合物、ＢＰＭＣ，メトキサジアゾン等のカーバメート系化合物、メソプレン、ハイドロプレン等の幼若ホルモン様化合物、３，４−カランジオール、Ｎ，Ｎ−ジエチル−ｍ−トルアミド、ｐ−メンタン−３，８−ジオール、ヒソップ油の植物精油等がある。
これらの有効成分の多くは常温で液体であり、そのまま薬剤としても使用可能である。
また、本発明に使用する有効成分は、Ｄｏｎｏｖａｎ法による２５℃における蒸気圧が１×１０-5〜５×１０-3mmHgであることが望ましい。
ここで、Ｄｏｎｏｖａｎ法とは、New method for estimating vapor pressure by the use of gas chromatography : Journal of Chromatography A. 749 (1996) 123-129 にてStephen F.Donovan 氏によって報告された方法である。
【０１１１】
通常、常温で液体の有効成分はそのまま後述のような有効成分を保持するための容器に充填して用いることができるが、当該有効成分をエタノール、イソプロピルアルコールなどのアルコール類、ポリエチレングリコール、１，３−ブチレングリコール、エチレングリコールモノブチルエーテル、プロピレングリコールモノメチルエーテル、ジプロピレングリコールモノメチルエーテルなどの多価アルコール類、イソペンタン、軽質イソパラフィンや軽質流動イソパラフィン（出光石油化学：ＩＰソルベント１６２０、２０２８、２８３５  エクソンモービル：アイソパーＥ、Ｇ、Ｈ、Ｌ、Ｍ）、ＪＩＳ１号灯油や２号灯油、アルキルベンゼンなどの炭化水素系溶剤、酢酸エチル、ミリスチン酸イソプロピル、アジピン酸ジイソプロピル、クエン酸トリブチルアセテートなどのエステル類、のうちから選択したいずれか、又は、それらの混合物で適宜希釈して得られる薬液を前記容器８に充填して用いることもできる。
【０１１２】
また、薬剤２２に、染料などの着色剤を添加しても良い。かかる場合には、透明な容器を用いて、使用時に薬剤２２の残量が容易に判断することができる。特に、薬剤２２を塗布して用いる防虫具の着色剤として昇華性染料を用いた場合には都合がよい。すなわち、薬剤２２の使用と共に着色剤が昇華するため、塗布した部分の色を確認することにより防虫効果の指標とすることができ、また、使用後に着色剤が残ることはなく、塗布した場所を汚すことはない。
【０１１３】
さらに、容器本体１１の開口部１５付近には、繊維束２３を有している。
繊維束２３は略柱状であり、先端側の端部は斜状となっており、軸方向に垂直な面に対して角度を有している。繊維束２３の外径は、開口部１５の内径に略等しい。そして、繊維束２３は、開口部１５に密着した状態で貫通している。さらに、繊維束２３は、容器本体１１の内部側では、中芯部材１８の繊維部２１と中芯接触部２３ａで接触し、容器本体１１の外部側では、開口部１５より外に露出し、露出部２３ｂを有している。
本実施形態では、繊維束２３と中芯部材１８が別部材であるが、一体であっても良い。
【０１１４】
また、キャップ１０は、容器本体１１と着脱することができ、キャップ１０を付けると露出部２３ｂは密閉されて、キャップ１０は密閉手段となって露出部２３ｂを遮蔽する。また、キャップ１０を外すと露出部２３ｂは開放される。
キャップ１０は、容器本体１１の先端側に取り付けられるものであり、外径は容器本体１１の外径と略同一である。そして、内部は、内径が２段になっており、後端側の後端側内部２７の内径は、容器本体１１の縮径部１６の外径と略同一である。さらに、図２（ｂ）のように、後端側内部２７には、キャップ１０をかぶせた状態で、容器本体１１の本体側突起１７に対応する位置よりも後端側の位置にキャップ側突起２９を有し、また、本体側突起１７に対応する位置よりも先端側には、シール突起３０を有している。そして、キャップ１０が容器本体１１にかぶせられると、本体側突起１７がキャップ側突起２９を乗り越えて固定され、さらに、容器本体１１の縮径部１６とシール突起３０が密着する。
【０１１５】
次に、防虫具１を使用する方法について説明する。
防虫具１を使用する際には、防虫を行う場所でキャップ１０を外す。すると、露出部２３ｂが密閉状態から開放される。
一方、繊維束２３は中芯接触部２３ａで中芯部材１８に繊維部２１と接触しているので、毛細管現象により薬剤２２が吸い上げられ、さらに、露出部２３ｂまで吸い上げられ、薬剤は露出部２３ｂの表面に露出する。すなわち本実施形態では、繊維束２３は露出部２３ｂに薬剤を導出する薬剤導出部材としての機能と、薬剤を表面に露出させる薬剤露出部としての機能を兼ね備える。
したがって、キャップ１０を外すと、薬剤２２は外気と接触可能となり、薬剤２２は揮発し始めることとなる。そして、防虫効果を有する有効成分であるエンペントリンが揮発して防虫効果を発揮する。このとき、前記した様に露出部２３ｂは、薬剤放出部２５として機能する。
【０１１６】
また、露出部２３ｂから薬剤２２が放出されると、さらに毛細管現象によって露出部に薬剤２２が移動する。薬剤２２が減少しても容器本体１１の内部の薬剤２２が無くなるまでは、中芯部材１８及び繊維束２３の毛細管現象により、露出部２３から薬剤２２が揮発するので、最後まで使用可能である。
【０１１７】
そして、防虫具１は、容器８の大きさが約１５０ｍｍであり、クリップ１２を有しているので、洋服のポケットなどに容易に引っかけることができるので、携帯に便利である。
【０１１８】
防虫具１は、上記したように、キャップ１０を外して、薬剤２２を放出させて、エンペントリンにより防虫具として使用するほかに、薬剤２２を作業着などに塗布することによっても使用することができる。すなわち、繊維束２３の先端部２３ｃは薬剤塗布部３１としても機能するものである。薬剤塗布部３１により作業着など薬剤２２を塗布する。そして、薬剤２２を塗布された部分から有効成分であるエンペントリンが揮発し、防虫効果を発揮する。
作業着等の被服に限らず、布や紙等に薬剤２２を塗布し、防虫を行う場所に置くことも有効である。さらに例えば紙や布等に円や囲みを描き、その中に防虫すべきものを置けば、囲み内は、防虫雰囲気となり、囲み内に害虫が進入しない。
【０１１９】
第１の実施形態における防虫具１は、容器本体１１の内部空間１９に、中芯部材１８を介して薬剤２２を入れた構成であったが、容器本体１１の内部空間１９に、中芯部材１８の中芯覆い部２０を略して繊維と薬剤だけの構成とすることもでき、また、薬剤のみの構成とすることもできる。さらに、中芯覆い部２０の一部に貫通孔を有する構成として揮発させることもできる。そして、中芯部材１８を樹脂等で固めることもできる。
また、これらの防虫具を使用して、薬剤２２が無くなった後に、薬剤２２を再び充填して再び使用することも可能である。かかる場合には、容器本体１１を何回でも使用することができ経済的である。また中芯部材１８をカートリッジ式に取り替える構成も推奨される。
【０１２０】
上記の実施形態では、薬剤放出部２５である露出部２３ｂや、薬剤塗布部３１である先端部２３ｃは繊維であったが、薬剤が通過可能な部材であれば良く、露出部２３ｂや先端部２３ｃの材質として、多孔質体や中空の貫通穴を有する樹脂成形品を用いることもできる。
【０１２１】
また、図３に示されるような構造を有する容器９を用いることができる。すなわち、容器９は、容器本体７０とキャップ７１からなる。そして、容器本体７０の縮径部１６には、軸方向にやや長く、内部と外部を貫通している側面孔７２が設けられている。また、キャップ７１には、軸方向にやや長く、内部と外部を貫通している側面孔７３が設けられ、また、キャップ７１の内径は、容器本体７０の縮径部１６の外径にほぼ等しい。そして、容器本体７０とキャップ７１はネジ部７５によって回転しながら着脱するような構造になっている。また、容器本体７０の先端には、容器本体７０の内部の薬剤２２がしみこんでいる繊維束２３が露出している。
【０１２２】
図３に示される容器９を用いた防虫具を使用する場合には、薬剤２２の揮発量の調節が容易となる。すなわち、容器本体７０とキャップ７１の角度を変えると、容器本体７０の側面孔７２とキャップ７１の側面孔７３の相対的な位置関係が変わる。
そして、側面孔７２と側面孔７３との位置が一致すると容器９の内部と外部を貫通する孔の面積が大きくなるので揮発性が高まり、また、逆に一致しないと面積が小さくなり揮発性が減少する。そして、この調節は無段階にできる。
すなわち本実施形態では、容器９の先端部分に側面孔７２と側面孔７３によって構成される窓があり、当該窓の開口面積が変化させることができる。
なお、本発明の第１の実施形態（関連発明）の防虫具１と同様に、キャップ７１を外しても使用でき、また、薬剤２２を塗布することによっても使用することができる。
【０１２３】
さらに、本発明においては、図４〜図６に示されるような、薬剤保持部材を有さない容器本体を用いることができる。
【０１２４】
すなわち、図４に示される容器本体１１ａは、薬剤保持部材を有さずに、薬剤２２が容器本体１１ａの内部空間１９に直接的に充填されている。なお薬剤２２は、液状である。そして、容器本体１１ａの先端側の開口部１５には、第１の実施形態の防虫具１の容器本体１１と同様に、繊維束２３を有している。さらに繊維束２３の後端側と、薬剤２２の間には弁機構５０が設けられ、通常は弁機構５０は閉じており、繊維束２３を後端側に押すと弁機構５０が開いて、内部空間１９の薬剤２２は繊維束２３を通じて揮発可能となる。
【０１２５】
すなわち弁機構５０は、弁室５０ａの中に弁体５０ｂが移動可能に配されたものであり、弁体５０ｂは、バネ５０ｃによって弁座５０ｄ側に押圧されている。そして繊維束２３を後端側に押すと、これに当接する弁体５０ｂがバネ５０ｃに抗して後方に移動し、弁座５０ｄから離れて弁が開く。
【０１２６】
本実施形態の防虫具では、使用の際には繊維束２３を押して、弁機構５０を開き、容器本体１１ａの内部空間１９に充填された薬剤２２を排出させる。そうすると、弁機構５０が開き内部空間１９の薬剤２２が繊維束２３を通じて、繊維束２３の先端側に移動して外部に揮発する。
容器本体１１ａを用いた防虫具では薬剤保持部材が不要のため、多くの薬剤２２を保持することができ、長期間使用できる。また弁機構５０を押し開くことにより必要量の薬剤２２を薬剤露出部たる繊維束２３の先端側に導くことができ、所望量の薬剤を揮発させることができる。
【０１２７】
さらに容器本体の変形例を説明する。
図５に示される容器本体１１ｂは、前記した容器本体１１ａと同様に薬剤保持部材を有さずに、薬剤２２が容器本体１１ｂの内部空間１９に直接保持されている。容器本体１１ｂは、ホルダー５３と円筒容器５４からなる。
ホルダー５３は略円筒状であり、先端側に開口部１５があり、内部には開口部１５につながって軸方向に向いている貫通孔５６を有して、内部に中継芯５６ａが設けられている。なお中継芯５６ａは、薬剤導出部材として機能する。
そしてさらに、ホルダー５３の外側は断面櫛歯状の段部５５を有している。段部５５には、外部に通じる外部圧力調整部５７ａと、円筒容器５４の内部に通じる内部圧力調整部５７ｂを有している。そして、ホルダー５３は円筒容器５４の先端側に挿入されて固定部材５３ａにより固定されている。
【０１２８】
内部圧力調整部５７ｂは、一時的薬剤溜め部として機能するものであり、容器内の圧力変化に応じ、圧力が高くなると一時的薬剤溜め部に薬剤が貯まって、余分な薬剤の揮発を押さえることができる。
【０１２９】
また、開口部１５には、多孔質体である樹脂成形部材５１を有している。樹脂成形部材５１の空隙により、容器の内部と外部を貫通して、薬剤２２は樹脂成形部材５１を通過することができる。
【０１３０】
そして、使用の際には先端側を下向きにするなどして、樹脂成形部材５１に薬剤２２をしみこませると、樹脂成形部材５１の多孔質構造によって薬剤２２が吸い出され、樹脂成形部材５１の先端部分に薬剤２２が露出する。そして当該部分の薬剤２２が空気に触れて揮発される。容器本体１１ｂを用いた防虫具では薬剤保持部材が不要のため、多くの薬剤２２を保持することができ、長期間使用できる。また、段部５５を有しているので、内部空間１９の温度が変化して、内部空間１９内部の薬剤２２や空気が膨張しても、段部５５に薬剤２２が移動して、溜めることができ、また、徐々に外部圧力調整部５７ａ及び内部圧力調整部５７ｂから空気が抜けて内部の圧力が低下するので、開口部１５から多量に漏れ出すことがない。
【０１３１】
さらに容器本体の他の変形例を説明する。
図６に示される容器本体１１ｃは、容器本体１１ａと同様に薬剤保持部材を有さずに、薬剤２２が容器本体１１ｃの内部空間１９に直接保持されている。そして、容器本体１１ｃの先端側の開口部１５には、第１の実施形態の防虫具１の容器本体１１と同様に、繊維束２３を有している。繊維束２３の後端側と、薬剤２２の間にはボール６０及び付勢部材６１からなる弁機構５０が設けられている。ボール６０は付勢部材６１によって先端側に付勢されており、弁機構５０の先端側に有する開口６４を閉鎖し、通常は弁機構５０は閉じた状態となっている。そして、弁機構５０は閉じた状態では、容器本体１１内部の薬剤２２が外部に漏れることはない。
繊維束２３を後端側に押すと弁機構５０が開いて、内部空間１９の薬剤２２は繊維束２３を通じて揮発可能となる。具体的には、付勢部材６１の付勢力より大きい力を繊維束２３に加えると、ボール６０を後端側に移動させることにより、弁機構５０を開放することができる。また、容器本体１１ｃの後端側には尾栓６２を有し、さらに、尾栓６２と薬剤２２との間にはフォロア６３を有している。フォロア６３は樹脂を素材とするものであり、薬剤２２の後端側に位置している。
そして、使用の際には繊維束２３を押して、薬剤２２を揮発させる。容器本体１１ｃを用いた防虫具では薬剤保持部材が不要のため、多くの薬剤２２を保持することができ、長期間使用できる。また、容器本体１１ｃでは薬剤２２が減るとそれに伴ってフォロア６３が先端側に移動するので、薬剤２２は空気に触れることがなく、薬剤２２の劣化が少ない。
【０１３２】
つぎに、本発明の第２の実施形態（関連発明）について説明する。
図７は（ａ）、（ｂ）は本発明の第２の実施形態（関連発明）における防虫具の平面図及び正面図である。図８は、本発明の第２の実施形態（関連発明）における防虫具のＢ−Ｂ面における断面図である。図９は、図８に示す防虫具の、薬剤を繰り出した状態での断面図である。図１０は、本発明の第２の実施形態（関連発明）における防虫具の分解図であり、（ａ）はキャップの断面図であり、（ｂ）は薬剤の断面図であり、（ｃ）は容器の断面図である。
【０１３３】
本発明の第２の実施形態（関連発明）における防虫具４は、固体状の薬剤４１を有するものであり、図７に示されるものである。そして、防虫具４は、容器３４を有しており、容器３４は容器本体３６とキャップ３５から成る。
【０１３４】
防虫具４の内部の構造について、図７〜１０を用いて詳しく説明する。
容器本体３６は、図１０のように、先端側に開口部１５を有する円筒状の筒型の容器であり、さらに、先端側の胴部は縮径部１６を有して、縮径部１６は後端側より外径が小さい。また、容器本体３６の内部には図１０（ｃ）に示されるように軸方向にリブ４４を有している。
そして、後端側には、繰り出し部３７を有している。繰り出し部３７は、円盤の中央にネジ付きの棒を有する形状であり、回転可能な状態で容器本体３６の後端側に接続している。
【０１３５】
繰り出し部３７は、操作部３８とネジ棒部３９から成る。操作部３８は、外部に露出しており、容器本体３６と相対的に回転運動が可能である。また、ネジ棒部３９は、スパイラル状に突起を有するものであり、ネジ棒部３９の長さは、容器本体３６よりやや短い。
【０１３６】
容器本体３６の内部には、薬剤４１を有している。図１０（ｂ）に示されるように、薬剤４１は円柱状であり、内部には空洞を有している。薬剤４１は、第１の実施形態における防虫具１に使用される有効成分と同様のものが用いられる。さらに、薬剤４１は半固形〜固形状の一定の形状を有するものであり、液体の有効成分を用いる場合には、ゲル化剤や固体添加剤などを用いて、一定の形状とする。
そして、薬剤４１の後端側には、移動部材４２を有している。移動部材４２は、中央部にはネジ棒部３９に合う貫通するネジ穴４７を有し、外側には、前記したリブ４４と合う凹部４６が軸方向に有している。
【０１３７】
そして、容器本体３６に薬剤４１が挿入されると、繰り出し部３７を回転することによって、薬剤４１を繰り出しすることができる。すなわち、移動部材４２のネジ穴４７にネジ棒部３９が入り、凹部４６がリブ４４が嵌った状態となっている。したがって、繰り出し部３７の操作部３８を回転させると、ネジ棒部３９が回転する。そうすると、リブ４４と凹部４６によって、容器本体３６と移動部材４２は回転できず、ネジ棒部３９のピッチの分だけ移動部材４２が軸方向に移動する。すなわち本実施形態では、ネジ棒部３９の発生する推力によって薬剤４１が容器本体３６から繰り出される。
【０１３８】
キャップ３５は、図１０（ａ）に示されるように、容器本体３６の先端側に取り付けられるものであり、外径は容器本体３６の外径と略同一である。そして、内部は、内径が２段になっており、後端側の後端側内部４８の内径は、容器本体３６の縮径部１６の外径と略同一である。
また、キャップ３５は、容器本体３６と着脱することができ、キャップ３５を付けた状態では容器本体３６の縮径部１６より先端側は密閉される。したがって、キャップ３５を付けると開口部１５は密閉され、外すと開口部１５が開放され、薬剤４１が露出する。すなわち薬剤４１が空気と触れる状態となる。
【０１３９】
そして、防虫具４を使用する場合には、次のように行う。
まず、防虫を行う場所でキャップ３５を外し、容器本体３６の開口部１５を、密閉状態から開放する。そして、繰り出し部３７を回転させて、薬剤４１の繰り出しを行う。そうすると、図９のように、薬剤４１の先端側の面と側面が露出して、有効成分が揮発する。本実施例では、薬剤４１の先端側の面と側面が薬剤放出部２５となる。有効成分は防虫効果を有して常温で揮発する有効成分であるので、有効成分が揮発し、その結果防虫効果を発揮する。また、薬剤４１の繰り出しの長さを変えることで、薬剤放出部の面積を変えることができ、防虫効果の強弱を容易に変えることができる。また、防虫具４の薬剤４１の先端側の面と側面を薬剤塗布部３１とすることもできる。
【０１４０】
本発明の繰り出し機構は、第２の実施形態における防虫具４に用いられている繰り出し機構以外の公知の繰り出し機構もでき、また回転式でなくても良い。
【０１４１】
つぎに、本発明の第３の実施形態（関連発明）について説明する。
図１１は、本発明の第３の実施形態（関連発明）における防虫具の斜視図である。図１２は、本発明の第３の実施形態（関連発明）における防虫具の薬剤放散部材と保持部を示している斜視図である。
【０１４２】
本発明の第３の実施形態（関連発明）における防虫具５は、図１１，１２に示されるものである。そして、防虫具５には、薬剤放散部材８５が設けられ、また繊維束２３の先端には、薬剤放散部材８５を保持することが可能な保持部８６が設けられている。なお、防虫具５は、繊維束２３の先端の保持部８６と薬剤放散部材８５以外の構造については、図２に示される防虫具１と同様の構造を採用しており、以下の説明において、防虫具１で用いた同一の番号を用いて説明し、詳細な説明を省略する。
【０１４３】
薬剤放散部材８５は板状であり、別途用意されるものである。薬剤放散部材８５の材質は毛細管現象などにより液体を吸い上げることが容易であり、紙のように細い繊維により形成されたものや多数の小さな孔が設けられたもの等により構成されたものが望ましい。そして、薬剤放散部材８５の広さや厚みは適宜選択することができ、厚みについては後述する保持部８６に挟まれて保持することができる程度である。また、薬剤放散部材８５には柔軟性があり、不使用時には巻き取りや折り畳むなどしてコンパクトな大きさとすることができ携帯しやすくできる。
保持部８６は、具体的には切れ目であり、繊維束２３の先端に位置している。そして切れ目の面は防虫具５の軸と平行である。
【０１４４】
そして、防虫具５を使用する際には、図１２に示されるように、薬剤放散部材８５を繊維束２３の保持部８６に取り付ける。そうすると、繊維束２３の先端側に吸い上げられた薬剤２２が、さらに、薬剤放散部材８５にも浸透していく。そして、薬剤２２は薬剤放散部材８５からも蒸散していく。
【０１４５】
防虫具５は、上記のように構成されているので、薬剤放散部材８５を広い面積にすることにより、より広い面から薬剤２２を蒸散させることができる。なお、不使用時には、図１１に示されるようにキャップ１０を容器本体１１に取付けて、薬剤２２の蒸散を防止し、また、薬剤放散部材８５は携帯できる大きさにすることができる。
【０１４６】
さらに、本発明の第４の実施形態（関連発明）について説明する。
図１３は、本発明の第４の実施形態（関連発明）における防虫具の斜視図である。図１４は、本発明の第４の実施形態（関連発明）における防虫具の不使用状態の部分断面図である。図１５は、本発明の第４の実施形態（関連発明）における防虫具の使用状態における斜視図である。図１６は、本発明の第４の実施形態（関連発明）における防虫具の使用状態の部分断面図である。
【０１４７】
本発明の第４の実施形態における防虫具６は、図１３、１４、１５、１６に示されるものである。そして、防虫具６には、容器本体１１と着脱可能な装着部材８７が設けられている。本実施形態では、装着部材８７は、キャップ兼薬剤放出部として機能する。なお、装着部材８７と、容器本体１１の装着部材８７との接続部分以外の防虫具６の構造については、図２に示される防虫具１と同様の構造を採用しており、以下の説明において、防虫具１で用いた同一の番号を用いて説明し、詳細な説明を省略する。
【０１４８】
キャップ兼薬剤放出部たる装着部材８７は、筒状であって胴部に開口部８８が設けられている。装着部材８７の筒の両側の端部９０ａ、９０ｂは、いずれも開口状であり、容器本体１１と脱着可能となっている。また、装着部材８７には、仕切部８９が設けられ、端部９０ａと端部９０ｂとの間を遮断するように設けられている。
【０１４９】
そして、装着部材８７の内部であって、仕切部８９と、開口部８８側の胴部と、端部９０ａとにより囲まれる空間には薬剤放散部材９１が設けられている。薬剤放散部材９１の材質は毛細管現象などにより液体を吸い上げることが容易なものであり、繊維により形成されたものや多数の小さな孔が設けられたものなど、毛細管現象が起こりやすいものが望ましい。また、薬剤放散部材９１は弾力性を有している。装着部材８７を端部９０ａ側で容器本体１１に取り付けると薬剤放散部材９１が繊維束２３の先端に押されて凹み、繊維束２３の先端と薬剤放散部材９１が接触するように構成されている。
薬剤放散部材９１は、開口部８８によって装着部材８７の外部とつながり、吸い上げられて薬剤放散部材９１にある薬剤２２が外部に拡散できるようになっている。
【０１５０】
防虫具６を使用する際には、図１５、図１６に示されるように、装着部材８７を端部９０ａ側を容器本体１１に取り付ける。このとき、繊維束２３の先端と薬剤放散部材９１とが接触するので、繊維束２３の先端側に吸い上げられた薬剤２２が、さらに、薬剤放散部材９１にも浸透していく。そして、薬剤２２は薬剤放散部材９１に浸透した薬剤２２は開口部８８から蒸散する。
【０１５１】
また、防虫具６を使用しない場合には、図１３、図１４に示されるように、装着部材８７の端部９０ｂ側を容器本体１１に取り付ける。そうすると、繊維束２３の先端は、装着部材８７の胴部と仕切部８９によって密閉されるので、薬剤２２の蒸散を防ぐ。
防虫具６では、使用時及び不使用時において、装着部材８７を容器本体１１に取り付けた状態であるので携帯がしやすい。
【０１５２】
次に本発明の第５、第６の実施形態（関連発明）について説明する。
以下に示す本発明の第５及び第６の実施形態の防虫具７及び防虫具７ａは、ボール９２やロール９３などの回転体により薬剤を塗布することができるものである。
【０１５３】
図１７は、本発明の第５の実施形態（関連発明）における防虫具の斜視図である。図１８は本発明の第６の実施形態（関連発明）における防虫具の斜視図である。
【０１５４】
本発明の第５の実施形態（関連発明）における防虫具７は、図１７に示されるものである。そして、防虫具７は容器本体１１に回転可能に保持されたボール９２を有しており、また、容器本体１１に設けられている薬剤２２がボール９２に付着するように構成されている。本実施形態では、ボール９２が薬剤塗布部３１となるものである。
そして、防虫具７を使用する際には、キャップ１０を取り外し、防虫を行う場所にボール９２を接触させながら移動させ、薬剤２２を塗布する。具体的には、薬剤２２がボール９２に付着して回転するので、ボール９２に接触した部分で薬剤２２の塗布が行われる。その後、薬剤２２が蒸散して防虫が行われる。
【０１５５】
本発明の第６の実施形態（関連発明）における防虫具７ａは、図１８に示されるものである。そして、防虫具７ａは容器本体１１に回転可能に保持されたロール９３を有しており、また、容器本体１１に設けられている薬剤２２がロール９３に付着するように構成されている。本実施形態では、ロール９３が薬剤塗布部３１となるものである。
そして、防虫具７ａを使用する際には、キャップ１０をとり、防虫を行う場所にロール９３を接触させながら移動させ、薬剤２２を塗布する。具体的には、薬剤２２がロール９３に付着して回転するので、ロール９３に接触した部分で薬剤２２の塗布が行われる。その後、薬剤２２が蒸散して防虫が行われる。
【０１５６】
また、本発明の第７の実施形態（関連発明）における防虫具７ｂのように、薬剤放出部
２５付近を加熱して、使用時に、より蒸散しやすくすることもできる。
【０１５７】
図１９は、本発明の第７の実施形態（関連発明）における防虫具の斜視図である。
【０１５８】
防虫具７ｂは、図１９に示され、電気加熱器９５、電池９６、導線９７及びスイッチ９８が設けられている。電池９６の両極が導線９７を介して電気加熱器９５と接続されている。なお、スイッチ９８が導線９７の中途部分に位置しているので、スイッチ９８がＯＮの時だけ、電気加熱器９５の加熱が行われる。電気加熱器９５は、繊維束２３の先端付近に位置している。そして、防虫具７ｂの使用時にスイッチ９８をＯＮにすると、電気加熱器９５により、繊維束２３の先端付近が加熱されて、繊維束２３からの薬剤２２の蒸散が促進される。なお、薬剤放出部２５を有する防虫具であれば、薬剤放出部２５付近を加熱して揮発性の高い防虫具とすることができる。
【０１５９】
また、容器本体１１の内部の薬剤２２が保持されている部分を加圧することができるようにして、薬剤２２の塗布や放出を容易とする構成とすることも可能である。すなわち、薬剤２２が保持されている部分が加圧されており、大気圧との間に圧力差ができるので、薬剤２２が出やすくなる。具体的な方法として、容器本体１１を変形可能な容器として、握力等により薬剤２２が保持されている部分の容積が小さくできるようにして加圧する方法や、或いは、薬剤２２を保持する容器本体１１自体や容器本体１１の内部に設けられている薬剤２２を保持しているカートリッジの圧力を充填の際に高圧にして、容器本体１１の内部を加圧する方法などである。
【０１６０】
薬剤２２が保持されている部分を加圧することが可能な防虫具として、防虫具１００、１０１、１０６を用いることができる。
【０１６１】
図２０は、本発明の第８の実施形態（関連発明）における防虫具の断面図である。図２１は、本発明の第９の実施形態（関連発明）における防虫具の断面図である。図２２は、本発明の第９の実施形態（関連発明）の変形例における防虫具の断面図である。
【０１６２】
第８の実施形態（関連発明）における防虫具１００は、図２０に示されており、容器本体１１１に直接薬剤２２が保持されている。容器本体１１１は軟質の樹脂によって成形され、変形可能であり、外部から圧縮することにより変形させることができる。そして、容器本体１１１の内部には、薬剤誘導管１１２が設けられている。薬剤誘導管１１２の先端側には弁機構１１３が設けられ、後端側は開放されており、容器本体１１１の薬剤２２が流れ込むことが可能となっている。通常、弁機構１１３は閉じた状態であるが、薬剤誘導管１１２側の圧力が上がると、それに応じて開く構造となっている。弁機構１１３は閉じた状態では、容器本体１１１は気密性を有している。
また、繊維束２３は弁機構１１３の先端側に位置している。そして、弁機構１１３が開くと、薬剤２２は容器本体１１１の内部から薬剤誘導管１１２を経て繊維束２３に移動し、薬剤２２を繊維束２３に供給することが可能である。
【０１６３】
防虫具１００を使用する際には、防虫具１００の繊維束２３の先端側は、防虫具１と同様に、薬剤放出部２５及び薬剤塗布部３１として機能する。そして、防虫具１００の使用者が、薬剤２２を繊維束２３に供給する場合には、防虫具１００の先端側を上にした状態で、容器本体１１１を外部から圧縮して変形させる。そうすると、容器本体１１１の容積が減少して内部の圧力が高くなり、さらに、弁機構１１３の薬剤誘導管１１２側の圧力が上がって、弁機構１１３が開く。そして、容器本体１１１の薬剤２２が繊維束２３に供給されて、より多くの薬剤２２が揮発可能となり、より多くの薬剤２２を塗布することができる。
【０１６４】
また、第８の実施形態の防虫具１００の変形例である、図２１に示される防虫具１０１は、前記した防虫具１００と比べて、薬剤誘導管１１２以外は同様であり、薬剤誘導管１１２の構造のみが異なる。具体的には、防虫具１０１の薬剤誘導管１１５の構造は図２１に示されるように内管１１６と外管１１７とが設けられた２重管となっている。そして、外管１１７の先端側の端部には、薬剤導入孔１１８が設けられており、容器本体１１１の内部の薬剤２２は薬剤誘導管１１５の外管１１７と内管１１６との間に流入することができる。
また、薬剤誘導管１１５の後端側には密栓１２０が設けられており、外管１１７の後端側を密閉している。なお、密栓１２０と内管１１６の間には隙間１２１を有しており、外管１１７と内管１１６との間から、内管１１６との間へ薬剤２２が流れることができる。
【０１６５】
防虫具１０１では、防虫具１０１の使用者が、薬剤２２を繊維束２３に供給する場合には、防虫具１０１の先端側を下にした状態で、容器本体１１１を外部から圧縮して変形させる。そうすると、容器本体１１１の容積が減少して内部の圧力が高くなり、さらに、弁機構１１３の薬剤誘導管１１５側の圧力が上がって、弁機構１１３が開く。そして、容器本体１１１の薬剤２２が繊維束２３に供給されて、より多くの薬剤２２が揮発可能となり、より多くの薬剤２２を塗布することができる。防虫具１０１では、防虫具１０１の先端側を下にしながら、薬剤２２を繊維束２３に供給することができるので、防虫具１０１の先端側を下に向けて薬剤２２を塗布する場合には、薬剤２２の量を調整しながら行うことができるので薬剤２２を適量とすることが容易である。
【０１６６】
第９の実施形態における防虫具１０６は、図２２に示されており、加圧手段１５０が設けられており、また、容器本体１１ａに直接薬剤２２が保持されている。なお、防虫具１０６の容器本体１０６ａは、前記した、図４に示されている容器本体１１ａと同じ構造であり、同一の番号を付して説明を省略する。
【０１６７】
加圧手段１５０は、加圧室１５１、弁部材１５２及び付勢手段１５３を有している。加圧室１５１は、外部に通じる貫通孔１５５が設けられており、貫通孔１５５の位置は、防虫具１０６の後端側の先に位置している。また、弁部材１５２は、加圧室１５１と容器本体１１ａの内部との間に位置している。弁部材１５２は、通常、付勢手段１５３によって加圧室１５１側に付勢され、容器本体１１ａの内部と加圧室１５１との間は気密状態を維持している。加圧室１５１側の圧力が容器本体１１ａの内部の圧力より高くなり、この気圧差による力が付勢部材１５３の付勢力より大きくなると、弁部材１５２は気密状態が解かれて、加圧室１５１から容器本体１１ａの内部へ加圧室１５１の気体が流入する。
加圧室１５１は弾性を有する材質であり、変形可能である。
【０１６８】
そして、防虫具１０６を使用する場合には、繊維束２３を押して、薬剤２２を揮発させるが、この量を多くしたい場合には、加圧手段によってより多くの薬剤２２を供給することができる。
具体的には、貫通孔１５５を塞ぎながら、加圧室１５１を押す。加圧室１５１は弾性を有しているので、加圧室１５１が変形して加圧室１５１の容積が小さくなる。そして、加圧室１５１の圧力が上昇する。
加圧室１５１の圧力が上昇し、容器内部１１ａの圧力よりも大きくなって、弁部材１５２の気密状態が解かれて、加圧室１５１から容器本体１１ａの内部へ加圧室１５１の気体が流入する。そして、加圧室１５１を押すのを止めると、弁部材１５２は付勢部材１５３により戻り、再び気密状態を回復し、容器本体１１ａの内部の圧力が高くなる。
さらに容器内部１１ａの圧力が高くなった状態で、繊維束２３を後端側に押すと弁機構５０が開いて、内部空間１９の薬剤２２は繊維束２３に移動するが、容器内部１１ａの圧力が高いので、より多くの薬剤２２を繊維束２３に供給することが可能である。なお、必要に応じて、加圧室１５１を押す操作を繰り返し、容器内部１１ａの圧力をより高くすることができる。
【０１６９】
また、図２３に示される、本発明の第１０の実施形態（関連発明）における防虫具１０
２を用いることができる。
図２３は、本発明の第１０の実施形態（関連発明）における防虫具の断面図である。
第１の実施形態（関連発明）における防虫具１の中芯部材１８とは異なり、防虫具１０２の中芯部材１２８は、薬剤２２を管部材１２９によって直接保持している。そして、薬剤２２の後端側には薬剤２２の消耗に追随しながら移動可能なフォロア１３０が設けられており、後端側から漏れることを防止し、薬剤２２が最後まで使用できるようにしている。なお、フォロア１３０は粘度の大きいゲル状である。
【０１７０】
以下、本発明の第１１〜１３の実施形態を説明する。これらの実施形態における防虫具１０３、１０４、１０５は、上記第２の実施形態における防虫具４と同様に、固形状の薬剤４１を用いるものである。なお、防虫具１０３、１０４、１０５には、キャップ１０が設けられているが、キャップを設けない構成とすることもできる。
【０１７１】
図２４は、本発明の第１１の実施形態（関連発明）における防虫具の斜視図である。図２５は、本発明の第１２の実施形態（関連発明）における防虫具の斜視図である。図２６は、本発明の第１３の実施形態（請求項１に記載の発明）における防虫具の斜視図である。図２７（ａ），（ｂ）は、本発明の第１３の実施形態（請求項１に記載の発明）における防虫具の部分断面図である。
【０１７２】
本発明の第１１の実施形態（関連発明）における防虫具１０３は、図２４に示されており、薬剤４１、キャップ１０、巻紙１３１及び解除糸１３２が設けられている。そして、薬剤４１は柱状であって、巻紙１３１により巻き付けられている。解除糸１３２は、巻き付けられた巻紙１３１の間に位置しており、解除糸１３２を引っ張ると巻紙１３１が徐々に外れる。
【０１７３】
そして、使用する際には、薬剤４１の先端部を薬剤放出部２５として用い、薬剤４１の先端部から有効成分が蒸発させて防虫する。あるいは、薬剤４１の先端部を薬剤塗布部３１として用い、薬剤４１の先端部を防虫する場所に接触させて薬剤４１を塗布して、有効成分を揮発させて防虫する。
使用に伴って、薬剤４１が減少し、露出する部分が小さくなると、有効成分の揮発量が小さくなり、また、薬剤４１の塗布が行いにくくなる。防虫具１０３では解除糸１３２を引っ張ることにより、巻紙１３１を徐々に外し、露出する大きさを変えることができるので、薬剤４１を必要とする露出量にすることができる。
【０１７４】
本発明の第１２の実施形態（関連発明）における防虫具１０４は、図２５に示されており、薬剤４１、繰り出し部１３３、容器本体１１及びキャップ１０が設けられている。繰り出し部１３３は、ネジ棒部１３６と操作部１３５を有している。
操作部１３５は筒状であり、操作部１３５の内側でネジ棒部１３６と係合している。ネジ棒部１３６は棒状であり、スパイラル状に突起１３６ａを有している。操作部１３５は容器本体１１と相対的に回転でき、操作部１３５を回転させることにより、ネジ棒部１３６を突出・退入させることが可能である。
また、薬剤４１はネジ棒部１３６の先端側に設けられており、ネジ棒部１３６を突出・退入の動きに応じて薬剤４１が移動して、薬剤４１の繰り出しが可能となっている。
【０１７５】
そして、防虫具１０４を使用する際には、第１１の実施形態における防虫具１０３と同様に、薬剤４１の先端部を薬剤放出部２５や薬剤塗布部３１として用い、有効成分を揮発させて防虫する。
使用に伴って、薬剤４１が減少し、露出する部分が小さくなると、有効成分の揮発量が小さくなり、また、薬剤４１の塗布が行いにくくなる。防虫具１０４では操作部１３５を回転させることにより、薬剤４１の繰り出して、必要な薬剤４１の露出する大きさとすることができる。
【０１７６】
本発明の第１３の実施形態（請求項１に記載の発明）における防虫具１０５は、図２６〜図２７に示されており、薬剤４１、繰り出し部１３９、付勢部材１４０、ノック部材１４３、容器本体１１及びキャップ１０が設けられている。
【０１７７】
繰り出し部１３９は、薬剤保持筒１４２とチャック手段１４４が設けられている。薬剤保持筒１４２は筒状であり、先端側の外周は、先端に向かって径大となるようにテーパー部１４２ａが設けられている。そして、テーパー部１４２ａの外周でチャック手段１４４と係合し、薬剤保持筒１４２を内側に押圧している。薬剤４１は、薬剤保持筒１４２の内側に位置しており、容器本体１１の開口１４５から露出している。
【０１７８】
付勢部材１４０によって、薬剤保持筒１４２は後端側に付勢されている。この状態は図２７（ａ）に示されており、薬剤保持筒１４２のテーパー部１４２ａでチャック手段１４４が係合されて押圧されている。薬剤４１は薬剤保持筒１４２により保持されている。
ノック部材１４３を付勢部材１４０よりも大きい力で押すと、薬剤保持筒１４２は先端側に前進し、薬剤４１も前進する。
【０１７９】
そして、ノック部材１４３をさらに前進させると、チャック手段１４４が容器本体１１の内側突起１４１と接触して、薬剤保持筒１４２のみが前進し、テーパー部１４２ａのチャック手段１４４との係合が解け、図２７に示される状態となる。さらに、ノック部材１４３に加えていた力を抜くと、付勢部材１４０の力により後退するが、チャック手段１４４との係合が解けているので、薬剤４１は後退しない。
なお、薬剤４１を後退させて、容器本体１１側に収納させる場合には、ノック部材１４３を押しながら、薬剤４１を後端側に押す。テーパー部１４２ａのチャック手段１４４との係合が解けて開放された状態になり、容易に収納できる。
防虫具１４３ではこのように構成されているので、薬剤４１の繰り出し及び収納が可能である。
【０１８０】
そして、防虫具１０５を使用する際には、第１１の実施形態における防虫具１０３と同様に、薬剤４１の先端部を薬剤放出部２５や薬剤塗布部３１として用い、有効成分を揮発させて防虫する。
使用に伴って、薬剤４１が減少し、露出する部分が小さくなると、有効成分の揮発量が小さくなり、また、薬剤４１の塗布が行いにくくなる。防虫具１０５ではノック部材１４３を押すことにより、薬剤４１を繰り出して、薬剤４１が露出する大きさを適宜変更することができる。また、ノック部材１４３を押さない場合には、チャック手段１４４により、薬剤４１の後退を阻止することが出来る。
【０１８１】
また、以下に示す防虫具のように、容器を直接的に装着、又は被服の上から装着することが可能となるように構成としても良い。容器に着脱部材を設けて、着脱部材によって防虫具を被服や、野外のテントなどに着脱可能する構成としてもよい。また、容器といえる概念の部材を持たず、単に薬剤露出部のみを有する構成であってもよい。
【０１８２】
図３１（ａ）及び（ｂ）は、本発明の第１４の実施形態（関連発明）における防虫具の斜視図である。図３２は、本発明の第１５の実施形態（関連発明）における防虫具の斜視図である。図３３は、本発明の第１５の実施形態（関連発明）における防虫具の変形例を示した斜視図である。
【０１８３】
本発明の第１４の実施形態（関連発明）における防虫具２００は、図３１に示されている。そして、防虫具２００には、円盤状の容器本体２０１と、薬剤２２を含んだ薬剤保持部材２０１を有している。容器本体２０１は、蓋部２０３と裏板２０４が設けられている。蓋部２０３と裏板２０４とはほぼ同じ大きさである。蓋部２０３と裏板２０４とを合わせることによって内側に密閉された空間が形成され、当該空間に薬剤保持部材２０１が位置する。
【０１８４】
そして、防虫具２００では、薬剤保持部材２０１を薬剤露出部として機能させて使用する。具体的には、薬剤保持部材２０１を薬剤放出部２５や薬剤塗布部３１として用いることにより、薬剤２２中の有効成分を揮発させて防虫する。また、表板２０３が薬剤露出部を遮蔽する遮蔽手段として機能する。
【０１８５】
また、防虫具２００の本体容器２０２の裏側には、図３１（ｂ）に示されるように、着脱部材２０８が設けられている。着脱部材２０８は、防虫具２００の使用者の被服等に防虫具２００を着脱を可能とするものである。したがって、使用者は防虫具２００を被服に着脱でき、容易に防虫具２００を携帯することができる。なお、着脱部材２０８は、粘着剤、面ファスナー、安全ピン等、被服に着脱できるもので有れば良く、公知なものを用いることができる。なお、前記した着脱部材を他の実施形態の防虫具に用いることもできる。
【０１８６】
本発明の第１５の実施形態（関連発明）における防虫具２１０は、図３２に示されている。そして、防虫具２１０には、板面が円状である板状の形状をした容器本体２１１と、薬剤２２含んだ薬剤保持部材２１１を有している。容器本体２１２は、容器本体２１２の板面側に位置する開口部２１５を有し、さらに開口部２１５を覆うように蓋部２１４が設けられている。そして、蓋部２１４は、変形可能なシート部材であり、粘着剤などをもちいることにより、開口部２１５を封鎖して、容器の内部を密閉している。
【０１８７】
そして、防虫具２１０を使用する際には、開口部２１５を封鎖を解いて、蓋部２１４を図３２に示されるように引き剥がすようにめくり、開口部２１５を封鎖を解く。そして、容器本体２１２の内部に設けられている薬剤保持部材２１１に保持されている薬剤２２を開口部２１５から蒸散させる。
【０１８８】
なお、蓋部２１３の大きさは容器本体２１２の大きさに比べて小さく、容器本体２１２の板面の一部のようであったが、図３３に示される防虫具２１０'のように、蓋部２１３を容器本体２１２の板面の全てを覆うようにしてもよい。
【０１８９】
図３３に示される防虫具２１０'は、全体形状が薄いワッペン状であって容器と言える部材を持たない。図３３に示される防虫具２１０'では、本体部材１９０を持ち、その表面に薬剤が含浸されて薬剤が保持されると共に当該薬剤が露出している。そして本体部材の表面は薄いシート部材１９１で覆われており、当該シート部材１９１によって薬剤の露出面が覆われている。即ち本実施形態では、変形可能なシート部材１９１を密閉手段として使用し、粘着剤などをもちいることにより、シート部材１９１で薬剤露出部を封鎖している。そして、防虫具２１０'を使用する際には、シート部材１９１を引き剥がすようにめくり、薬剤露出部を露出させて、薬剤を外気に蒸散させる。
【０１９０】
また、防虫具２１０'には図示しない着脱部材を有しており、使用者の被服や野外のテントなどに装着することが可能である。
【０１９１】
さらに、図３４〜図４３に示されるような防虫具を用いることもできる。かかる防虫具によれば、防虫具の使用者が直接的に装着、又は、被服の上から装着することが容易となり、防虫具の使用者が防虫具を容易に携帯することが可能となる。さらに、図３４〜図４３に示される防虫具は、外観上は、装身具等の身につけるものであるので、防虫具を使用していても違和感無く使用することができる。また、装着する位置は、体の部分であればいずれの場所でも良く、頭、腕、指、胴体、足に装着することができる。
【０１９２】
なお、図３４〜図４３に示される防虫具には、内部に薬剤２２を内蔵した容器が設けられており、薬剤露出部が密閉手段によって遮蔽され、防虫具を使用する際に、薬剤２２中の有効成分を揮発させて防虫することができるものである。
【０１９３】
図３４は、本発明の第１６の実施形態（関連発明）における防虫具の斜視図である。図３５は、本発明の第１７の実施形態（関連発明）における防虫具の正面図である。図３６は、本発明の第１８の実施形態（関連発明）における防虫具の斜視図である。図３７は、本発明の第１９の実施形態（関連発明）における防虫具の正面図である。図３８は、本発明の第２０の実施形態（関連発明）における防虫具の側面図である。図３９は、本発明の第２１の実施形態（関連発明）における防虫具の斜視図である。図４０は、本発明の第２２の実施形態（関連発明）における防虫具の斜視図である。図４１は、本発明の第２３の実施形態（関連発明）における防虫具の斜視図である。図４２は、本発明の第２４の実施形態（関連発明）における防虫具の正面図である。図４３は、本発明の第２５の実施形態（関連発明）における防虫具の正面図である。
【０１９４】
具体的には、図３４に示される第１６の防虫具２２０は、全体形状が指輪状であり、容器２２０ａが設けられ、蓋部２２０ｂによって容器２２０ａ内部を遮蔽するものある。
【０１９５】
図３５に示される防虫具２２１は、全体形状が腕輪状であり、腕輪として使用可能であり、筒状の容器２２１ａが設けられ、蓋部２２１ｂによって容器２２１ａ内部を遮蔽するものである。
【０１９６】
図３６に示される防虫具２２２は、全体形状がヘアバンド状であり、ヘアバンドとして使用可能であり、容器２２２ａが設けられ、蓋部２２２ｂによって容器２２２ａ内部を遮蔽するものである。
【０１９７】
図３７に示される防虫具２２３は、全体形状がネクタイピン状であり、ネクタイなどに取り付けることが可能であり、容器２２３ａが設けられ、蓋部２２３ｂによって容器２２３ａ内部を遮蔽するものである。
【０１９８】
図３８に示される防虫具２２４は、全体形状がイヤリング状であり、イヤリングとして使用可能であり、容器２２４ａが設けられ、蓋部２２４ｂによって容器２２４ａ内部を遮蔽するものである。
【０１９９】
図３９に示される防虫具２２５は、鎖部２２５ｃが設けられて、容器２２５ａが鎖部２２５ｃと連結して、ロケットペンダント状のものである。そして、防虫具２２５はロケットペンダントとして使用可能であり、蓋部２２５ｂによって容器２２５ａ内部を遮蔽するものである。
【０２００】
図４０に示される防虫具２２６は、全体形状がピアス状であり、ピアスとして使用可能であり、容器２２６ａが設けられ、蓋部２２６ｂによって容器２２６ａ内部を遮蔽するものである。
【０２０１】
図４１に示される防虫具２２７は、全体形状がベルト状であり、ベルトとして使用可能であり、容器２２７ａが設けられ、蓋部２２７ｂによって容器２２７ａ内部を遮蔽するものである。
【０２０２】
図４２に示される防虫具２２８は、全体形状がブローチ状であり、ブローチとして使用可能であり、容器２２８ａが設けられ、蓋部２２８ｂによって容器２２８ａ内部を遮蔽するものである。
【０２０３】
図４３に示される防虫具２２９は、全体形状がブレスレット状であり、ブレスレットやアンクレットとして使用可能であり、容器２２９ａが設けられ、蓋部２２９ｂによって容器２２９ａ内部を遮蔽するものである。
【０２０４】
さらに、図４４〜図４８に示されるような第２６、第２７、第２８の実施形態における防虫具２４０、２５０、２６０を用いることもできる。防虫具２４０、２５０、２６０は、携行可能であって、人体に有害な虫に対する防虫効果を有して常温で揮発する有効成分が含有されている薬剤２２が内蔵されている。
【０２０５】
図４４は、本発明の第２６の実施形態（関連発明）における防虫具の斜視図である。図４５は、本発明の第２６の実施形態（関連発明）における防虫具の袋体を示した斜視図である。図４６は、図４５の内部を示した斜視図である。図４７は、本発明の第２７の実施形態（関連発明）における防虫具の断面斜視図である。図４８は、本発明の第２８の実施形態（関連発明）における防虫具の正面図である。図４９は、本発明の第２８の実施形態における防虫具の使用状態を示した斜視図である。
【０２０６】
第２６の実施形態（関連発明）における防虫具２４０は、図４４に示されており、全体形状は、やや厚みのあるシート状である。そして、防虫具２４０は密閉袋２４１と、密閉袋２４１の内側に位置している通気性袋２４２によって構成されている。通気性袋２４２は、図４５に示されている。
【０２０７】
密閉袋２４１は、薬剤２２の外部への蒸散を防止することができる材質が用いられており、具体的には樹脂製の多層フィルムを用いて袋状としたものである。そして、通気性袋２４２を密閉袋２４１により覆って、気密性を保持している。
【０２０８】
通気性袋２４２は、通気性を有する材質であり、例えば不織布が用いられている。さらに、通気性袋２４２の内部に薬剤２２が内蔵され、薬剤２２は通気性袋２４２によって覆われている。したがって、薬剤２２は、通気性袋２４２の外部に移動できる。具体的には、図４６に示されるように、通気性袋２４２の内部に、液状の薬剤２２を含浸することができる薬剤含浸部材２４３が設けられており、薬剤含浸部材２４３に薬剤２２を含浸した状態で、通気性袋２４２の中に入っている。薬剤含浸部材２４３は、繊維材料や多孔質部材など、液体を含浸することができればどのようなものでも良い。薬剤２２には、人体に有害な虫に対する防虫効果を有して常温で揮発する有効成分が含有されている。
【０２０９】
防虫具２４０は、このように構成されているので、薬剤含浸部材２４３に含浸されている薬剤２２は、通気性袋２４２の外へは通過できる。ただし、通気性袋２４２が密閉袋２４１に入っている状態では、薬剤２２の蒸気は密閉袋２４１で遮断され、外部に蒸散することはない。
【０２１０】
そして、防虫具２４０を使用する場合には、密閉袋２４１の一部を切断などして、内部の通気性袋２４２を取り出す。そうすると、通気性袋２４２の内部の薬剤２２が外部に蒸散し、有効成分によって防虫を行う。ただし、薬剤２２は、通気性袋２４２内に納められているので、液状の薬剤２２が外部に飛散することはない。そのため、液状の薬剤２２が身体等に直接触れることはない。
【０２１１】
第２７の実施形態における防虫具２５０は、図４７に示されている。そして、第２６の実施形態における防虫具２４０に比べて、通気性袋２５２が異なるものである。
すなわち、通気性袋２５２の一部に粘着部材２５３が設けられている。
【０２１２】
さらに具体的には、シート状の通気性袋２５２の一方の面の全体に粘着部材２５３を有し、防虫具２５０は粘着部材２５３によって人体又は被服に固定可能であり、容易に携行することができ、野外のテントなどに固定して防虫することができる。
【０２１３】
第２８の実施形態における防虫具２６０は、図４８、図４９に示されている。防虫具２６０の全体形状は棒状であって携帯可能な大きさである。そして、防虫具２６０は密閉袋２６１と、薬剤含浸部材２４３を有している。薬剤含浸部材２４３は、液状の薬剤２２を含浸することができる繊維性のシート状の部材である。そして、薬剤含浸部材２４３に薬剤２２を含浸して、シート状態から丸めることにより棒状にする。そして、棒状の状態の薬剤含浸部材２４３を密閉袋２６１の中に入れて密閉する。なお、薬剤２２は、人体に有害な虫に対する防虫効果を有して常温で揮発する有効成分が含有されている。
【０２１４】
そして、防虫具２６０を使用する場合には、密閉袋２６１の一部を切断して、薬剤含浸部材２４３の密閉状態を解除して防虫を行う。例えば、密閉袋２６１の一部を切除した状態で、防虫具２６０を胸ポケット等に挿す。そうすると、通気性袋２４２の内部の薬剤２２が外部に蒸散し、有効成分によって防虫を行うことが可能となる。ただし、防虫具２６０の胸ポケットに挿入された部位は、密閉袋２６１の一部で覆われているので、薬剤２２が直接被服に触れることはない。
【０２１５】
本発明の薬剤２２、４１は、有効成分単独でも良いが、適当な溶剤や添加剤を用いても良い。また、有効成分をマイクロカプセルなどに封入して、薬剤を塗布する際に押しつぶして、使用時に揮発させることもできる。この場合には、キャップ１０，３５を用いなくても、有効成分の揮発を防止することができる。
【０２１６】
本発明の防虫具を用いて防除可能である有害生物としては、例えば、下記のものがあげられる。
半翅目害虫：ヒメトビウンカ、トビイロウンカ、セジロウンカ等のウンカ類、ツマグロヨコバイ、タイワンツマグロヨコバイ等のヨコバイ類、アブラムシ類、カメムシ類、コナジラミ類、カイガラムシ類、グンバイムシ類、キジラミ類等
鱗翅目害虫：ニカメイガ、コブノメイガ、ノシメコクガ等のメイガ類、ハスモンヨトウ、アワヨトウ、ヨトウガ等のヨトウ類、モンシロチョウ等のシロチョウ類、コカクモンハマキ等のハマキガ類、シンクイガ類、ハモグリガ類、ドクガ類、ウワバ類、カブラヤガ、タマナヤガ等のアグロティス属害虫（Ａｇｒｏｔｉｓ  ｓｐｐ．）、ヘリコベルパ属害虫（Ｈｅｌｉｃｏｖｅｒｐａ  ｓｐｐ．）ヘリオティス属害虫（Ｈｅｌｉｏｔｈｉｓ  ｓｐｐ．）、コナガ、イチモンジセセリ、イガ、コイガ等
双翅目害虫：アカイエカ、コガタアカイエカ等のイエカ類、ネッタイシマカ、ヒトスジシマカ等のヤブカ類、シナハマダラカ等のハマダラカ類、ユスリカ類、イエバエ、オオイエバエ等のイエバエ類、クロバエ類、ニクバエ類、タネバエ、ヒメイエバエ、タマネギバエ等のハナバエ類、ミバエ類、ショウジョウバエ類、チョウバエ類、アブ類、ブユ類、サシバエ類等
鞘翅目害虫：ウエスタンコーンルートワーム、サザンコーンルートワーム等のコーンルートワーム類、ドウガネブイブイ、ヒメコガネ等のコガネムシ類、コクゾウムシ、イネミズゾウムシ、ワタミゾウムシ、アズキゾウムシ等のゾウムシ類、チャイロコメノゴミムシダマシ、コクヌストモドキ等のゴミムシダマシ類、イネドロオイムシ、キスジノミハムシ、ウリハムシ等のハムシ類、シバンムシ類、ニジュウヤホシテントウ等のエピラクナ属（Ｅｐｉｌａｃｈｎａ  ｓｐｐ．）、ヒラタキクイムシ類、ナガシンクイムシ類、カミキリムシ類、アオバアリガタハネカクシ等
網翅目害虫：チャバネゴキブリ、クロゴキブリ、ワモンゴキブリ、トビイロゴキブリ、コバネゴキブリ等
総翅目害虫：ミナミキイロアザミウマ、ミカンキイロアザミウマ、ハナアザミウマ等
膜翅目害虫：アリ類、スズメバチ類、アリガタバチ類、カブラハバチ等のハバチ類等
直翅目害虫：ケラ、バッタ等
隠翅目害虫：ヒトノミ、ネコノミ等
シラミ目害虫：ヒトジラミ、ケジラミ等
等翅目害虫：ヤマトシロアリ、イエシロアリ等
屋内塵性ダニ類：コナヒョウヒダニ、ヤケヒョウヒダニ等のヒョウヒダニ類、ケナガコナダニ、ムギコナダニ等のコナダニ類、チリニクダニ、イエニクダニ、サナアシニクダニ等のニクダニ類、クワガクツメダニ、フトツメダニ等のツメダニ類、ホコリダニ類、マルニクダニ類、イエササラダニ類、ハダニ類、フタトゲチマダニ等のマダニ類、ナミハダニ、カンザワハダニ、ミカンハダニ、リンゴハダニ等
尚、上記の有害生物以外の有害性物であっても、防除が可能である。また、本発明の防虫具１の有効成分が有害生物に対して防虫効果を有していれば、抵抗性を有する有害生物であっても、有効に防除可能であることは言うまでもない。
【０２１７】
以下、試験例をあげて、本発明の防虫具１による防虫効果をさらに詳しく説明する。なお、本発明はこれらの例に限定されるものではない。
【０２１８】
図２８は、本発明の試験例１及び試験例２に用いるカップの斜視図である。図２９は、本発明の試験例１の状態を示した防虫具及びカップの斜視図である。図３０は、本発明の試験例２の状態を示した濾紙及びカップの斜視図である。
【０２１９】
試験例１（薬剤放出部２５からの薬剤２２の揮発による防虫効果）
図２に示した防虫具１に、有効成分として化合物（Ａ）（２，３，５，６−テトラフルオロ−４−メトキシメチルベンジル  ３−（１−プロペニル）−２，２−ジメチルシクロプロパンカルボキシラートであり、Ｄｏｎｏｖａｎ法による２５℃における蒸気圧：１．４×１０-5mmHg）を用いた薬剤２２を用いて試験防虫具ａ及び試験防虫具ｂを作製した。
具体的には、試験防虫具ａの薬剤２２は化合物（Ａ）２．０ｇに、色材のスミプラストブルーＯＡ約１０ｍｇを混合溶解して液状としたものであり、これを中芯部材１８に滴下により充填した。また、試験防虫具ｂの薬剤２２は、化合物（Ａ）をエタノールで重量比１：１で混合溶解し、色材のスミプラストブルーＯＡ約５ｍｇを混合溶解して液１．１ｇにしたものであり、これを中芯部材１８に滴下により充填した。
【０２２０】
一方、供試虫として用いるアカイエカ雌成虫を炭酸ガスにより麻酔させ、一群１０頭を図２８に示されるようなＰＥＴ製カップ８０（底面φ８ｃｍ、蓋面φ９．５ｃｍ、高さ４．５ｃｍ）に入れた。ＰＥＴ製カップ８０は中央部にφ３ｃｍの穴８１と、他に通気孔としての１２個の小孔８２を設けた蓋８３が設けられている。そして、蓋８３をカップに取り付け、１％蔗糖液を染みこませたカット綿でφ３ｃｍの穴８１を塞き、そのまま２時間静置して麻酔させた蚊を回復させた。
試験防虫具ａおよび試験防具ｂは、薬剤放出部２５である繊維束先端に色材が到達し充填液が先端部に到達したことを確認した。φ９ｃｍの濾紙８４の中央部にあけたφ６ｍｍの穴にキャップをはずして突き刺し、繊維束２３の先端が蓋面からカップ内に３ｃｍ進入した位置になるようカット綿と置換して設置した。この状態を示したのが図２９である。設置後、直ちに蚊の落下仰天数（ノックダウン数）を一定時間毎に観察した。また、同じ試験を繰り返して２回行った。
なお、比較防虫具として、エタノールのみ約１ｇを滴下により中芯部材１８に充填したものを準備し、上記と同様な方法により蚊の落下仰天数（ノックダウン数）を一定時間毎に観察した。その結果を表１に示す。
試験防虫具ａ、ｂともに、あきらかな即効性を示した。
【０２２１】
【表１】
2010000079.tif 000054
【０２２２】
試験例２（防虫具１の薬剤塗布部３１を使用して塗布された薬剤２２の揮発による防虫効果）
試験例１にて調製した試験防虫具ａ及び試験防虫具ｂを用い、試験濾紙ａ'、試験濾紙ｂ'を作製した。具体的には、φ９ｃｍの濾紙８４の中央部に鉛筆でφ３ｃｍの円を描き、試験防虫具ａ及び試験防虫具ｂの薬剤塗布部３１をφ３ｃｍの円内に接触させて塗布した。なお、薬剤２２には青色の色材を有しているので、上記円内を均一に塗りつぶすように行った。
【０２２３】
試験例１と同様に、供試虫として用いるアカイエカ雌成虫を炭酸ガスにより麻酔させ、一群１０頭を図２８に示されるようなＰＥＴ製カップ８０（底面φ８ｃｍ、蓋面φ９．５ｃｍ、高さ４．５ｃｍ）に入れた。ＰＥＴ製カップ８０は中央部にφ３ｃｍの穴８１と、他に通気孔としての１２個の小孔８２を設けた蓋８３が設けられている。そして蓋８３をカップに取り付け、１％蔗糖液を染みこませたカット綿でφ３ｃｍの穴８１を塞き、そのまま２時間静置して麻酔させた蚊を回復させた。
【０２２４】
カット綿を外して、蓋８３のφ３ｃｍの穴８１と試験濾紙ａ'、試験濾紙ｂ'の塗布部分が重なるようにしながら、試験濾紙ａ'、試験濾紙ｂ'を蓋８３の上にのせる。この状態を示したのが図３０である。試験濾紙ａ'、ｂ'を設置後、直ちに蚊の落下仰天数（ノックダウン数）を一定時間毎に観察した。また、同じ試験を繰り返して２回行った。
なお、比較濾紙として、エタノールのみを塗布した濾紙を準備し、上記と同様な方法により蚊の落下仰天数（ノックダウン数）を一定時間毎に観察した。その結果を表２に示す。
試験濾紙ａ'、ｂ'ともに、あきらかな即効性を示した。
【０２２５】
【表２】
2010000079.tif 000055
【符号の説明】
【０２２６】
１０３  防虫具
１０  キャップ
１１  容器本体
２１  繊維部
２２  薬剤
２３  繊維束
２５  薬剤放出部
４１  薬剤
８７  装着部材
８８  開口部
９０ａ、９０ｂ  両側の端部
８９  仕切部
９１  薬剤放散部材繊維束
１３１  巻紙
１３２  解除糸
１３９  繰り出し部
１４０  付勢部材
１４３  ノック部材
１４２  薬剤保持筒
１４２ａ  テーパー部
１４４  チャック手段
１４５  開口
【手続補正２】
【補正対象書類名】特許請求の範囲
【補正対象項目名】全文
【補正方法】変更
【補正の内容】
【特許請求の範囲】
【請求項１】
棒状に成形された薬剤が内蔵された容器を有し、前記薬剤は、防虫効果を有して常温で揮発する有効成分を含有し、前記容器には前記薬剤を押圧する押圧手段と、薬剤の保持及び開放が可能なチャック手段を有し、押圧手段によって薬剤を押圧して薬剤を繰り出し、チャック手段が薬剤を保持して薬剤の後退を阻止することを特徴とする防虫具。
【請求項２】
薬剤を加熱する加熱手段を備えることを特徴とする請求項１に記載の防虫具。
【請求項３】
容器は、内部に薬剤を内蔵する容器本体と、容器本体と分離可能であって、容器本体に装着されて密閉手段を構成するキャップにより構成されることを特徴とする請求項１又は２のいずれかに記載の防虫具。
【請求項４】
容器には、他のものに取り付けるための係止具が設けられていることを特徴とする請求項１乃至３のいずれかに記載の防虫具。
【請求項５】
容器は板状の容器であり、薬剤露出部は面状に設けられていることを特徴とする請求項１乃至４のいずれかに記載の防虫具。
【請求項６】
薬剤露出部を遮蔽する密閉手段は、変形可能なシート部材により行われるものであり、前記シート部材は引きはがし可能であり、引き剥がすことにより、薬剤露出部の遮蔽を解除することを特徴とする請求項１乃至５のいずれかに記載の防虫具。
【請求項７】
容器は、直接的に装着、又は被服の上から装着することが可能であることを特徴とする請求項１乃至６のいずれかに記載の防虫具。
【請求項８】
容器には、他の部材に対して着脱可能な着脱部材が設けられていることを特徴とする請求項１乃至７のいずれかに記載の防虫具。
【請求項９】
容器の一部又は全部は、生分解性樹脂を素材とするものであることを特徴とする請求項１乃至８のいずれかに記載の防虫具。
【請求項１０】
薬剤露出部を遮蔽する密閉手段を有し、当該密閉手段は、変形可能なシート部材により行われるものであり、前記シート部材は引きはがし可能であり、引き剥がすことにより、薬剤露出部の遮蔽を解除することを特徴とする請求項１乃至９のいずれかに記載の防虫具。
【請求項１１】
有効成分は、Ｄｏｎｏｖａｎ法による２５℃における蒸気圧が１×１０-5〜５×１０-3mmHgであることを特徴とする請求項１乃至１０のいずれかに記載の防虫具。
【請求項１２】
有効成分は、ピレスロイド系化合物であることを特徴とする請求項１乃至１１のいずれかに記載の防虫具。
【請求項１３】
ピレスロイド系化合物が、Ｄｏｎｏｖａｎ法による２５℃における蒸気圧が１×１０-5〜５×１０-3mmHgであることを特徴とする請求項１２に記載の防虫具。
【請求項１４】
薬剤には昇華性染料が配合されていることを特徴とする請求項１乃至１３のいずれかに記載の防虫具。
【請求項１５】
請求項１乃至１４のいずれかに記載の防虫具を用い、防虫を行う場所で、前記防虫具の密閉部を開けて薬剤放出部から有効成分を有する薬剤を大気中に揮発させることにより有害生物を防除することを特徴とする防虫方法。
【請求項１６】
請求項１乃至１４のいずれかに記載の防虫具を用い、防虫を行う場所に薬剤塗布部を接触させて薬剤を塗布し、有効成分を有する薬剤を大気中に揮発させることにより有害生物を防除することを特徴とする防虫方法。